(57)【要約】【課題】フォーカシングを好適に行い、フォーカシングレンズ群ひいてはレンズ全系の小型化・軽量化を図り、近距離撮影における撮影倍率の低下を抑制可能なズームレンズ系、レンズ鏡筒及び撮像装置を提供する。【解決手段】第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。無限遠から近距離へのフォーカシングに際し、第２ｂレンズ群Ｇ２ｂが像側に移動すると共に、第２ａレンズ群Ｇ２ａと第２ｂレンズ群Ｇ２ｂの間隔、及び、第２ｂレンズ群Ｇ２ｂと第２ｃレンズ群Ｇ２ｃの間隔が変化する。【選択図】図１
2020154288.tif 000002
【特許請求の範囲】
【請求項１】
物体側から順に、正の屈折力の第１レンズ群と、負の屈折力の第２レンズ群と、後続レンズ群とから構成されており、
短焦点距離端から長焦点距離端への変倍に際し、第１レンズ群と第２レンズ群の間隔が増大し、第２レンズ群と後続レンズ群の間隔が減少し、
第２レンズ群は、物体側から順に、正の屈折力の第２ａレンズ群と、負の屈折力の第２ｂレンズ群と、負の屈折力の第２ｃレンズ群とから構成されており、
無限遠から近距離へのフォーカシングに際し、第２ｂレンズ群が像側に移動すると共に、第２ａレンズ群と第２ｂレンズ群の間隔、及び、第２ｂレンズ群と第２ｃレンズ群の間隔が変化する、
ことを特徴とするズームレンズ系。
【請求項２】
第２ａレンズ群と第２ｂレンズ群の合成光学系を第２ａｂレンズ群と規定し、第２ｂレンズ群と第２ｃレンズ群の合成光学系を第２ｂｃレンズ群と規定したときに、
次の条件式（１）、（２）、（３）、（４）、（５）、（６）の少なくとも１つを満足することを特徴とする請求項１に記載のズームレンズ系。
（１）０．３＜Ｄ２ｂｃ／（−ｆ２）＜１．０
（２）０．３＜Ｄ２ｂｃ／Ｄ２＜１．０
（３）０．３＜Ｈ２＿２ｂｃ／（−ｆ２ｂｃ）
（４）０．２＜ＨＨ＿２ｂｃ／（−ｆ２ｂｃ）
（５）０＜Ｈ１＿２／Ｄ２＜０．９
（６）０＜Ｈ１＿２ａｂ／Ｄ２＜１．０
但し、
Ｄ２ｂｃ：無限遠合焦時における第２ｂレンズ群と第２ｃレンズ群の間隔、
ｆ２：第２レンズ群の焦点距離、
Ｄ２：第２レンズ群の光軸上の厚み、
Ｈ２＿２ｂｃ：第２ｂｃレンズ群の最も像側の面から第２ｂｃレンズ群の後側主点位置までの光軸上の距離、
ｆ２ｂｃ：無限遠合焦時における第２ｂｃレンズ群の焦点距離、
ＨＨ＿２ｂｃ：第２ｂｃレンズ群の主点間隔であって前側主点位置から後側主点位置までの光軸上の距離、
Ｈ１＿２：第２レンズ群の最も物体側の面から前側主点位置までの光軸上の距離、
Ｈ１＿２ａｂ：第２ａｂレンズ群の最も物体側の面から前側主点位置までの光軸上の距離。
【請求項３】
第２ｃレンズ群は、少なくとも２枚の負レンズと少なくとも１枚の正レンズとを有していることを特徴とする請求項１又は請求項２に記載のズームレンズ系。
【請求項４】
次の条件式（７）を満足することを特徴とする請求項１から請求項３のいずれかに記載のズームレンズ系。
（７）１．５＜ｆ２ａ／（−ｆ２ｂ）＜６．５
但し、
ｆ２ａ：第２ａレンズ群の焦点距離、
ｆ２ｂ：第２ｂレンズ群の焦点距離。
【請求項５】
次の条件式（８）を満足することを特徴とする請求項１から請求項４のいずれかに記載のズームレンズ系。
（８）０．５＜ｆ２ｂ／ｆ２ｃ＜２．５
但し、
ｆ２ｂ：第２ｂレンズ群の焦点距離、
ｆ２ｃ：第２ｃレンズ群の焦点距離。
【請求項６】
第２ｂレンズ群と第２ｃレンズ群の合成光学系を第２ｂｃレンズ群と規定したときに、次の条件式（９）を満足することを特徴とする請求項１から請求項５のいずれかに記載のズームレンズ系。
（９）４＜ｆ２ａ／（−ｆ２ｂｃ）＜２０
但し、
ｆ２ａ：第２ａレンズ群の焦点距離、
ｆ２ｂｃ：無限遠合焦時における第２ｂｃレンズ群の焦点距離。
【請求項７】
次の条件式（１０）を満足することを特徴とする請求項１から請求項６のいずれかに記載のズームレンズ系。
（１０）０．４＜（Ｒ２＿２ａ−Ｒ１＿２ａ）／（Ｒ２＿２ａ＋Ｒ１＿２ａ）＜３．０
但し、
Ｒ１＿２ａ：第２ａレンズ群の最も物体側の面の近軸曲率半径、
Ｒ２＿２ａ：第２ａレンズ群の最も像側の面の近軸曲率半径。
【請求項８】
次の条件式（１１）を満足することを特徴とする請求項１から請求項７のいずれかに記載のズームレンズ系。
（１１）０．４０＜｜Ｒ２＿２ａ｜／ｆ２ａ
但し、
Ｒ２＿２ａ：第２ａレンズ群の最も像側の面の近軸曲率半径、
ｆ２ａ：第２ａレンズ群の焦点距離。
【請求項９】
第２ａレンズ群は、少なくとも１枚の正レンズを有しており、次の条件式（１２）を満足することを特徴とする請求項１から請求項８のいずれかに記載のズームレンズ系。
（１２）４５＜２ａｐＭＡＸ＿νｄ
但し、
２ａｐＭＡＸ＿νｄ：第２ａレンズ群の正レンズのうちアッベ数が最も大きい正レンズの当該アッベ数。
【請求項１０】
第２ａレンズ群は、少なくとも１枚の負レンズを有していることを特徴とする請求項１から請求項９のいずれかに記載のズームレンズ系。
【請求項１１】
第２ａレンズ群は、少なくとも１枚の負レンズを有しており、次の条件式（１３）を満足することを特徴とする請求項１から請求項１０のいずれかに記載のズームレンズ系。
（１３）０．２＜（−ｆ２ａｎＭＡＸ）／ｆ２ａ
但し、
ｆ２ａｎＭＡＸ：第２ａレンズ群の負レンズのうち屈折力が最も大きい負レンズの焦点距離、
ｆ２ａ：第２ａレンズ群の焦点距離。
【請求項１２】
次の条件式（１４）を満足することを特徴とする請求項１から請求項１１のいずれかに記載のズームレンズ系。
（１４）０．４＜（Ｒ１＿２ｂ−Ｒ２＿２ｂ）／（Ｒ１＿２ｂ＋Ｒ２＿２ｂ）＜２．５
但し、
Ｒ１＿２ｂ：第２ｂレンズ群の最も物体側の面の近軸曲率半径、
Ｒ２＿２ｂ：第２ｂレンズ群の最も像側の面の近軸曲率半径。
【請求項１３】
第２ｂレンズ群は、最も物体側に位置する負レンズを有しており、次の条件式（１５）を満足することを特徴とする請求項１から請求項１２のいずれかに記載のズームレンズ系。
（１５）３０＜２ｂｎ＿νｄ
但し、
２ｂｎ＿νｄ：第２ｂレンズ群の最も物体側に位置する負レンズのアッベ数。
【請求項１４】
第２ｂレンズ群は、物体側から順に位置する１枚の負レンズと１枚の正レンズから構成されていることを特徴とする請求項１から請求項１３のいずれかに記載のズームレンズ系。
【請求項１５】
次の条件式（１６）を満足することを特徴とする請求項１４に記載のズームレンズ系。
（１６）０．１＜（−ｆ２ｂｎ）／ｆ２ｂｐ＜０．７
但し、
ｆ２ｂｎ：第２ｂレンズ群の負レンズの焦点距離、
ｆ２ｂｐ：第２ｂレンズ群の正レンズの焦点距離。
【請求項１６】
次の条件式（１７）を満足することを特徴とする請求項１４又は請求項１５に記載のズームレンズ系。
（１７）２０＜２ｂｎ＿νｄ−２ｂｐ＿νｄ
但し、
２ｂｎ＿νｄ：第２ｂレンズ群の負レンズのアッベ数、
２ｂｐ＿νｄ：第２ｂレンズ群の正レンズのアッベ数。
【請求項１７】
次の条件式（１８）を満足することを特徴とする請求項１から請求項１６のいずれかに記載のズームレンズ系。
（１８）ｆＷ／｜ｆ１−２ｂＷ｜＜０．５
但し、
ｆＷ：短焦点距離端における無限遠合焦時の全系の焦点距離、
ｆ１−２ｂＷ：短焦点距離端における無限遠合焦時の第１レンズ群から第２ｂレンズ群までの合成焦点距離。
【請求項１８】
次の条件式（１９）を満足することを特徴とする請求項１から請求項１７のいずれかに記載のズームレンズ系。
（１９）（１−Ｍ＿２ｂｔ２）・Ｍ＿２ｂＲｔ２＜−３．０
但し、
Ｍ＿２ｂｔ：長焦点距離端における無限遠合焦時の第２ｂレンズ群の横倍率、
Ｍ＿２ｂＲｔ：長焦点距離端における無限遠合焦時の第２ｂレンズ群より像側の全てのレンズ群の合成横倍率。
【請求項１９】
物体側から順に、正の屈折力の第１レンズ群と、負の屈折力の第２レンズ群と、後続レンズ群とから構成されており、
短焦点距離端から長焦点距離端への変倍に際し、第１レンズ群と第２レンズ群の間隔が増大し、第２レンズ群と後続レンズ群の間隔が減少し、
第２レンズ群は、物体側から順に、正の屈折力の第２ａレンズ群と、負の屈折力の第２ｂレンズ群と、負の屈折力の第２ｃレンズ群とから構成されており、
無限遠から近距離へのフォーカシングに際し、第２ｂレンズ群が像側に移動すると共に、第２ａレンズ群と第２ｂレンズ群の間隔、及び、第２ｂレンズ群と第２ｃレンズ群の間隔が変化する、
ことを特徴とするズームレンズ系を備えたレンズ鏡筒。
【請求項２０】
物体側から順に、正の屈折力の第１レンズ群と、負の屈折力の第２レンズ群と、後続レンズ群とから構成されており、
短焦点距離端から長焦点距離端への変倍に際し、第１レンズ群と第２レンズ群の間隔が増大し、第２レンズ群と後続レンズ群の間隔が減少し、
第２レンズ群は、物体側から順に、正の屈折力の第２ａレンズ群と、負の屈折力の第２ｂレンズ群と、負の屈折力の第２ｃレンズ群とから構成されており、
無限遠から近距離へのフォーカシングに際し、第２ｂレンズ群が像側に移動すると共に、第２ａレンズ群と第２ｂレンズ群の間隔、及び、第２ｂレンズ群と第２ｃレンズ群の間隔が変化する、
ことを特徴とするズームレンズ系を備えた撮像装置。
【発明の詳細な説明】
【技術分野】
【０００１】
本発明は、ズームレンズ系、レンズ鏡筒及び撮像装置に関する。
【背景技術】
【０００２】
従来、撮像装置であるデジタルカメラ（例えばデジタル一眼レフ用）に搭載されるズームレンズ系として、各種タイプが知られている。特に、望遠側（長焦点距離端側）の焦点距離を伸ばしたズームレンズ系としては、一般的に、最も物体側から順に、正、負、後群と続くポジティブリード型のズームタイプが使用されており、全ズーム・撮影距離範囲で高い光学性能を有した小型の光学系であることが要求されている。また、高速な自動合焦動作（オートフォーカス）とフォーカシングレンズ群の軽量化を図るために、重量の大きい前玉よりも中のレンズ群を動かすインナーフォーカス方式が一般的に既に知られている。
【０００３】
特許文献１には、正負正正の４群ズーム構成を有するズームレンズ系が記載されている。このズームレンズ系では、正の第１レンズ群を物体側に移動させることによりフォーカシングを行っている（正の第１レンズ群がフォーカシングレンズ群を構成している）。特許文献１のズームレンズ系は、撮影倍率の低下は発生し難いが、フォーカシングレンズの重量が大きくなり、高速ＡＦの実現が困難である。
【０００４】
特許文献２には、正負正正の４群ズーム構成を有するズームレンズ系が記載されている。このズームレンズ系では、正の第１レンズ群が第１Ａサブレンズ群と第１Ｂサブレンズ群に分けられている。従って、第１Ａサブレンズ群と第１Ｂサブレンズ群のいずれか一方を物体側に移動させることによりフォーカシングを行うことが考えられる。特許文献２のズームレンズ系は、特許文献１のズームレンズ系に比べて、フォーカシングレンズの枚数を少なくして軽量化を図ることが可能である。一方、レンズ外径はそれほど変わらないため、以前として重量の大きいフォーカシングレンズになり、高速ＡＦの実現が困難である。
【０００５】
特許文献３には、正負正正の４群ズーム構成を有するズームレンズ系が記載されている。このズームレンズ系では、負の第２レンズ群を物体側に移動させることによりフォーカシングを行っている（負の第２レンズ群がフォーカシングレンズ群を構成している）。特許文献３のズームレンズ系は、特許文献１、２のズームレンズ系よりレンズ外径を小さくすることができるが、フォーカシングレンズの枚数が多いため、ある程度の重量化は避けられない。また、望遠端（長焦点距離端）における無限遠撮影状態において、フォーカシングレンズ群である第２レンズ群と、その像側に配置される正の第３レンズ群とが近い位置にある。このように近接する第２レンズ群と第３レンズ群はある程度強い屈折力を持つため、フォーカシング時に第２レンズ群と第３レンズ群の間隔が変わることで変倍作用の影響が大きくなる結果、撮影倍率が低下しがちである。
【０００６】
特許文献４には、正負正正負の５群ズーム構成または正負正正負負の６群ズーム構成を有するズームレンズ系が記載されている。このズームレンズ系では、負の第５レンズ群を像側に移動させることによりフォーカシングを行っている（負の第５レンズ群がフォーカシングレンズ群を構成している）。フォーカシングレンズ群である第５レンズ群が像側に位置しているため、特許文献１、２のズームレンズ系に比べて、フォーカシングレンズ群の軽量化が可能であり、高速ＡＦにも適している。
【先行技術文献】
【特許文献】
【０００７】
【特許文献１】特開２０１０−２１７８３８号公報
【特許文献２】特開２０１１−１５８６３０号公報
【特許文献３】特許第４９１４９９１号公報
【特許文献４】特開２０１７−０１５９３０号公報
【発明の概要】
【発明が解決しようとする課題】
【０００８】
しかしながら、従来のズームレンズ系では、インナーフォーカス方式を採用した場合、フォーカシング時のレンズ移動量を減らして高速オートフォーカスを実現するためには、フォーカシングレンズ群及びそれに隣り合うレンズ群の屈折力が、フォーカシングレンズ群とは逆符号且つ比較的強い屈折力を有するものとなる（ならざるを得ない）。その結果、インナーフォーカス方式でフォーカシングを行うと、ピント合わせだけでなく変倍作用が起きてしまい、特に望遠側では遠景撮影時に比べ、近距離の被写体を撮影する際には焦点距離が短くなってしまう。このため、インナーフォーカス方式では、近距離の撮影時での撮影倍率が小さくなるという問題がある。
【０００９】
また、特許文献４のズームレンズ系は、無限遠撮影状態において、フォーカシングレンズ群である負の第５レンズ群と、その物体側に配置される正の第４レンズ群が近い位置にあり、両者ともある程度強い屈折力を持つ。このため、フォーカシング時に第４レンズ群と第５レンズ群の間隔が変わることで変倍作用の影響が大きくなる結果、撮影倍率が低下するという問題がある。
【００１０】
本発明は、以上の問題意識に基づいて完成されたものであり、フォーカシングを好適に行い、フォーカシングレンズ群ひいてはレンズ全系の小型化・軽量化を図り、近距離撮影における撮影倍率の低下を抑制可能なズームレンズ系、レンズ鏡筒及び撮像装置を提供することを目的とする。
【課題を解決するための手段】
【００１１】
本実施形態のズームレンズ系は、物体側から順に、正の屈折力の第１レンズ群と、負の屈折力の第２レンズ群と、後続レンズ群とから構成されており、短焦点距離端から長焦点距離端への変倍に際し、第１レンズ群と第２レンズ群の間隔が増大し、第２レンズ群と後続レンズ群の間隔が減少し、第２レンズ群は、物体側から順に、正の屈折力の第２ａレンズ群と、負の屈折力の第２ｂレンズ群と、負の屈折力の第２ｃレンズ群とから構成されており、無限遠から近距離へのフォーカシングに際し、第２ｂレンズ群が像側に移動すると共に、第２ａレンズ群と第２ｂレンズ群の間隔、及び、第２ｂレンズ群と第２ｃレンズ群の間隔が変化する、ことを特徴としている。
【００１２】
本実施形態のズームレンズ系は、第２ａレンズ群と第２ｂレンズ群の合成光学系を第２ａｂレンズ群と規定し、第２ｂレンズ群と第２ｃレンズ群の合成光学系を第２ｂｃレンズ群と規定したときに、次の条件式（１）、（２）、（３）、（４）、（５）、（６）の少なくとも１つを満足することが好ましい。
（１）０．３＜Ｄ２ｂｃ／（−ｆ２）＜１．０
（２）０．３＜Ｄ２ｂｃ／Ｄ２＜１．０
（３）０．３＜Ｈ２＿２ｂｃ／（−ｆ２ｂｃ）
（４）０．２＜ＨＨ＿２ｂｃ／（−ｆ２ｂｃ）
（５）０＜Ｈ１＿２／Ｄ２＜０．９
（６）０＜Ｈ１＿２ａｂ／Ｄ２＜１．０
但し、
Ｄ２ｂｃ：無限遠合焦時における第２ｂレンズ群と第２ｃレンズ群の間隔、
ｆ２：第２レンズ群の焦点距離、
Ｄ２：第２レンズ群の光軸上の厚み、
Ｈ２＿２ｂｃ：第２ｂｃレンズ群の最も像側の面から第２ｂｃレンズ群の後側主点位置までの光軸上の距離、
ｆ２ｂｃ：無限遠合焦時における第２ｂｃレンズ群の焦点距離、
ＨＨ＿２ｂｃ：第２ｂｃレンズ群の主点間隔であって前側主点位置から後側主点位置までの光軸上の距離、
Ｈ１＿２：第２レンズ群の最も物体側の面から前側主点位置までの光軸上の距離、
Ｈ１＿２ａｂ：第２ａｂレンズ群の最も物体側の面から前側主点位置までの光軸上の距離、
である。
【００１３】
以下では、条件式（１）、（２）、（３）、（４）、（５）、（６）の各々について、説明する。
【００１４】
本実施形態のズームレンズ系は、次の条件式（１）を満足することが好ましい。
（１）０．３＜Ｄ２ｂｃ／（−ｆ２）＜１．０
但し、
Ｄ２ｂｃ：無限遠合焦時における第２ｂレンズ群と第２ｃレンズ群の間隔（第２ｂレンズ群の最も像側の面頂点から第２ｃレンズ群の最も物体側の面頂点までの光軸上の距離）、
ｆ２：第２レンズ群の焦点距離、
である。
【００１５】
条件式（１）の条件式範囲の中でも、次の条件式（１’）を満足することがより好ましい。
（１’）０．４＜Ｄ２ｂｃ／（−ｆ２）＜１．０
【００１６】
本実施形態のズームレンズ系は、次の条件式（２）を満足することが好ましい。
（２）０．３＜Ｄ２ｂｃ／Ｄ２＜１．０
但し、
Ｄ２ｂｃ：無限遠合焦時における第２ｂレンズ群と第２ｃレンズ群の間隔（第２ｂレンズ群の最も像側の面頂点から第２ｃレンズ群の最も物体側の面頂点までの光軸上の距離）、
Ｄ２：第２レンズ群の光軸上の厚み、
である。
【００１７】
本実施形態のズームレンズ系は、第２ｂレンズ群と第２ｃレンズ群の合成光学系を第２ｂｃレンズ群と規定したときに、次の条件式（３）を満足することが好ましい。
（３）０．３＜Ｈ２＿２ｂｃ／（−ｆ２ｂｃ）
但し、
Ｈ２＿２ｂｃ：第２ｂｃレンズ群の最も像側の面から第２ｂｃレンズ群の後側主点位置までの光軸上の距離、
ｆ２ｂｃ：無限遠合焦時における第２ｂｃレンズ群の焦点距離、
である。
【００１８】
条件式（３）の条件式範囲の中でも、次の条件式（３’）を満足することがより好ましい。
（３’）０．４＜Ｈ２＿２ｂｃ／（−ｆ２ｂｃ）＜１．０
【００１９】
本実施形態のズームレンズ系は、第２ｂレンズ群と第２ｃレンズ群の合成光学系を第２ｂｃレンズ群と規定したときに、次の条件式（４）を満足することが好ましい。
（４）０．２＜ＨＨ＿２ｂｃ／（−ｆ２ｂｃ）
但し、
ＨＨ＿２ｂｃ：第２ｂｃレンズ群の主点間隔であって前側主点位置から後側主点位置までの光軸上の距離、
ｆ２ｂｃ：無限遠合焦時における第２ｂｃレンズ群の焦点距離、
である。
【００２０】
条件式（４）の条件式範囲の中でも、次の条件式（４’）を満足することがより好ましい。
（４’）０．３＜ＨＨ＿２ｂｃ／（−ｆ２ｂｃ）＜１．０
【００２１】
本実施形態のズームレンズ系は、次の条件式（５）を満足することが好ましい。
（５）０＜Ｈ１＿２／Ｄ２＜０．９
但し、
Ｈ１＿２：第２レンズ群の最も物体側の面から前側主点位置までの光軸上の距離、
Ｄ２：第２レンズ群の光軸上の厚み、
である。
【００２２】
条件式（５）の条件式範囲の中でも、次の条件式（５’）を満足することがより好ましい。
（５’）０．４＜Ｈ１＿２／Ｄ２＜０．９
【００２３】
本実施形態のズームレンズ系は、第２ａレンズ群と第２ｂレンズ群の合成光学系を第２ａｂレンズ群と規定したときに、次の条件式（６）を満足することが好ましい。
（６）０＜Ｈ１＿２ａｂ／Ｄ２＜１．０
但し、
Ｈ１＿２ａｂ：第２ａｂレンズ群の最も物体側の面から前側主点位置までの光軸上の距離、
Ｄ２：第２レンズ群の光軸上の厚み、
である。
【００２４】
条件式（６）の条件式範囲の中でも、次の条件式（６’）を満足することがより好ましい。
（６’）０．２＜Ｈ１＿２ａｂ／Ｄ２＜０．８
【００２５】
第２ｃレンズ群は、少なくとも２枚の負レンズと少なくとも１枚の正レンズとを有していてもよい。
【００２６】
本実施形態のズームレンズ系は、次の条件式（７）を満足することが好ましい。
（７）１．５＜ｆ２ａ／（−ｆ２ｂ）＜６．５
但し、
ｆ２ａ：第２ａレンズ群の焦点距離、
ｆ２ｂ：第２ｂレンズ群の焦点距離、
である。
【００２７】
条件式（７）の条件式範囲の中でも、次の条件式（７’）を満足することがより好ましい。
（７’）２．０＜ｆ２ａ／（−ｆ２ｂ）＜６．０
【００２８】
本実施形態のズームレンズ系は、次の条件式（８）を満足することが好ましい。
（８）０．５＜ｆ２ｂ／ｆ２ｃ＜２．５
但し、
ｆ２ｂ：第２ｂレンズ群の焦点距離、
ｆ２ｃ：第２ｃレンズ群の焦点距離、
である。
【００２９】
条件式（８）の条件式範囲の中でも、次の条件式（８’）を満足することがより好ましい。
（８’）０．８＜ｆ２ｂ／ｆ２ｃ＜２．０
【００３０】
本実施形態のズームレンズ系は、第２ｂレンズ群と第２ｃレンズ群の合成光学系を第２ｂｃレンズ群と規定したときに、次の条件式（９）を満足することが好ましい。
（９）４＜ｆ２ａ／（−ｆ２ｂｃ）＜２０
但し、
ｆ２ａ：第２ａレンズ群の焦点距離、
ｆ２ｂｃ：無限遠合焦時における第２ｂｃレンズ群の焦点距離、
である。
【００３１】
条件式（９）の条件式範囲の中でも、次の条件式（９’）を満足することがより好ましい。
（９’）５＜ｆ２ａ／（−ｆ２ｂｃ）＜１８
【００３２】
本実施形態のズームレンズ系は、次の条件式（１０）を満足することが好ましい。
（１０）０．４＜（Ｒ２＿２ａ−Ｒ１＿２ａ）／（Ｒ２＿２ａ＋Ｒ１＿２ａ）＜３．０
但し、
Ｒ１＿２ａ：第２ａレンズ群の最も物体側の面の近軸曲率半径、
Ｒ２＿２ａ：第２ａレンズ群の最も像側の面の近軸曲率半径、
である。
【００３３】
条件式（１０）の条件式範囲の中でも、次の条件式（１０’）を満足することがより好ましい。
（１０’）０．４＜（Ｒ２＿２ａ−Ｒ１＿２ａ）／（Ｒ２＿２ａ＋Ｒ１＿２ａ）＜２．５
【００３４】
本実施形態のズームレンズ系は、次の条件式（１１）を満足することが好ましい。
（１１）０．４０＜｜Ｒ２＿２ａ｜／ｆ２ａ
但し、
Ｒ２＿２ａ：第２ａレンズ群の最も像側の面の近軸曲率半径、
ｆ２ａ：第２ａレンズ群の焦点距離、
である。
【００３５】
条件式（１１）の条件式範囲の中でも、次の条件式（１１’）、さらに次の条件式（１１”）を満足することがより好ましい。
（１１’）１．０＜｜Ｒ２＿２ａ｜／ｆ２ａ＜３．０
（１１”）１．２＜｜Ｒ２＿２ａ｜／ｆ２ａ＜３．０
【００３６】
第２ａレンズ群は、少なくとも１枚の正レンズを有しており、次の条件式（１２）を満足することがこのましい。
（１２）４５＜２ａｐＭＡＸ＿νｄ
但し、
２ａｐＭＡＸ＿νｄ：第２ａレンズ群の正レンズのうちアッベ数が最も大きい正レンズの当該アッベ数、
である。
【００３７】
条件式（１２）の条件式範囲の中でも、次の条件式（１２’）、さらに次の条件式（１２”）を満足することがより好ましい。
（１２’）５０＜２ａｐＭＡＸ＿νｄ
（１２”）５５＜２ａｐＭＡＸ＿νｄ
【００３８】
第２ａレンズ群は、少なくとも１枚の負レンズを有していてもよい。
【００３９】
第２ａレンズ群は、少なくとも１枚の負レンズを有しており、次の条件式（１３）を満足することを特徴としている。
（１３）０．２＜（−ｆ２ａｎＭＡＸ）／ｆ２ａ
但し、
ｆ２ａｎＭＡＸ：第２ａレンズ群の負レンズのうち屈折力が最も大きい負レンズの焦点距離、
ｆ２ａ：第２ａレンズ群の焦点距離、
である。
【００４０】
条件式（１３）の条件式範囲の中でも、次の条件式（１３’）、さらに次の条件式（１３”）を満足することがより好ましい。
（１３’）０．５＜（−ｆ２ａｎＭＡＸ）／ｆ２ａ＜２．８
（１３”）０．７＜（−ｆ２ａｎＭＡＸ）／ｆ２ａ＜２．５
【００４１】
本実施形態のズームレンズ系は、次の条件式（１４）を満足することが好ましい。
（１４）０．４＜（Ｒ１＿２ｂ−Ｒ２＿２ｂ）／（Ｒ１＿２ｂ＋Ｒ２＿２ｂ）＜２．５
但し、
Ｒ１＿２ｂ：第２ｂレンズ群の最も物体側の面の近軸曲率半径、
Ｒ２＿２ｂ：第２ｂレンズ群の最も像側の面の近軸曲率半径、
である。
【００４２】
条件式（１４）の条件式範囲の中でも、次の条件式（１４’）さらに次の条件式（１４”）を満足することがより好ましい。
（１４’）０．５＜（Ｒ１＿２ｂ−Ｒ２＿２ｂ）／（Ｒ１＿２ｂ＋Ｒ２＿２ｂ）＜２．０
（１４”）０．６＜（Ｒ１＿２ｂ−Ｒ２＿２ｂ）／（Ｒ１＿２ｂ＋Ｒ２＿２ｂ）＜１．６
【００４３】
第２ｂレンズ群は、最も物体側に位置する負レンズを有しており、次の条件式（１５）を満足することが好ましい。
（１５）３０＜２ｂｎ＿νｄ
但し、
２ｂｎ＿νｄ：第２ｂレンズ群の最も物体側に位置する負レンズのアッベ数、
である。
【００４４】
条件式（１５）の条件式範囲の中でも、次の条件式（１５’）、さらに次の条件式（１５”）を満足することがより好ましい。
（１５’）４０＜２ｂｎ＿νｄ
（１５”）４５＜２ｂｎ＿νｄ
【００４５】
第２ｂレンズ群は、物体側から順に位置する１枚の負レンズと１枚の正レンズから構成されていてもよい。
【００４６】
本実施形態のズームレンズ系は、次の条件式（１６）を満足することが好ましい。
（１６）０．１＜（−ｆ２ｂｎ）／ｆ２ｂｐ＜０．７
但し、
ｆ２ｂｎ：第２ｂレンズ群の負レンズの焦点距離、
ｆ２ｂｐ：第２ｂレンズ群の正レンズの焦点距離、
である。
【００４７】
条件式（１６）の条件式範囲の中でも、次の条件式（１６’）、さらに次の条件式（１６”）を満足することがより好ましい。
（１６’）０．４＜（−ｆ２ｂｎ）／ｆ２ｂｐ＜０．７
（１６”）０．４＜（−ｆ２ｂｎ）／ｆ２ｂｐ＜０．５
【００４８】
本実施形態のズームレンズ系は、次の条件式（１７）を満足することが好ましい。
（１７）２０＜２ｂｎ＿νｄ−２ｂｐ＿νｄ
但し、
２ｂｎ＿νｄ：第２ｂレンズ群の負レンズのアッベ数、
２ｂｐ＿νｄ：第２ｂレンズ群の正レンズのアッベ数、
である。
【００４９】
条件式（１７）の条件式範囲の中でも、次の条件式（１７’）を満足することがより好ましい。
（１７’）２４＜２ｂｎ＿νｄ−２ｂｐ＿νｄ
【００５０】
本実施形態のズームレンズ系は、次の条件式（１８）を満足することが好ましい。
（１８）ｆＷ／｜ｆ１−２ｂＷ｜＜０．５
但し、
ｆＷ：短焦点距離端における無限遠合焦時の全系の焦点距離、
ｆ１−２ｂＷ：短焦点距離端における無限遠合焦時の第１レンズ群から第２ｂレンズ群までの合成焦点距離、
である。
【００５１】
条件式（１８）の条件式範囲の中でも、次の条件式（１８’）さらに次の条件式（１８”）を満足することがより好ましい。
（１８’）ｆＷ／｜ｆ１−２ｂＷ｜＜０．４
（１８”）ｆＷ／｜ｆ１−２ｂＷ｜＜０．３
【００５２】
本実施形態のズームレンズ系は、次の条件式（１９）を満足することが好ましい。
（１９）（１−Ｍ＿２ｂｔ２）・Ｍ＿２ｂＲｔ２＜−３．０
但し、
Ｍ＿２ｂｔ：長焦点距離端における無限遠合焦時の第２ｂレンズ群の横倍率、
Ｍ＿２ｂＲｔ：長焦点距離端における無限遠合焦時の第２ｂレンズ群より像側の全てのレンズ群の合成横倍率、
である。
【００５３】
条件式（１９）の条件式範囲の中でも、次の条件式（１９’）、さらに次の条件式（１９”）を満足することがより好ましい。
（１９’）（１−Ｍ＿２ｂｔ２）・Ｍ＿２ｂＲｔ２＜−５．０
（１９”）（１−Ｍ＿２ｂｔ２）・Ｍ＿２ｂＲｔ２＜−８．０
【００５４】
第２ｂレンズ群より像側に、光軸直交成分を含む方向に移動して結像位置を変位させる防振レンズ群を有していてもよい。
【００５５】
本実施形態のズームレンズ系は、次の条件式（２０）を満足することが好ましい。
（２０）０．９＜｜（１−Ｍ＿ＳＲｔ）・Ｍ＿ＳＲＲｔ｜＜３．５
但し、
Ｍ＿ＳＲｔ：長焦点距離端における無限遠合焦時の防振レンズ群の横倍率、
Ｍ＿ＳＲＲｔ：長焦点距離端における無限遠合焦時の防振レンズ群より像側の全てのレンズ群の合成横倍率、
である。
【００５６】
条件式（２０）の条件式範囲の中でも、次の条件式（２０’）、さらに次の条件式（２０”）を満足することがより好ましい。
（２０’）１．１＜｜（１−Ｍ＿ＳＲｔ）・Ｍ＿ＳＲＲｔ｜＜３．０
（２０”）１．２＜｜（１−Ｍ＿ＳＲｔ）・Ｍ＿ＳＲＲｔ｜＜２．５
【００５７】
本実施形態のズームレンズ系は、次の条件式（２１）を満足することが好ましい。
（２１）０．４＜ｆ２ｂ＜ｆＳＲ＜２．５
但し、
ｆ２ｂ：第２ｂレンズ群の焦点距離、
ｆＳＲ：防振レンズ群の焦点距離、
である。
【００５８】
条件式（２１）の条件式範囲の中でも、次の条件式（２１’）、さらに次の条件式（２１”）を満足することがより好ましい。
（２１’）０．６＜ｆ２ｂ＜ｆＳＲ＜２．３
（２１”）０．８＜ｆ２ｂ＜ｆＳＲ＜２．０
【００５９】
防振レンズ群を含むレンズ群は、短焦点距離端から長焦点距離端への変倍に際し、光軸方向に移動しなくてもよい。
【００６０】
第２レンズ群は、短焦点距離端から長焦点距離端への変倍に際し、光軸方向に移動しなくてもよい。
【００６１】
第１レンズ群は、短焦点距離端から長焦点距離端への変倍に際し、光軸方向に移動しなくてもよい。
【００６２】
本実施形態のズームレンズ系は、次の条件式（２２）を満足することが好ましい。
（２２）０．８＜（ｆＴ／ｆＷ）／（Ｍ２Ｔ／Ｍ２Ｗ）＜３．５
但し、
ｆＴ：長焦点距離端における無限遠合焦時の全系の焦点距離、
ｆＷ：短焦点距離端における無限遠合焦時の全系の焦点距離、
Ｍ２Ｔ：長焦点距離端における無限遠合焦時の第２レンズ群の横倍率、
Ｍ２Ｗ：短焦点距離端における無限遠合焦時の第２レンズ群の横倍率、
である。
【００６３】
本実施形態のズームレンズ系は、次の条件式（２３）を満足することが好ましい。
（２３）０．２＜（−ｆ２）／ｆＷ＜０．８
但し、
ｆ２：第２レンズ群の焦点距離、
ｆＷ：短焦点距離端における無限遠合焦時の全系の焦点距離、
である。
【００６４】
本実施形態のズームレンズ系は、次の条件式（２４）を満足することが好ましい。
（２４）０．３＜ｆ１／ｆＴ＜１．１
但し、
ｆ１：第１レンズ群の焦点距離、
ｆＴ：長焦点距離端における無限遠合焦時の全系の焦点距離、
である。
【００６５】
本実施形態のズームレンズ系は、次の条件式（２５）を満足することが好ましい。
（２５）０．３＜ｆ１／（ｆＷ・ｆＴ）１／２＜３．０
但し、
ｆ１：第１レンズ群の焦点距離、
ｆＷ：短焦点距離端における無限遠合焦時の全系の焦点距離、
ｆＴ：長焦点距離端における無限遠合焦時の全系の焦点距離、
である。
【００６６】
本実施形態のズームレンズ系は、次の条件式（２６）を満足することが好ましい。
（２６）０．１＜（Ｄ１２Ｔ−Ｄ１２Ｗ）／（−ｆ２）＜１０．０
但し、
Ｄ１２Ｔ：長焦点距離端における無限遠合焦時の第１レンズ群と第２レンズ群の間隔（第１レンズ群の最も像側の屈折面から第２レンズ群の最も物体側の屈折面までの光軸上の距離）、
Ｄ１２Ｗ：短焦点距離端における無限遠合焦時の第１レンズ群と第２レンズ群の間隔（第１レンズ群の最も像側の屈折面から第２レンズ群の最も物体側の屈折面までの光軸上の距離）、
ｆ２：第２レンズ群の焦点距離、
である。
【００６７】
本実施形態のズームレンズ系は、次の条件式（２７）を満足することが好ましい。
（２７）０．１＜（Ｄ２ＲＷ−Ｄ２ＲＴ）／（−ｆ２）＜１０．０
但し、
Ｄ２ＲＷ：短焦点距離端における無限遠合焦時の第２レンズ群と後続レンズ群の間隔（第２レンズ群の最も像側の屈折面から後続レンズ群の最も物体側の屈折面までの光軸上の距離）、
Ｄ２ＲＴ：長焦点距離端における無限遠合焦時の第２レンズ群と後続レンズ群の間隔（第２レンズ群の最も像側の屈折面から後続レンズ群の最も物体側の屈折面までの光軸上の距離）、
ｆ２：第２レンズ群の焦点距離、
である。
【００６８】
本実施形態のズームレンズ系は、次の条件式（２８）を満足することが好ましい。
（２８）０．５＜（Ｒ１＿２ａ）／（Ｒ２＿２ｂ）＜１０．０
但し、
Ｒ１＿２ａ：第２ａレンズ群の最も物体側の面の近軸曲率半径、
Ｒ２＿２ｂ：第２ｂレンズ群の最も像側の面の近軸曲率半径、
である。
【００６９】
条件式（２８）の条件式範囲の中でも、次の条件式（２８’）、さらに次の条件式（２８”）を満足することがより好ましい。
（２８’）０．７＜（Ｒ１＿２ａ）／（Ｒ２＿２ｂ）＜８．０
（２８”）０．９＜（Ｒ１＿２ａ）／（Ｒ２＿２ｂ）＜５．０
【００７０】
本実施形態のレンズ鏡筒は、物体側から順に、正の屈折力の第１レンズ群と、負の屈折力の第２レンズ群と、後続レンズ群とから構成されており、短焦点距離端から長焦点距離端への変倍に際し、第１レンズ群と第２レンズ群の間隔が増大し、第２レンズ群と後続レンズ群の間隔が減少し、第２レンズ群は、物体側から順に、正の屈折力の第２ａレンズ群と、負の屈折力の第２ｂレンズ群と、負の屈折力の第２ｃレンズ群とから構成されており、無限遠から近距離へのフォーカシングに際し、第２ｂレンズ群が像側に移動すると共に、第２ａレンズ群と第２ｂレンズ群の間隔、及び、第２ｂレンズ群と第２ｃレンズ群の間隔が変化する、ことを特徴とするズームレンズ系を備えることを特徴としている。
【００７１】
本実施形態の撮像装置は、物体側から順に、正の屈折力の第１レンズ群と、負の屈折力の第２レンズ群と、後続レンズ群とから構成されており、短焦点距離端から長焦点距離端への変倍に際し、第１レンズ群と第２レンズ群の間隔が増大し、第２レンズ群と後続レンズ群の間隔が減少し、第２レンズ群は、物体側から順に、正の屈折力の第２ａレンズ群と、負の屈折力の第２ｂレンズ群と、負の屈折力の第２ｃレンズ群とから構成されており、無限遠から近距離へのフォーカシングに際し、第２ｂレンズ群が像側に移動すると共に、第２ａレンズ群と第２ｂレンズ群の間隔、及び、第２ｂレンズ群と第２ｃレンズ群の間隔が変化する、ことを特徴とするズームレンズ系を備えることを特徴としている。
【発明の効果】
【００７２】
本発明によれば、フォーカシングを好適に行い、フォーカシングレンズ群ひいてはレンズ全系の小型化・軽量化を図り、近距離撮影における撮影倍率の低下を抑制可能なズームレンズ系、レンズ鏡筒及び撮像装置を提供することができる。
【図面の簡単な説明】
【００７３】
【図１】数値実施例１によるズームレンズ系の変倍時の移動軌跡、フォーカシング時の移動軌跡及び防振駆動時の移動軌跡を示す概念図である。
【図２】数値実施例２によるズームレンズ系の変倍時の移動軌跡、フォーカシング時の移動軌跡及び防振駆動時の移動軌跡を示す概念図である。
【図３】数値実施例３によるズームレンズ系の変倍時の移動軌跡、フォーカシング時の移動軌跡及び防振駆動時の移動軌跡を示す概念図である。
【図４】数値実施例４によるズームレンズ系の変倍時の移動軌跡、フォーカシング時の移動軌跡及び防振駆動時の移動軌跡を示す概念図である。
【図５】数値実施例５によるズームレンズ系の変倍時の移動軌跡、フォーカシング時の移動軌跡及び防振駆動時の移動軌跡を示す概念図である。
【図６】数値実施例６によるズームレンズ系の変倍時の移動軌跡、フォーカシング時の移動軌跡及び防振駆動時の移動軌跡を示す概念図である。
【図７】数値実施例７によるズームレンズ系の変倍時の移動軌跡、フォーカシング時の移動軌跡及び防振駆動時の移動軌跡を示す概念図である。
【図８】数値実施例８によるズームレンズ系の変倍時の移動軌跡、フォーカシング時の移動軌跡及び防振駆動時の移動軌跡を示す概念図である。
【図９】数値実施例１によるズームレンズ系の短焦点距離端における無限遠合焦時のレンズ構成図である。
【図１０】数値実施例１によるズームレンズ系の短焦点距離端における無限遠合焦時の縦収差図である。
【図１１】数値実施例１によるズームレンズ系の短焦点距離端における１．２ｍ合焦時の縦収差図である。
【図１２】数値実施例１によるズームレンズ系の短焦点距離端における無限遠合焦時の横収差図である。
【図１３】数値実施例１によるズームレンズ系の短焦点距離端における１．２ｍ合焦時の横収差図である。
【図１４】図１２の防振駆動時の横収差図である。
【図１５】数値実施例１によるズームレンズ系の長焦点距離端における無限遠合焦時の縦収差図である。
【図１６】数値実施例１によるズームレンズ系の長焦点距離端における１．２ｍ合焦時の縦収差図である。
【図１７】数値実施例１によるズームレンズ系の長焦点距離端における無限遠合焦時の横収差図である。
【図１８】数値実施例１によるズームレンズ系の長焦点距離端における１．２ｍ合焦時の横収差図である。
【図１９】図１７の防振駆動時（±０．３°）の横収差図である。
【図２０】数値実施例２によるズームレンズ系の短焦点距離端における無限遠合焦時のレンズ構成図である。
【図２１】数値実施例２によるズームレンズ系の短焦点距離端における無限遠合焦時の縦収差図である。
【図２２】数値実施例２によるズームレンズ系の短焦点距離端における１．２ｍ合焦時の縦収差図である。
【図２３】数値実施例２によるズームレンズ系の短焦点距離端における無限遠合焦時の横収差図である。
【図２４】数値実施例２によるズームレンズ系の短焦点距離端における１．２ｍ合焦時の横収差図である。
【図２５】図２３の防振駆動時の横収差図である。
【図２６】数値実施例２によるズームレンズ系の長焦点距離端における無限遠合焦時の縦収差図である。
【図２７】数値実施例２によるズームレンズ系の長焦点距離端における１．２ｍ合焦時の縦収差図である。
【図２８】数値実施例２によるズームレンズ系の長焦点距離端における無限遠合焦時の横収差図である。
【図２９】数値実施例２によるズームレンズ系の長焦点距離端における１．２ｍ合焦時の横収差図である。
【図３０】図２８の防振駆動時（±０．３°）の横収差図である。
【図３１】数値実施例３によるズームレンズ系の短焦点距離端における無限遠合焦時のレンズ構成図である。
【図３２】数値実施例３によるズームレンズ系の短焦点距離端における無限遠合焦時の縦収差図である。
【図３３】数値実施例３によるズームレンズ系の短焦点距離端における１．２ｍ合焦時の縦収差図である。
【図３４】数値実施例３によるズームレンズ系の短焦点距離端における無限遠合焦時の横収差図である。
【図３５】数値実施例３によるズームレンズ系の短焦点距離端における１．２ｍ合焦時の横収差図である。
【図３６】図３４の防振駆動時の横収差図である。
【図３７】数値実施例３によるズームレンズ系の長焦点距離端における無限遠合焦時の縦収差図である。
【図３８】数値実施例３によるズームレンズ系の長焦点距離端における１．２ｍ合焦時の縦収差図である。
【図３９】数値実施例３によるズームレンズ系の長焦点距離端における無限遠合焦時の横収差図である。
【図４０】数値実施例３によるズームレンズ系の長焦点距離端における１．２ｍ合焦時の横収差図である。
【図４１】図４０の防振駆動時（±０．３°）の横収差図である。
【図４２】数値実施例４によるズームレンズ系の短焦点距離端における無限遠合焦時のレンズ構成図である。
【図４３】数値実施例４によるズームレンズ系の短焦点距離端における無限遠合焦時の縦収差図である。
【図４４】数値実施例４によるズームレンズ系の短焦点距離端における１．２ｍ合焦時の縦収差図である。
【図４５】数値実施例４によるズームレンズ系の短焦点距離端における無限遠合焦時の横収差図である。
【図４６】数値実施例４によるズームレンズ系の短焦点距離端における１．２ｍ合焦時の横収差図である。
【図４７】図４５の防振駆動時の横収差図である。
【図４８】数値実施例４によるズームレンズ系の長焦点距離端における無限遠合焦時の縦収差図である。
【図４９】数値実施例４によるズームレンズ系の長焦点距離端における１．２ｍ合焦時の縦収差図である。
【図５０】数値実施例４によるズームレンズ系の長焦点距離端における無限遠合焦時の横収差図である。
【図５１】数値実施例４によるズームレンズ系の長焦点距離端における１．２ｍ合焦時の横収差図である。
【図５２】図５０の防振駆動時（±０．３°）の横収差図である。
【図５３】数値実施例５によるズームレンズ系の短焦点距離端における無限遠合焦時のレンズ構成図である。
【図５４】数値実施例５によるズームレンズ系の短焦点距離端における無限遠合焦時の縦収差図である。
【図５５】数値実施例５によるズームレンズ系の短焦点距離端における１．２ｍ合焦時の縦収差図である。
【図５６】数値実施例５によるズームレンズ系の短焦点距離端における無限遠合焦時の横収差図である。
【図５７】数値実施例５によるズームレンズ系の短焦点距離端における１．２ｍ合焦時の横収差図である。
【図５８】図５６の防振駆動時の横収差図である。
【図５９】数値実施例５によるズームレンズ系の長焦点距離端における無限遠合焦時の縦収差図である。
【図６０】数値実施例５によるズームレンズ系の長焦点距離端における１．２ｍ合焦時の縦収差図である。
【図６１】数値実施例５によるズームレンズ系の長焦点距離端における無限遠合焦時の横収差図である。
【図６２】数値実施例５によるズームレンズ系の長焦点距離端における１．２ｍ合焦時の横収差図である。
【図６３】図６１の防振駆動時（±０．３°）の横収差図である。
【図６４】数値実施例６によるズームレンズ系の短焦点距離端における無限遠合焦時のレンズ構成図である。
【図６５】数値実施例６によるズームレンズ系の短焦点距離端における無限遠合焦時の縦収差図である。
【図６６】数値実施例６によるズームレンズ系の短焦点距離端における１．２ｍ合焦時の縦収差図である。
【図６７】数値実施例６によるズームレンズ系の短焦点距離端における無限遠合焦時の横収差図である。
【図６８】数値実施例６によるズームレンズ系の短焦点距離端における１．２ｍ合焦時の横収差図である。
【図６９】図６７の防振駆動時の横収差図である。
【図７０】数値実施例６によるズームレンズ系の長焦点距離端における無限遠合焦時の縦収差図である。
【図７１】数値実施例６によるズームレンズ系の長焦点距離端における１．２ｍ合焦時の縦収差図である。
【図７２】数値実施例６によるズームレンズ系の長焦点距離端における無限遠合焦時の横収差図である。
【図７３】数値実施例６によるズームレンズ系の長焦点距離端における１．２ｍ合焦時の横収差図である。
【図７４】図７２の防振駆動時（±０．３°）の横収差図である。
【図７５】数値実施例７によるズームレンズ系の短焦点距離端における無限遠合焦時のレンズ構成図である。
【図７６】数値実施例７によるズームレンズ系の短焦点距離端における無限遠合焦時の縦収差図である。
【図７７】数値実施例７によるズームレンズ系の短焦点距離端における１．２ｍ合焦時の縦収差図である。
【図７８】数値実施例７によるズームレンズ系の短焦点距離端における無限遠合焦時の横収差図である。
【図７９】数値実施例７によるズームレンズ系の短焦点距離端における１．２ｍ合焦時の横収差図である。
【図８０】図７８の防振駆動時の横収差図である。
【図８１】数値実施例７によるズームレンズ系の長焦点距離端における無限遠合焦時の縦収差図である。
【図８２】数値実施例７によるズームレンズ系の長焦点距離端における１．２ｍ合焦時の縦収差図である。
【図８３】数値実施例７によるズームレンズ系の長焦点距離端における無限遠合焦時の横収差図である。
【図８４】数値実施例７によるズームレンズ系の長焦点距離端における１．２ｍ合焦時の横収差図である。
【図８５】図８３の防振駆動時（±０．３°）の横収差図である。
【図８６】数値実施例８によるズームレンズ系の短焦点距離端における無限遠合焦時のレンズ構成図である。
【図８７】数値実施例８によるズームレンズ系の短焦点距離端における無限遠合焦時の縦収差図である。
【図８８】数値実施例８によるズームレンズ系の短焦点距離端における１．２ｍ合焦時の縦収差図である。
【図８９】数値実施例８によるズームレンズ系の短焦点距離端における無限遠合焦時の横収差図である。
【図９０】数値実施例８によるズームレンズ系の短焦点距離端における１．２ｍ合焦時の横収差図である。
【図９１】図８９の防振駆動時の横収差図である。
【図９２】数値実施例８によるズームレンズ系の長焦点距離端における無限遠合焦時の縦収差図である。
【図９３】数値実施例８によるズームレンズ系の長焦点距離端における１．２ｍ合焦時の縦収差図である。
【図９４】数値実施例８によるズームレンズ系の長焦点距離端における無限遠合焦時の横収差図である。
【図９５】数値実施例８によるズームレンズ系の長焦点距離端における１．２ｍ合焦時の横収差図である。
【図９６】図９４の防振駆動時（±０．３°）の横収差図である。
【図９７】数値実施例９によるズームレンズ系の変倍時の移動軌跡、フォーカシング時の移動軌跡及び防振駆動時の移動軌跡を示す概念図である。
【図９８】数値実施例１０によるズームレンズ系の変倍時の移動軌跡、フォーカシング時の移動軌跡及び防振駆動時の移動軌跡を示す概念図である。
【図９９】数値実施例１１によるズームレンズ系の変倍時の移動軌跡、フォーカシング時の移動軌跡及び防振駆動時の移動軌跡を示す概念図である。
【図１００】数値実施例９によるズームレンズ系の短焦点距離端における無限遠合焦時のレンズ構成図である。
【図１０１】数値実施例９によるズームレンズ系の短焦点距離端における無限遠合焦時の縦収差図である。
【図１０２】数値実施例９によるズームレンズ系の短焦点距離端における１．２ｍ合焦時の縦収差図である。
【図１０３】数値実施例９によるズームレンズ系の短焦点距離端における無限遠合焦時の横収差図である。
【図１０４】数値実施例９によるズームレンズ系の短焦点距離端における１．２ｍ合焦時の横収差図である。
【図１０５】図１０３の防振駆動時の横収差図である。
【図１０６】数値実施例９によるズームレンズ系の長焦点距離端における無限遠合焦時の縦収差図である。
【図１０７】数値実施例９によるズームレンズ系の長焦点距離端における１．２ｍ合焦時の縦収差図である。
【図１０８】数値実施例９によるズームレンズ系の長焦点距離端における無限遠合焦時の横収差図である。
【図１０９】数値実施例９によるズームレンズ系の長焦点距離端における１．２ｍ合焦時の横収差図である。
【図１１０】図１０８の防振駆動時（±０．３°）の横収差図である。
【図１１１】数値実施例１０によるズームレンズ系の短焦点距離端における無限遠合焦時のレンズ構成図である。
【図１１２】数値実施例１０によるズームレンズ系の短焦点距離端における無限遠合焦時の縦収差図である。
【図１１３】数値実施例１０によるズームレンズ系の短焦点距離端における１．２ｍ合焦時の縦収差図である。
【図１１４】数値実施例１０によるズームレンズ系の短焦点距離端における無限遠合焦時の横収差図である。
【図１１５】数値実施例１０によるズームレンズ系の短焦点距離端における１．２ｍ合焦時の横収差図である。
【図１１６】図１１４の防振駆動時の横収差図である。
【図１１７】数値実施例１０によるズームレンズ系の長焦点距離端における無限遠合焦時の縦収差図である。
【図１１８】数値実施例１０によるズームレンズ系の長焦点距離端における１．２ｍ合焦時の縦収差図である。
【図１１９】数値実施例１０によるズームレンズ系の長焦点距離端における無限遠合焦時の横収差図である。
【図１２０】数値実施例１０によるズームレンズ系の長焦点距離端における１．２ｍ合焦時の横収差図である。
【図１２１】図１１９の防振駆動時（±０．３°）の横収差図である。
【図１２２】数値実施例１１によるズームレンズ系の短焦点距離端における無限遠合焦時のレンズ構成図である。
【図１２３】数値実施例１１によるズームレンズ系の短焦点距離端における無限遠合焦時の縦収差図である。
【図１２４】数値実施例１１によるズームレンズ系の短焦点距離端における１．２ｍ合焦時の縦収差図である。
【図１２５】数値実施例１１によるズームレンズ系の短焦点距離端における０．９ｍ合焦時の縦収差図である。
【図１２６】数値実施例１１によるズームレンズ系の短焦点距離端における無限遠合焦時の横収差図である。
【図１２７】数値実施例１１によるズームレンズ系の短焦点距離端における１．２ｍ合焦時の横収差図である。
【図１２８】数値実施例１１によるズームレンズ系の短焦点距離端における０．９ｍ合焦時の横収差図である。
【図１２９】図１２６の防振駆動時の横収差図である。
【図１３０】数値実施例１１によるズームレンズ系の長焦点距離端における無限遠合焦時の縦収差図である。
【図１３１】数値実施例１１によるズームレンズ系の長焦点距離端における１．２ｍ合焦時の縦収差図である。
【図１３２】数値実施例１１によるズームレンズ系の長焦点距離端における０．９ｍ合焦時の縦収差図である。
【図１３３】数値実施例１１によるズームレンズ系の長焦点距離端における無限遠合焦時の横収差図である。
【図１３４】数値実施例１１によるズームレンズ系の長焦点距離端における１．２ｍ合焦時の横収差図である。
【図１３５】数値実施例１１によるズームレンズ系の長焦点距離端における０．９ｍ合焦時の横収差図である。
【図１３６】図１３３の防振駆動時（±０．６°）の横収差図である。
【図１３７】本実施形態によるズームレンズ系を搭載したレンズ鏡筒（撮像装置）の外観構成の一例を示す図である。
【発明を実施するための形態】
【００７４】
図１〜図８及び図９７〜図９９は、数値実施例１〜数値実施例１１によるズームレンズ系の変倍時の移動軌跡、フォーカシング時の移動軌跡及び防振駆動時の移動軌跡を示す概念図である。図１〜図８及び図９７〜図９９は、短焦点距離端における無限遠合焦時のレンズ構成を基準にして描いている。
【００７５】
本実施形態によるズームレンズ系は、数値実施例１〜数値実施例８を通じて、物体側から順に、正の屈折力の第１レンズ群Ｇ１と、負の屈折力の第２レンズ群Ｇ２と、後続レンズ群ＧＲとから構成されている。
短焦点距離端から長焦点距離端への変倍に際し、第１レンズ群Ｇ１と第２レンズ群Ｇ２の間隔が増大し、第２レンズ群Ｇ２と後続レンズ群ＧＲの間隔が減少する。
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
無限遠から近距離へのフォーカシングに際し、第２ｂレンズ群Ｇ２ｂが像側に移動すると共に、第２ａレンズ群Ｇ２ａと第２ｂレンズ群Ｇ２ｂの間隔、及び、第２ｂレンズ群Ｇ２ｂと第２ｃレンズ群Ｇ２ｃの間隔が変化する（第２ｂレンズ群Ｇ２ｂがフォーカスレンズ群を構成する）。より具体的に、第２ａレンズ群Ｇ２ａと第２ｂレンズ群Ｇ２ｂの間隔が増大し、第２ｂレンズ群Ｇ２ｂと第２ｃレンズ群Ｇ２ｃの間隔が減少する。
後続レンズ群ＧＲよりも像側の撮像素子（図示略）の像面よりも前方には、平行平面板ＣＧが設けられている。この平行平面板ＣＧは、ローパスフィルタ、赤外カットフィルタ、撮像素子の撮像面を保護するカバーガラス等の機能を備えることができる。
【００７６】
上記のレンズ構成等は、数値実施例１〜数値実施例８に共通のものである。以下では、数値実施例１〜数値実施例８の個別のレンズ構成等について説明する。
【００７７】
図１の数値実施例１において、後続レンズ群ＧＲは、物体側から順に、正の屈折力の第３レンズ群Ｇ３と、負の屈折力の第４レンズ群Ｇ４と、正の屈折力の第５レンズ群Ｇ５とから構成されている（つまり正負正負正の５群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少するように、隣接する各レンズ群の間隔が変化する。
短焦点距離端から長焦点距離端への変倍に際し、第１レンズ群Ｇ１と第３レンズ群Ｇ３と第５レンズ群Ｇ５が物体側に移動し（繰り出され）、第２レンズ群Ｇ２と第４レンズ群Ｇ４が像面に対して固定されている。第３レンズ群Ｇ３と第５レンズ群Ｇ５は、同一軌跡を描いて物体側に移動する（繰り出される）。これにより、ズーミングに関するメカ構成を簡素化することができる。
第４レンズ群Ｇ４は、物体側から順に、正の屈折力の第４ａレンズ群Ｇ４ａと、負の屈折力の第４ｂレンズ群Ｇ４ｂとから構成されている。第４ｂレンズ群Ｇ４ｂは、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００７８】
図２、図３の数値実施例２、３において、後続レンズ群ＧＲは、物体側から順に、正の屈折力の第３レンズ群Ｇ３と、負の屈折力の第４レンズ群Ｇ４と、負の屈折力の第５レンズ群Ｇ５とから構成されている（つまり正負正負負の５群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少するように、隣接する各レンズ群の間隔が変化する。
短焦点距離端から長焦点距離端への変倍に際し、第１レンズ群Ｇ１と第３レンズ群Ｇ３と第５レンズ群Ｇ５が像面に対して物体側に移動し（繰り出され）、第２レンズ群Ｇ２と第４レンズ群Ｇ４が像面に対して固定されている。第３レンズ群Ｇ３と第５レンズ群Ｇ５は、同一軌跡を描いて物体側に移動する（繰り出される）。これにより、ズーミングに関するメカ構成を簡素化することができる。
第４レンズ群Ｇ４は、物体側から順に、正の屈折力の第４ａレンズ群Ｇ４ａと、負の屈折力の第４ｂレンズ群Ｇ４ｂとから構成されている。第４ｂレンズ群Ｇ４ｂは、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００７９】
図４の数値実施例４において、後続レンズ群ＧＲは、物体側から順に、正の屈折力の第３レンズ群Ｇ３と、正の屈折力の第４レンズ群Ｇ４と、負の屈折力の第５レンズ群Ｇ５と、負の屈折力の第６レンズ群Ｇ６とから構成されている（つまり正負正正負負の６群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化（増大又は減少）し、第４レンズ群Ｇ４と第５レンズ群Ｇ５の間隔が変化（増大又は減少）し、第５レンズ群Ｇ５と第６レンズ群Ｇ６の間隔が変化（増大又は減少）するように、隣接する各レンズ群の間隔が変化する。
短焦点距離端から長焦点距離端への変倍に際し、第１レンズ群Ｇ１と第３レンズ群Ｇ３と第４レンズ群Ｇ４と第５レンズ群Ｇ５と第６レンズ群Ｇ６が物体側に移動し（繰り出され）、第２レンズ群Ｇ２が像面に対して固定されている。第４レンズ群Ｇ４と第６レンズ群Ｇ６は、同一軌跡を描いて物体側に移動する（繰り出される）。これにより、ズーミングに関するメカ構成を簡素化することができる。
第２ｃレンズ群Ｇ２ｃは、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００８０】
図５の数値実施例５において、後続レンズ群ＧＲは、物体側から順に、正の屈折力の第３レンズ群Ｇ３と、負の屈折力の第４レンズ群Ｇ４と、負の屈折力の第５レンズ群Ｇ５とから構成されている（つまり正負正負負の５群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化（増大又は減少）し、第４レンズ群Ｇ４と第５レンズ群Ｇ５の間隔が変化（増大又は減少）するように、隣接する各レンズ群の間隔が変化する。
短焦点距離端から長焦点距離端への変倍に際し、第１レンズ群Ｇ１と第３レンズ群Ｇ３と第４レンズ群Ｇ４と第５レンズ群Ｇ５が物体側に移動し（繰り出され）、第２レンズ群Ｇ２が像面に対して固定されている。第３レンズ群Ｇ３と第５レンズ群Ｇ５は、同一軌跡を描いて物体側に移動する（繰り出される）。これにより、ズーミングに関するメカ構成を簡素化することができる。
第２ｃレンズ群Ｇ２ｃの一部のレンズ群は、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００８１】
図６の数値実施例６において、後続レンズ群ＧＲは、物体側から順に、正の屈折力の第３レンズ群Ｇ３と、正の屈折力の第４レンズ群Ｇ４とから構成されている（つまり正負正正の４群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化（増大又は減少）するように、隣接する各レンズ群の間隔が変化する。
短焦点距離端から長焦点距離端への変倍に際し、第１レンズ群Ｇ１と第４レンズ群Ｇ４が像面に対して固定されており、第２レンズ群Ｇ２が像側に移動し、第３レンズ群Ｇ３が一旦像側に移動した後に物体側に戻る（Ｕターンする）。
第４レンズ群Ｇ４は、物体側から順に、正の屈折力の第４ａレンズ群Ｇ４ａと、負の屈折力の第４ｂレンズ群Ｇ４ｂと、正の屈折力の第４ｃレンズ群Ｇ４ｃとから構成されている。第４ｂレンズ群Ｇ４ｂは、光軸直交成分を含む方向に移動して結像位置を変位させることにより像振れを補正する防振レンズ群である。
第３レンズ群Ｇ３と第４レンズ群Ｇ４の間（第４レンズ群Ｇ４の直前位置）には、光量調整用の絞りＳＰが設けられている。
【００８２】
図７、図８の数値実施例７、８において、後続レンズ群ＧＲは、物体側から順に、正の屈折力の第３レンズ群Ｇ３と、正の屈折力の第４レンズ群Ｇ４と、負の屈折力の第５レンズ群Ｇ５とから構成されている（つまり正負正正負の５群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が減少し、第４レンズ群Ｇ４と第５レンズ群Ｇ５の間隔が増大するように、隣接する各レンズ群の間隔が変化する。
短焦点距離端から長焦点距離端への変倍に際し、第１レンズ群Ｇ１と第３レンズ群Ｇ３と第５レンズ群Ｇ５が像面に対して固定されており、第２レンズ群Ｇ２が像側に移動し、第４レンズ群Ｇ４が物体側に移動する（繰り出される）。
第５レンズ群Ｇ５は、物体側から順に、正の屈折力の第５ａレンズ群Ｇ５ａと、負の屈折力の第５ｂレンズ群Ｇ５ｂと、正の屈折力の第５ｃレンズ群Ｇ５ｃとから構成されている。第５ｂレンズ群Ｇ５ｂは、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００８３】
図９７の数値実施例９において、後続レンズ群ＧＲは、物体側から順に、正の屈折力の第３レンズ群Ｇ３と、負の屈折力の第４レンズ群Ｇ４とから構成されている（つまり正負正負の４群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化（図９７の例では増大しているが減少してもよい）するように、隣接する各レンズ群の間隔が変化する。
短焦点距離端から長焦点距離端への変倍に際し、第１レンズ群Ｇ１と第２レンズ群Ｇ２と第３レンズ群Ｇ３と第４レンズ群Ｇ４が像面に対して物体側に移動する（繰り出される）。
第４レンズ群Ｇ４は、物体側から順に、正の屈折力の第４ａレンズ群Ｇ４ａと、負の屈折力の第４ｂレンズ群Ｇ４ｂと、正の屈折力の第４ｃレンズ群Ｇ４ｃとから構成されている。第４ｂレンズ群Ｇ４ｂは、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００８４】
図９８の数値実施例１０において、後続レンズ群ＧＲは、物体側から順に、正の屈折力の第３レンズ群Ｇ３と、正の屈折力の第４レンズ群Ｇ４とから構成されている（つまり正負正正の４群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化（図９８の例では増大しているが減少してもよい）するように、隣接する各レンズ群の間隔が変化する。
短焦点距離端から長焦点距離端への変倍に際し、第１レンズ群Ｇ１と第３レンズ群Ｇ３と第４レンズ群Ｇ４が像面に対して物体側に移動し（繰り出され）、第２レンズ群Ｇ２が像面に対して固定されている。
第４レンズ群Ｇ４は、物体側から順に、正の屈折力の第４ａレンズ群Ｇ４ａと、負の屈折力の第４ｂレンズ群Ｇ４ｂと、正の屈折力の第４ｃレンズ群Ｇ４ｃとから構成されている。第４ｂレンズ群Ｇ４ｂは、光軸直交成分を含む方向に移動して結像位置を変位させることにより像振れを補正する防振レンズ群である。
第２レンズ群Ｇ２と第３レンズ群Ｇ３の間（第３レンズ群Ｇ３の直前位置）には、光量調整用の絞りＳＰが設けられている。
【００８５】
図９９の数値実施例１１において、後続レンズ群ＧＲは、物体側から順に、正の屈折力の第３レンズ群Ｇ３と、正の屈折力の第４レンズ群Ｇ４と、負の屈折力の第５レンズ群Ｇ５と、正の屈折力の第６レンズ群Ｇ６とから構成されている（正負正正負正の６群ズームレンズ構成となる）。
短焦点距離端から長焦点距離端への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が変化し、第４レンズ群Ｇ４と第５レンズ群Ｇ５の間隔が変化し、第５レンズ群Ｇ５と第６レンズ群Ｇ６の間隔が変化するように、隣接する各レンズ群の間隔が変化する。
短焦点距離端から長焦点距離端への変倍に際し、第１レンズ群Ｇ１と第３レンズ群Ｇ３と第４レンズ群Ｇ４と第５レンズ群Ｇ５と第６レンズ群Ｇ６が像面に対して物体側に移動し（繰り出され）、第２レンズ群Ｇ２が像面に対して固定されている。第４レンズ群Ｇ４と第６レンズ群Ｇ６は、同一軌跡を描いて物体側に移動する（繰り出される）。これにより、ズーミングに関するメカ構成を簡素化することができる。
第２ｃレンズ群Ｇ２ｃは、光軸直交成分を含む方向に移動して結像位置を変位させることにより像振れを補正する防振レンズ群（第１の防振レンズ群）である。また、第５レンズ群Ｇ５は、光軸直交成分を含む方向に移動して結像位置を変位させることにより像振れを補正する防振レンズ群（第２の防振レンズ群）である。第２ｃレンズ群Ｇ２ｃ（第１の防振レンズ群）と第５レンズ群Ｇ５（第２の防振レンズ群）は、それぞれ単独で防振レンズ群として機能させてもよいし、これらを協調（協働）させて防振レンズ群として機能させてもよい。２つの防振レンズ群を設けてこれらを協調（協働）させて駆動することで、像振れ補正の際の収差変動を抑制しながら、大きな防振角を確保することが可能になる。また、複数の防振レンズ群を設ける場合、上述した条件式（２０）、（２１）を満足することが好ましい。
【００８６】
なお、本実施形態によるズームレンズ系は、図１〜図８の数値実施例１〜数値実施例８及び図９７〜図９９の数値実施例９〜数値実施例１１で示した４群ズーム構成、５群ズーム構成、６群ズーム構成に限定されない。ズームレンズ系のいずれかの面に非球面や回折面を使用してもよい。非球面としては、レンズ面上に直接形成されるガラスモールド非球面や研削非球面、レンズ面上に樹脂層を塗布してその上に非球面を施した複合非球面（ハイブリッド非球面）、レンズそのものを樹脂材料で作るプラスチック非球面等を適用することができる。
【００８７】
本実施形態によるズームレンズ系は、特に望遠側の焦点距離を伸ばしたポジティブリード型であり、第２レンズ群Ｇ２が、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。そして、無限遠から近距離へのフォーカシングに際し、第２ｂレンズ群Ｇ２ｂが像側に移動すると共に、第２ａレンズ群Ｇ２ａと第２ｂレンズ群Ｇ２ｂの間隔、及び、第２ｂレンズ群Ｇ２ｂと第２ｃレンズ群Ｇ２ｃの間隔が変化する（第２ｂレンズ群Ｇ２ｂがフォーカスレンズ群を構成する）。より具体的に、第２ａレンズ群Ｇ２ａと第２ｂレンズ群Ｇ２ｂの間隔が増大し、第２ｂレンズ群Ｇ２ｂと第２ｃレンズ群Ｇ２ｃの間隔が減少する。
【００８８】
本実施形態のズームレンズ系は、フォーカシングレンズ群である第２ｂレンズ群Ｇ２ｂの物体側に隣接して配置される第２ａレンズ群Ｇ２ａに逆符号（第２ｂレンズ群Ｇ２ｂが負の屈折力を持つのに対して第２ａレンズ群Ｇ２ａが正の屈折力を持つ）且つ比較的弱い屈折力を持たせている。これにより、フォーカシング時の変倍作用を抑制するとともに、近距離撮影時の撮影倍率の低下を抑制することができる。
【００８９】
正の第２ａレンズ群Ｇ２ａを負の第２ｂレンズ群Ｇ２ｂの物体側に配置することにより、第２ｂレンズ群Ｇ２ｂに入射する光束が収束され、第２ｂレンズ群Ｇ２ｂのレンズ外径を小さくすることができ、フォーカシングレンズ群を軽量化することができる。
【００９０】
一般的には、ズーミングの際に、特に望遠端（長焦点距離端）において、第１レンズ群と第２レンズ群の間隔が広くなるため、第２レンズ群に入射する軸上光束径が小さくなり、フォーカシング感度が失われるおそれがある。
【００９１】
これに対して、本実施形態のズームレンズ系では、フォーカシングレンズ群である負の第２ｂレンズ群Ｇ２ｂの直前に正の第２ａレンズ群Ｇ２ａを配置し、ズーミング時も第２ａレンズ群Ｇ２ａと第２ｂレンズ群Ｇ２ｂの間隔を維持するとともに、望遠端（長焦点距離端）でも第２ａレンズ群Ｇ２ａと第２ｂレンズ群Ｇ２ｂが近い位置にあるように配置することにより、フォーカスレンズ群の感度を保つようにしている。これにより、必要以上にフォーカシング時の第２ｂレンズ群Ｇ２ｂの移動量が増えてＡＦ時間が増大することを抑制することができる。
【００９２】
また、第２レンズ群Ｇ２よりも物体側に配置される正の屈折力を持つレンズ群（例えば第１レンズ群Ｇ１）を、比較的弱い屈折力としている。そのため、フォーカシング時に第２ａレンズ群Ｇ２ａと第２ｂレンズ群Ｇ２ｂの間隔が離れても変倍作用が比較的小さく、近距離時の撮影倍率の低下を抑えることができる。なお、第２ａレンズ群Ｇ２ａをフォーカシングレンズ群として使用することも可能だが、レンズ外径が比較的大きいため、高速ＡＦに用いる群としては適切ではない。
【００９３】
第２ｃレンズ群Ｇ２ｃは、第２ｂレンズ群Ｇ２ｂの像側に配置される。屈折力が同符号（ともに負のパワー）である第２ｃレンズ群Ｇ２ｃがフォーカスレンズ群である第２ｂレンズ群Ｇ２ｂの像側にあることにより、第２ｂレンズ群Ｇ２ｂにそれほど強い屈折力を持たせずにフォーカシング感度を得ることができ、強い屈折力を必要としないために比較的少ないレンズ枚数とすることができる。さらに、第２ｃレンズ群Ｇ２ｃを配置することで、フォーカシング時に発生する撮影距離変化による収差変動を抑えることができ、且つフォーカシングレンズ群の軽量化が可能となる。
【００９４】
また、第２ｃレンズ群Ｇ２ｃを設けることで、第２レンズ群Ｇ２の全体に強い屈折力を持たせることができ、広角から望遠まで変倍させるための屈折力を確保することができる。また、第２ｃレンズ群Ｇ２ｃは、カメラシステムに必要な量のバックフォーカス（レンズ全系中の最終レンズ面から像面までの距離）を確保するために必要であり、球面収差や色収差補正などの役目も持つ。
【００９５】
なお、第２ｃレンズ群Ｇ２ｃをフォーカシングレンズ群として使用することも可能だが、無限遠から近距離へのフォーカシングにおいて、第２ｃレンズ群Ｇ２ｃと、逆符号で比較的屈折力が強い正の第３レンズ群Ｇ３との間隔が広がる方向になるため、変倍作用が強く、近距離時に撮影倍率の低下が大きくなるため、好ましくない。
【００９６】
本実施形態のズームレンズ系において、「レンズ群（例えば第１レンズ群Ｇ１〜第６レンズ群Ｇ６）」は、ズーミング時に隣り合うレンズ群との光軸方向の相対位置関係が変化して前後間隔が変わるユニットであり、「サブレンズ群（例えば第２ａレンズ群Ｇ２ａ〜第２ｃレンズ群Ｇ２ｃ、第４ａレンズ群Ｇ４ａ〜第４ｃレンズ群Ｇ４ｃ、第５ａレンズ群Ｇ５ａ〜第５ｃレンズ群Ｇ５ｃ）」は、ズーミング時には隣り合うレンズ群との光軸方向の相対位置関係が変化しないユニットを意味する。
【００９７】
フォーカシングレンズ群である第２ｂレンズ群Ｇ２ｂにおいては、ズーミング時に隣り合う第２ａレンズ群Ｇ２ａ及び第２ｃレンズ群Ｇ２ｃとの間隔が変化するように構成すると、カムで制御する手段とモータで制御する手段が考えられる。しかしながら、例えばカムで第２ｂレンズ群Ｇ２ｂを制御しようとすると、メカ構成が複雑化してしまい、レンズ全体が大型化してしまうため、好ましくない。また、ズーミング動作に同期させてモータで制御させると、電気的な制御の遅れやモータの速度限界などから、十分に同期させることが困難であり、ズーミングに際してピントのずれが発生してしまうため、好ましくない。そのため、本実施形態においては、ズーミング時には第２ａレンズ群Ｇ２ａ〜第２ｃレンズ群Ｇ２ｃの間隔を固定としている。
【００９８】
本実施形態のズームレンズ系において、「防振レンズ群」は、像ぶれ補正時に光軸に垂直な方向に移動するユニットを示し、ズーミング時やフォーカシング時に隣り合うレンズ群との光軸方向の間隔については、変化するかしないかについては限定されない。つまり、レンズ群またはサブレンズ群全体で防振レンズ群としてもよいし、レンズ群やサブレンズ群内の一部を防振レンズ群としてもよい。
【００９９】
条件式（１）、（１’）は、無限遠合焦時における第２ｂレンズ群Ｇ２ｂと第２ｃレンズ群Ｇ２ｃの間隔（第２ｂレンズ群Ｇ２ｂの最も像側の面頂点から第２ｃレンズ群Ｇ２ｃの最も物体側の面頂点までの光軸上の距離）と、第２レンズ群Ｇ２の焦点距離との関係を規定している。条件式（１）を満足することで、第２レンズ群Ｇ２ひいてはレンズ全系の小型化を図るとともに、諸収差を良好に補正することができる。この作用効果は、条件式（１’）を満足することでより顕著に得ることができる。
条件式（１）、（１’）の上限を超えると、第２レンズ群Ｇ２の全体の厚みが増大してレンズ全長が長くなるとともに、軸外光を確保するために前玉径が増大してしまう。
条件式（１）の下限を超えると、第２ｂレンズ群Ｇ２ｂと第２ｃレンズ群Ｇ２ｃの合成光学系の主点間隔が狭くなるため、所望のフォーカシング移動量を確保するためには、第２ｂレンズ群Ｇ２ｂと第２ｃレンズ群Ｇ２ｃの少なくとも一方の屈折力を強くする必要がある。そのため、ズーミング時やフォーカシング時に球面収差やコマ収差、非点収差などの収差変動が大きくなり、補正困難となってしまう。
【０１００】
条件式（２）は、無限遠合焦時における第２ｂレンズ群Ｇ２ｂと第２ｃレンズ群Ｇ２ｃの間隔（第２ｂレンズ群Ｇ２ｂの最も像側の面頂点から第２ｃレンズ群Ｇ２ｃの最も物体側の面頂点までの光軸上の距離）と、第２レンズ群Ｇ２の光軸上の厚みとの関係を規定している。条件式（２）を満足することで、第２レンズ群Ｇ２ひいてはレンズ全系の小型化を図るとともに、諸収差を良好に補正することができる。
条件式（２）の上限を超えると、第２レンズ群Ｇ２の全体の厚みが増大してレンズ全長が長くなるとともに、軸外光を確保するために前玉径が増大してしまう。
条件式（２）の下限を超えると、第２ｂレンズ群Ｇ２ｂと第２ｃレンズ群Ｇ２ｃの合成光学系の主点間隔が狭くなるため、所望のフォーカシング移動量を確保するためには、第２ｂレンズ群Ｇ２ｂと第２ｃレンズ群Ｇ２ｃの少なくとも一方の屈折力を強くする必要がある。そのため、ズーミング時やフォーカシング時に球面収差やコマ収差、非点収差などの収差変動が大きくなり、補正困難となってしまう。
【０１０１】
条件式（３）、（３’）は、第２ｂレンズ群Ｇ２ｂと第２ｃレンズ群Ｇ２ｃの合成光学系を第２ｂｃレンズ群と規定したときに、第２ｂｃレンズ群の最も像側の面から第２ｂｃレンズ群の後側主点位置までの光軸上の距離と、無限遠合焦時における第２ｂｃレンズ群の焦点距離との関係を規定している。条件式（３）を満足するように、第２ｂｃレンズ群の後側主点位置を比較的物体側に設定することで、第２レンズ群Ｇ２の中で瞳径が最も小さい第２ａレンズ群Ｇ２ａと第２ｂレンズ群Ｇ２ｂの間で無理なく、フォーカシングレンズ群である第２ｂレンズ群Ｇ２ｂの配置と移動量の確保が可能になる。この作用効果は、条件式（３’）を満足することでより顕著に得ることができる。
条件式（３’）の上限を超えると、第２レンズ群Ｇ２の全体の厚みが増大してレンズ全長が長くなるとともに、軸外光を確保するために前玉径が増大してしまう。
条件式（３）の下限を超えると、第２ｂｃレンズ群の後側主点位置が像側に寄り過ぎて、フォーカシング移動量の確保が難しくなってしまう。無理にフォーカシング移動量を確保しようとすると、第２ｂレンズ群Ｇ２ｂの屈折力を上げる必要があり、フォーカシング時の収差変動が大きくなってしまう。
【０１０２】
条件式（４）、（４’）は、第２ｂレンズ群Ｇ２ｂと第２ｃレンズ群Ｇ２ｃの合成光学系を第２ｂｃレンズ群と規定したときに、第２ｂｃレンズ群の主点間隔であって前側主点位置から後側主点位置までの光軸上の距離と、無限遠合焦時における第２ｂｃレンズ群の焦点距離との関係を規定している。条件式（４）を満足することで、第２ｂレンズ群Ｇ２ｂと第２ｃレンズ群Ｇ２ｃの屈折力を極端に強めることなく、適切なフォーカシング感度を得ることができる。この作用効果は、条件式（４’）を満足することでより顕著に得ることができる。また、条件式（４’）を満足することで、第２レンズ群Ｇ２ひいてはレンズ全系の小型化を図ることができる。
条件式（４’）の上限を超えると、第２レンズ群Ｇ２の全体の厚みが増大してレンズ全長が長くなるとともに、軸外光を確保するために前玉径が増大してしまう。
条件式（４）の下限を超えると、第２ｂｃレンズ群の主点間隔が狭くなりすぎて、所望のフォーカシング移動量を確保するためには、第２ｂレンズ群Ｇ２ｂと第２ｃレンズ群Ｇ２ｃの少なくとも一方の屈折力を強くする必要がある。そのため、ズーミング時やフォーカシング時に球面収差やコマ収差、非点収差などの収差変動が大きくなり、補正困難となってしまう。
【０１０３】
条件式（５）、（５’）は、第２レンズ群Ｇ２の最も物体側の面から前側主点位置までの光軸上の距離と、第２レンズ群Ｇ２の光軸上の厚みとの関係を規定している。条件式（５）を満足することで、レンズ全系の小型化・軽量化を図るとともに、長焦点距離端における撮影距離による球面収差の変動を抑えることができる。この作用効果は、条件式（５’）を満足することでより顕著に得ることができる。
条件式（５）、（５’）の上限を超えると、第２レンズ群Ｇ２の厚みが大きくなって、第１レンズ群Ｇ１と第２ａレンズ群Ｇ２ａのレンズ外径が大きくなる結果、レンズ全系の大型化を招いてしまう。
条件式（５）の下限を超えると、フォーカスレンズ群である第２ｂレンズ群Ｇ２ｂが物体側寄りになって大型化する結果、レンズ全系の重量化を招いてしまう。特に、長焦点距離端において、撮影距離による球面収差の変動が増大してしまう。
【０１０４】
条件式（６）、（６’）は、第２ａレンズ群Ｇ２ａと第２ｂレンズ群Ｇ２ｂの合成光学系を第２ａｂレンズ群と規定したときに、第２ａｂレンズ群の最も物体側の面から前側主点位置までの光軸上の距離と、第２レンズ群Ｇ２の光軸上の厚みとの関係を規定している。条件式（６）を満足することで、レンズ全系の小型化・軽量化を図るとともに、長焦点距離端における撮影距離による球面収差の変動を抑えることができる。この作用効果は、条件式（６’）を満足することでより顕著に得ることができる。
条件式（６）の上限を超えると、第２レンズ群Ｇ２の厚みが大きくなって、第１レンズ群Ｇ１と第２ａレンズ群Ｇ２ａのレンズ外径が大きくなる結果、レンズ全系の大型化を招いてしまう。
条件式（６）の下限を超えると、フォーカスレンズ群である第２ｂレンズ群Ｇ２ｂが物体側寄りになって大型化する結果、レンズ全系の重量化を招いてしまう。特に、長焦点距離端において、撮影距離による球面収差の変動が増大してしまう。
【０１０５】
第２ｃレンズ群Ｇ２ｃは、少なくとも２枚の負レンズと少なくとも１枚の正レンズとを有している。これにより、レンズのサイズを大型化することなく、ある程度のズーム比を維持しながら、ズーム時やフォーカシング時に変化する軸上色収差、倍率色収差、球面収差、コマ収差等を良好に補正することができる。第２ｃレンズ群Ｇ２ｃ中の正レンズと負レンズは密着配置や接合されていてもよく、空気間隔を隔てて配置されてもよい。
【０１０６】
条件式（７）、（７’）は、第２ａレンズ群Ｇ２ａの焦点距離と、第２ｂレンズ群Ｇ２ｂの焦点距離との関係を規定している。条件式（７）を満足することで、第２ｂレンズ群Ｇ２ｂひいてはレンズ全系の小型化を図ることができる。また、フォーカシングレンズ群である第２ｂレンズ群Ｇ２ｂを軽量化してＡＦ速度を速めることができる。また、フォーカシング時の球面収差、コマ収差、非点収差、軸上色収差、倍率色収差などの収差変動を良好に補正することができる。また、望遠端における正の歪曲収差（糸巻き型歪曲収差）を良好に補正することができる。さらに、フォーカシング感度を適切に設定することで、フォーカシング時の移動量を抑えて、ＡＦ速度を速めることができる。この作用効果は、条件式（７’）を満足することでより顕著に得ることができる。
条件式（７）の上限を超えると、第２ａレンズ群Ｇ２ａの屈折力が弱くなりすぎて、第２ｂレンズ群Ｇ２ｂに入射する光束径が大きくなるため、第２ｂレンズ群Ｇ２ｂのレンズ外径が大きくなってしまう。また、フォーカシングレンズ群である第２ｂレンズ群Ｇ２ｂの重量が大きくなってＡＦ速度が低下してしまう。
条件式（７）の下限を超えると、第２ａレンズ群Ｇ２ａの屈折力が強くなりすぎて、フォーカシング時の球面収差、コマ収差、非点収差、軸上色収差、倍率色収差などの収差変動が大きくなってしまう。また、望遠端における正の歪曲収差（糸巻き型歪曲収差）が増大してしまう。さらに、相対的に第２ｂレンズ群Ｇ２ｂの屈折力が弱まるので、フォーカシング感度を大きくすることが困難となり、フォーカシング時の移動量が増えてＡＦ速度が低下してしまう。
【０１０７】
条件式（８）、（８’）は、第２ｂレンズ群Ｇ２ｂの焦点距離と、第２ｃレンズ群Ｇ２Ｃの焦点距離との関係を規定している。条件式（８）を満足することで、レンズ全長の短縮化を図るとともに、第２ｂレンズ群Ｇ２ｂのフォーカシング移動量を抑えてＡＦ速度を速め、フォーカシング時の収差変動を抑制することができる。この作用効果は、条件式（８’）を満足することでより顕著に得ることができる。
条件式（８）、（８’）の上限を超えると、第２ｂレンズ群Ｇ２ｂの屈折力が弱くなりすぎて、フォーカシング移動量が増えるとともに、ＡＦ速度が低下してしまう。また、レンズ全長が大きくなってしまう。
条件式（８）の下限を超えると、第２ｂレンズ群Ｇ２ｂの屈折力が強くなりすぎて、フォーカシング時の収差変動が増大してしまう。
【０１０８】
条件式（９）、（９’）は、第２ｂレンズ群Ｇ２ｂと第２ｃレンズ群Ｇ２ｃの合成光学系を第２ｂｃレンズ群と規定したときに、第２ａレンズ群Ｇ２ａの焦点距離と、無限遠合焦時における第２ｂｃレンズ群の焦点距離との関係を規定している。条件式（９）を満足することで、第２ｂレンズ群Ｇ２ｂのフォーカシング感度を適切に設定してフォーカシング移動量を抑えるとともに、特に長焦点距離端側でフォーカシング時の収差変動（球面収差、コマ収差、非点収差）を抑えることができる。この作用効果は、条件式（９’）を満足することでより顕著に得ることができる。
条件式（９）の上限を超えると、第２ａレンズ群Ｇ２ａの屈折力が弱くなりすぎて、第２ｂレンズ群Ｇ２ｂのフォーカシング感度が弱くなるため、フォーカシング移動量が増大してしまう。
条件式（９）の下限を超えると、第２ａレンズ群Ｇ２ａの屈折力が強くなりすぎて、特に長焦点距離端側でフォーカシング時の収差変動（球面収差、コマ収差、非点収差）が増大してしまう。
【０１０９】
条件式（１０）、（１０’）は、第２ａレンズ群Ｇ２ａの最も物体側の面の近軸曲率半径と、第２ａレンズ群Ｇ２ａの最も像側の面の近軸曲率半径との関係を規定している。第２ｂレンズ群Ｇ２ｂでフォーカシングを行う場合、第２ａレンズ群Ｇ２ａを通る主光線の位置（光軸からの高さ）が撮影距離によって大きく変わる。そのため、第２ａレンズ群Ｇ２ａは、主光線の位置によって発生する収差の変化が少なくなるよう、物体側の面が凸面、像側の面が平面に近い形状であることが好ましい。第２ａレンズ群Ｇ２ａの最も像側の面の近軸曲率半径が正（物体側に凸形状）の場合は、無限遠から近距離になるに従い像面がオーバーに変化する。第２ａレンズ群Ｇ２ａの最も像側の面の近軸曲率半径が負（像側に凸形状）の場合は、像面がアンダーに変化する。条件式（１０）を満足することで、フォーカシング時の球面収差変動を抑制することができる。この作用効果は、条件式（１０’）を満足することでより顕著に得ることができる。
条件式（１０）の上限を超えると、第２ａレンズ群Ｇ２ａの最も像側の面の曲率が像側に凸形状で強くなりすぎて、フォーカシング時の球面収差変動が顕著となってしまう。
条件式（１０）、（１０’）の下限を超えると、第２ａレンズ群Ｇ２ａの最も像側の面の曲率が強くなりすぎて、フォーカシング時の像面の変化による収差変動が顕著となってしまう。
【０１１０】
条件式（１１）、（１１’）、（１１”）は、第２ａレンズ群Ｇ２ａの最も像側の面の近軸曲率半径と、第２ａレンズ群Ｇ２ａの焦点距離との関係を規定している。第２ｂレンズ群Ｇ２ｂでフォーカシングを行う場合、第２ａレンズ群Ｇ２ａを通る主光線の位置（光軸からの高さ）が撮影距離によって大きく変わる。そのため、第２ａレンズ群Ｇ２ａは、主光線の位置によって発生する収差の変化が少なくなるよう、物体側の面が凸面、像側の面が平面に近い形状であることが好ましい。第２ａレンズ群Ｇ２ａの最も像側の面の近軸曲率半径が正（物体側に凸形状）の場合は、無限遠から近距離になるに従い像面がオーバーに変化する。第２ａレンズ群Ｇ２ａの最も像側の面の近軸曲率半径が負（像側に凸形状）の場合は、像面がアンダーに変化する。条件式（１１）を満足することで、フォーカシング時の球面収差変動を抑制することができる。この作用効果は、条件式（１１’）、（１１”）を満足することでより顕著に得ることができる。
条件式（１１’）の上限を超えると、第２ａレンズ群Ｇ２ａの最も像側の面の曲率が像側に凸形状で強くなりすぎて、フォーカシング時の球面収差変動が顕著となってしまう。
条件式（１１）の下限を超えると、第２ａレンズ群Ｇ２ａの最も像側の面の曲率が強くなりすぎて、フォーカシング時の像面の変化による収差変動が顕著となってしまう。
【０１１１】
第２ａレンズ群Ｇ２ａは、少なくとも１枚の正レンズと少なくとも１枚の負レンズを有している。これにより、フォーカシング時に発生する軸上色収差、倍率色収差、球面収差等の収差変動を良好に補正することができる。第２ａレンズ群Ｇ２ａ中の正レンズと負レンズは密着配置や接合されていてもよく、空気間隔を隔てて配置されてもよい。
【０１１２】
条件式（１２）、（１２’）、（１２”）は、第２ａレンズ群の正レンズのうちアッベ数が最も大きい正レンズの当該アッベ数を規定している。条件式（１２）を満足することで、主にフォーカシング時の軸上色収差、倍率色収差の変動を抑制することができる。この作用効果は、条件式（１２’）、（１２”）を満足することでより顕著に得ることができる。
条件式（１２）の下限を超えると、主にフォーカシング時の軸上色収差、倍率色収差の変動が大きくなってしまう。
【０１１３】
条件式（１３）、（１３’）、（１３”）は、第２ａレンズ群Ｇ２ａの負レンズのうち屈折力が最も大きい負レンズの焦点距離と、第２ａレンズ群Ｇ２ａの焦点距離との関係を規定している。条件式（１３）を満足することで、主にフォーカシング時の球面収差、コマ収差、軸上色収差、倍率色収差の変動を抑制することができる。この作用効果は、条件式（１３’）、（１３”）を満足することでより顕著に得ることができる。
条件式（１３’）の上限を超えると、第２ａレンズ群Ｇ２ａに含まれる負レンズの屈折力が弱くなり、主に望遠側で球面収差、コマ収差、軸上色収差の補正が困難となる。
条件式（１３）の下限を超えると、第２ａレンズ群Ｇ２ａに含まれる負レンズの屈折力が強くなり、主にフォーカシング時の球面収差、コマ収差、軸上色収差、倍率色収差の変動が大きくなってしまう。
【０１１４】
条件式（１４）、（１４’）は、第２ｂレンズ群Ｇ２ｂの最も物体側の面の近軸曲率半径と、第２ｂレンズ群Ｇ２ｂの最も像側の面の近軸曲率半径との関係を規定している。
第２ｂレンズ群Ｇ２ｂでフォーカシングを行う場合、第２ｂレンズ群Ｇ２ｂを通る主光線の位置や瞳径が撮影距離によって大きく変わる。そのため、第２ｂレンズ群Ｇ２ｂは、フォーカシング感度を損なうことなく、主光線の位置によって発生する収差の変化が少なくなるように、物体側は曲率が弱く、像側の面が強い形状であることが好ましい。
条件式（１４）を満足することで、フォーカシング時の像面湾曲や球面収差、コマ収差変動を抑制することができる。この作用効果は、条件式（１４’）を満足することでより顕著に得ることができる。
条件式（１４）の上限を超えると、第２ｂレンズ群Ｇ２ｂの最も物体側の面の曲率が物体側に凹の形状で強くなりすぎ、フォーカシング時に広角側で像面湾曲、望遠側で球面収差やコマ収差の変動が大きくなる。
条件式（１４）の下限を超えると、第２ｂレンズ群Ｇ２ｂの最も像側の面の曲率が像側に凸形状で強くなりすぎて、ズーム全域で像面湾曲がオーバーとなる。もしくは、フォーカシング感度が弱くなり、フォーカシング時の移動量が大きくなってしまう。
【０１１５】
第２ｂレンズ群Ｇ２ｂは、最も物体側に位置する負レンズを有している。条件式（１５）、（１５’）は、第２ｂレンズ群の最も物体側に位置する負レンズのアッベ数を規定している。条件式（１５）を満足することで、主に長焦点距離端において倍率色収差を良好に補正することができる。この作用効果は、条件式（１５’）を満足することでより顕著に得ることができる。
条件式（１５）の下限を超えると、主に長焦点距離端において倍率色収差が補正不足となってしまう。
【０１１６】
第２ｂレンズ群Ｇ２ｂは、物体側から順に位置する１枚の負レンズと１枚の正レンズから構成されている。これにより、フォーカスレンズ群である第２ｂレンズ群Ｇ２ｂを軽量化しつつ、フォーカシング時に発生する軸上色収差、倍率色収差、球面収差などを良好に補正することができる。第２レンズ群Ｇ２ｂ中の正レンズと負レンズは密着配置や接合されていてもよく、空気間隔を隔てて配置されてもよい。
【０１１７】
条件式（１６）、（１６’）、（１６”）は、第２ｂレンズ群Ｇ２ｂの負レンズの焦点距離と、第２ｂレンズ群Ｇ２ｂの正レンズの焦点距離との関係を規定している。条件式（１６）を満足することで、レンズ全長の短縮化を図るとともに、ＡＦ速度を速め、且つ、ズーミング時やフォーカシング時の球面収差や像面湾曲の変動を抑えることができる。この作用効果は、条件式（１６’）、（１６”）を満足することでより顕著に得ることができる。
条件式（１６）、（１６’）の上限を超えると、第２ｂレンズ群Ｇ２ｂの負レンズの屈折力が弱くなりすぎて、フォーカシング感度が弱くなってしまう。その結果、フォーカシング移動量が増加してしまい、ＡＦ速度が遅くなってしまう。また、レンズ全長が大きくなってしまう。
条件式（１６）の下限を超えると、第２ｂレンズ群Ｇ２ｂの負レンズの屈折力が強くなりすぎて、ズーミング時やフォーカシング時の球面収差や像面湾曲の変動が大きくなってしまう。
【０１１８】
条件式（１７）、（１７’）は、第２ｂレンズ群Ｇ２ｂの負レンズのアッベ数と、第２ｂレンズ群Ｇ２ｂの正レンズのアッベ数との関係を規定している。条件式（１７）を満足することで、フォーカシング時に生じる軸上色収差を良好に補正することができる。この作用効果は、条件式（１７’）を満足することでより顕著に得ることができる。
条件式（１７）の下限を超えると、フォーカシング時に生じる軸上色収差が補正不足となってしまう。
【０１１９】
条件式（１８）、（１８’）、（１８”）は、短焦点距離端における無限遠合焦時の第１レンズ群Ｇ１から第２ｂレンズ群Ｇ２ｂまでの合成焦点距離と、短焦点距離端における無限遠合焦時の焦点距離との比を規定している。
フォーカシング時の球面収差変動を考慮すると、第２ｂレンズ群Ｇ２ｂと第２ｃレンズ群Ｇ２ｃサブレンズ群の間の軸上光線は、光軸に対してなるべく平行光（アフォーカル）であることが望ましい。
条件式（１８）を満足することで、後続レンズ群ＧＲにおいて収差を良好に補正するとともに、フォーカシング時の球面収差変動を小さくすることができる。
条件式（１８）、（１８’）、（１８”）の上限を超えると、第２ｂレンズ群Ｇ２ｂと第２ｃレンズ群Ｇ２ｃの間の光線の平行度を保つことが困難となり、主に広角端において第２ｂレンズ群Ｇ２ｂより像側が強い発散光となる。その結果、後続レンズ群ＧＲでの収差補正が困難となり、特にフォーカシング時に球面収差変動が大きくなる。
【０１２０】
条件式（１９）、（１９’）、（１９”）は、長焦点距離端における無限遠合焦時の第２ｂレンズ群Ｇ２ｂの横倍率と、長焦点距離端における無限遠合焦時の第２ｂレンズ群Ｇ２ｂより像側の全てのレンズ群の合成横倍率との関係（フォーカシング感度）を規定している。条件式（１９）を満足することで、フォーカシング感度を適切に設定して、長めの最短撮影距離と、高めの最大撮影倍率を確保することができる。また、フォーカシング移動量を抑制してＡＦ速度を速くすることができる。また、レンズ全長の短縮化を図ることができる。この作用効果は、条件式（１９’）、（１９”）を満足することでより顕著に得ることができる。
条件式（１９）の下限を超えると、フォーカシング感度が弱くなりすぎて、最短撮影距離が長くなり、最大撮影倍率が下がってしまう。また、フォーカシング移動量が増えてＡＦ速度が遅くなってしまう。また、レンズ全長が大きくなってしまう。
【０１２１】
本実施形態のズームレンズ系は、第２ｂレンズ群Ｇ２ｂより像側に、光軸直交成分を含む方向に移動して結像位置を変位させる防振レンズ群を有している。この防振レンズ群により、手振れ等により撮影画像に発生する像振れを補正することができる。同じ角度の手振れが発生した場合に焦点距離が長いほど像ぶれが大きくなるため、長焦点側の焦点距離が長いレンズでは像ぶれを補正できることがより望ましい。但し、防振レンズ群の重量が大きくなると、防振レンズ群を駆動させるための防振レンズ駆動ユニットが大型化する。そのため、防振レンズ群は小型且つ軽量な構成が望まれる。軸上光の明るさ（Fno）や軸外光を取り込むために、第２ｂレンズ群Ｇ２ｂより物体側のレンズは外径が大きく重くなる傾向がある。そのため、第２ｂレンズ群Ｇ２ｂより像側に防振レンズ群を配置することで、防振レンズ群を軽量化することができる。
【０１２２】
上記の防振レンズ群は、少なくとも１枚の負レンズと少なくとも１枚の正レンズを有している。これにより、防振駆動時の偏心コマ収差、像面倒れ、倍率色収差等の偏心による収差を良好に補正することができる。
【０１２３】
条件式（２０）は、長焦点距離端における無限遠合焦時の防振レンズ群の横倍率と、長焦点距離端における無限遠合焦時の防振レンズ群より像側の全てのレンズ群の合成横倍率との関係（防振感度）を規定している。条件式（２０）を満足することで、防振レンズ群を含んだレンズ全系の製造（組込）が容易になるとともに、所望の防振性能を得られやすくなる。また、レンズ外径（レンズ枠の外径）を小さくすることができる。
条件式（２０）の上限を超えると、防振感度が強くなりすぎて、防振の制御が困難になってしまう。また、防振時の偏芯コマ収差や像面の倒れが増大し、光学性能の維持が困難となる。
条件式（２０）の下限を超えると、防振感度が弱くなりすぎて、所望の防振性能が得られなくなってしまう。また、防振レンズ群の光軸に垂直な方向の可動枠が増えるため、レンズ外径（レンズ枠の外径）が大きくなってしまう。
【０１２４】
条件式（２１）、（２１’）、（２１”）は、第２ｂレンズ群Ｇ２ｂの焦点距離と、防振レンズ群の焦点距離との関係を規定している。条件式（２１）を満足することで、防振駆動時の偏心収差を良好に補正するとともに、フォーカシング時の収差変動を抑えることができる。この作用効果は、条件式（２１’）、（２１”）を満足することでより顕著に得ることができる。
条件式（２１）の上限を超えると、防振レンズ群の屈折力が強くなりすぎて、防振駆動時の偏心収差が悪化してしまう。
条件式（２１）の下限を超えると、第２ｂレンズ群Ｇ２ｂの屈折力が強くなりすぎて、フォーカシング時の収差変動が大きくなってしまう。
【０１２５】
防振レンズ群を含むレンズ群は、短焦点距離端から長焦点距離端への変倍に際し、光軸方向に移動しなくてもよい（像面に対して固定されていてもよい）。防振レンズ駆動ユニットは、ラジアル方向（光軸に対して垂直な方向）にマグネットやコイル、基盤などを設けられることが一般的であり、防振レンズ駆動ユニット自体が大きくなる。防振レンズ群がズーミング時に可動する群となると、ユニットの外周にズームカム筒などの部品を設ける必要があり、外径が大きくなる。防振レンズ群を固定群とすることで、防振レンズユニットの外側に、ズーム時の可動枠が不要となり、レンズ外径を小型にすることができる。
【０１２６】
第２レンズ群Ｇ２は、短焦点距離端から長焦点距離端への変倍に際し、光軸方向に移動しなくてもよい（像面に対して固定されていてもよい）。変倍時に第２レンズ群Ｇ２が移動すると、ズーミング時の偏芯誤差の要因となり、偏芯コマなどの収差の要因となる。第２レンズ群Ｇ２を変倍に移動しない固定群とすることで、偏芯誤差を抑えやすくすることができる。
【０１２７】
第１レンズ群Ｇ１は、短焦点距離端から長焦点距離端への変倍に際し、光軸方向に移動しなくてもよい（像面に対して固定されていてもよい）。変倍時に第１レンズ群Ｇ１が移動すると、ズーミング時の偏芯誤差の要因となり、偏芯コマなどの収差の要因となる。第１レンズ群Ｇ１を変倍に移動しない固定群とすることで、偏芯誤差を抑えやすくすることができる。
【０１２８】
条件式（２２）は、長焦点距離端における無限遠合焦時の全系の焦点距離と、短焦点距離端における無限遠合焦時の全系の焦点距離と、長焦点距離端における無限遠合焦時の第２レンズ群の横倍率と、短焦点距離端における無限遠合焦時の第２レンズ群の横倍率との関係を規定している。すなわち、条件式（２２）は、ズーム比に対する第２レンズ群Ｇ２の変倍負担の割合を規定している。条件式（２２）を満足することで、ズーミング時の球面収差やコマ収差、非点収差変動などを良好に補正することができる。
条件式（２２）の上限を超えると、第２レンズ群Ｇ２の変倍負担が減少して、所望の変倍比を得るために他のレンズ群の屈折力を強める必要があるため、ズーミング時の球面収差やコマ収差、非点収差変動などの補正が困難となってしまう。
条件式（２２）の下限を超えると、第２レンズ群Ｇ２の変倍負担が増大して、ズーミング時の球面収差やコマ収差、非点収差変動などの補正が困難となってしまう。
【０１２９】
条件式（２３）は、第２レンズ群Ｇ２の焦点距離と、短焦点距離端における無限遠合焦時の全系の焦点距離との関係を規定している。条件式（２３）を満足することで、適切な変倍比を維持するとともに、レンズ全系の小型化を図り、ズーミング時の球面収差、コマ収差、非点収差などを良好に補正することができる。
条件式（２３）の上限を超えると、第２レンズ群Ｇ２の屈折力が弱くなりすぎて、変倍比が減り、且つ／又は、レンズ全系の大型化を招いてしまう。
条件式（２３）の下限を超えると、第２レンズ群Ｇ２の屈折力が強くなりすぎて、ズーミング時の球面収差、コマ収差、非点収差などが補正困難となってしまう。
【０１３０】
条件式（２４）は、第１レンズ群Ｇ１の焦点距離と、長焦点距離端における無限遠合焦時の全系の焦点距離との関係を規定している。条件式（２４）を満足することで、適切な変倍比を維持するとともに、レンズ全系の小型化を図り、特に望遠側で球面収差、コマ収差、非点収差、軸上色収差、倍率色収差などを良好に補正することができる。
条件式（２４）の上限を超えると、第１レンズ群Ｇ１の屈折力が弱くなりすぎて、変倍比が減り、且つ／又は、レンズ全系の大型化を招いてしまう。
条件式（２４）の下限を超えると、第１レンズ群Ｇ１の屈折力が強くなりすぎて、特に望遠側で球面収差、コマ収差、非点収差、軸上色収差、倍率色収差などが補正困難となってしまう。
【０１３１】
条件式（２５）は、第１レンズ群Ｇ１の焦点距離と、短焦点距離端における無限遠合焦時の全系の焦点距離と、長焦点距離端における無限遠合焦時の全系の焦点距離との比を規定している。条件式（２５）を満足することで、適切な変倍比を維持するとともに、レンズ全系の小型化を図り、特に望遠側で球面収差、コマ収差、非点収差、軸上色収差、倍率色収差などを良好に補正することができる。
条件式（２５）の上限を超えると、第１レンズ群Ｇ１の屈折力が弱くなりすぎて、変倍比が減り、且つ／又は、レンズ全系の大型化を招いてしまう。
条件式（２５）の下限を超えると、第１レンズ群Ｇ１の屈折力が強くなりすぎて、特に望遠側で球面収差、コマ収差、非点収差、軸上色収差、倍率色収差などが補正困難となってしまう。
【０１３２】
条件式（２６）は、長焦点距離端における無限遠合焦時の第１レンズ群Ｇ１と第２レンズ群Ｇ２の間隔（第１レンズ群Ｇ１の最も像側の屈折面から第２レンズ群Ｇ２の最も物体側の屈折面までの光軸上の距離）と、短焦点距離端における無限遠合焦時の第１レンズ群Ｇ１と第２レンズ群Ｇ２の間隔（第１レンズ群Ｇ１の最も像側の屈折面から第２レンズ群Ｇ２の最も物体側の屈折面までの光軸上の距離）と、第２レンズ群Ｇ２の焦点距離との比を規定している。すなわち、条件式（２６）は、第１レンズ群Ｇ１と第２レンズ群Ｇ２のズーミング時の間隔変化量に対する第２レンズ群Ｇ２の焦点距離比を規定している。条件式（２６）を満足することで、レンズ全系の小型化を図るとともに、ズーミング中の各種収差変動を抑えることができる。
条件式（２６）の上限を超えると、望遠側（長焦点距離端側）で第１レンズ群Ｇ１と第２レンズ群Ｇ２の間隔が広がるため、レンズ全系が大型化してしまう。
条件式（２６）の下限を超えると、所望の変倍比を得るためには第１レンズ群Ｇ１と第２レンズ群Ｇ２の少なくとも一方の屈折力を強くしなければならず、ズーミング中の各種収差変動が大きくなってしまう。
【０１３３】
条件式（２７）は、短焦点距離端における無限遠合焦時の第２レンズ群Ｇ２と後続レンズ群ＧＲの間隔（第２レンズ群Ｇ２の最も像側の屈折面から後続レンズ群ＧＲの最も物体側の屈折面までの光軸上の距離）と、長焦点距離端における無限遠合焦時の第２レンズ群Ｇ２と後続レンズ群ＧＲの間隔（第２レンズ群Ｇ２の最も像側の屈折面から後続レンズ群ＧＲの最も物体側の屈折面までの光軸上の距離）と、第２レンズ群Ｇ２の焦点距離との比を規定している。すなわち、条件式（２７）は、第１レンズ群Ｇ１と第２レンズ群Ｇ２のズーミング時の間隔変化量に対する第２レンズ群Ｇ２の焦点距離比を規定している。条件式（２７）を満足することで、レンズ全系の小型化を図るとともに、ズーミング中の各種収差変動を抑えることができる。
条件式（２７）の上限を超えると、望遠側（長焦点距離端側）で第２レンズ群Ｇ２と後続レンズ群ＧＲの間隔が広がるため、レンズ全系が大型化してしまう。
条件式（２７）の下限を超えると、所望の変倍比を得るためには第２レンズ群Ｇ２と後続レンズ群ＧＲの少なくとも一方の屈折力を強くしなければならず、ズーミング中の各種収差変動が大きくなってしまう。
【０１３４】
条件式（２８）、（２８’）、（２８”）は、第２ａレンズ群Ｇ２ａの最も物体側の面の近軸曲率半径と、第２ｂレンズ群Ｇ２ｂの最も像側の面の近軸曲率半径との比を規定している。条件式（２８）を満足することで、第２ａレンズ群Ｇ２ａの最も物体側の面と第２ｂレンズ群Ｇ２ｂの最も像側の面の曲率中心を近づけて、主に長焦点距離端において、フォーカシング時の球面収差変動を良好に抑えることが可能になる。この作用効果は、条件式（２８’）、（２８”）を満足することでより顕著に得ることができる。
条件式（２８）の上限を超えると、第２ｂレンズ群Ｇ２ｂの最も像側の面の曲率が強く（きつく）なりすぎて、フォーカシング時の球面収差変動が顕著となってしまう。
条件式（２８）の下限を超えると、第２ａレンズ群Ｇ２ａの最も物体側の面の曲率が強く（きつく）なりすぎて、フォーカシング時の球面収差変動が顕著となってしまう。
【０１３５】
［数値実施例］
次に具体的な数値実施例１−８を示す。縦収差図及び横収差図、並びに表中において、ｄ線、ｇ線、Ｃ線はそれぞれの波長に対する収差、Ｓはサジタル、Ｍはメリディオナル、FNO.はＦナンバー、Yは像高、Rは曲率半径、Dはレンズ厚またはレンズ間隔、N(d)はｄ線に対する屈折率、ν(d)はｄ線に対するアッベ数を示す。バックフォーカスは、レンズ全系の最も像側の面から設計上の像面までの距離である。レンズ全長及びバックフォーカスは、レンズ全系の最も像側の面から設計上の像面までの間にカバーガラス等を含まない空気換算長の値を示している。Ｆナンバー、焦点距離、物像間距離、倍率、半画角、像高、バックフォーカス、レンズ全長、並びに、ズーミング及びフォーカシングに伴って間隔が変化するレンズ間隔Ｄは、短焦点距離端−中間焦点距離−長焦点距離端の順に示している。長さの単位は[mm]である。
【０１３６】
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【０１３７】
［数値実施例１］
図９〜図１９と表１〜表４は、数値実施例１によるズームレンズ系を示している。図９は、短焦点距離端における無限遠合焦時のレンズ構成図である。図１０、図１１は、短焦点距離端における無限遠合焦時、１．２ｍ合焦時の縦収差図である。図１２、図１３は、短焦点距離端における無限遠合焦時、１．２ｍ合焦時の横収差図である。図１４は、図１２の防振駆動時の横収差図である。図１５、図１６は、長焦点距離端における無限遠合焦時、１．２ｍ合焦時の縦収差図である。図１７、図１８は、長焦点距離端における無限遠合焦時、１．２ｍ合焦時の横収差図である。図１９は、図１７の防振駆動時（±０．３°）の横収差図である。表１は面データ、表２は各種データ、表３はズームレンズ群データ、表４は主点位置データである。
【０１３８】
数値実施例１のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、負の屈折力の第４レンズ群Ｇ４と、正の屈折力の第５レンズ群Ｇ５とから構成されている（つまり正負正負正の５群ズームレンズ構成となる）。
【０１３９】
第１レンズ群Ｇ１は、物体側から順に、物体側に凸の正メニスカスレンズ１１Ａと、物体側に凸の負メニスカスレンズ１２Ａと、物体側に凸の正メニスカスレンズ１３Ａとから構成されている。負メニスカスレンズ１２Ａと正メニスカスレンズ１３Ａは、接合されている。
【０１４０】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、両凸正レンズ２１Ａと、両凹負レンズ２２Ａとから構成されている。両凸正レンズ２１Ａと両凹負レンズ２２Ａは、接合されている。
第２ｂレンズ群Ｇ２ｂは、物体側から順に、両凹負レンズ２３Ａと、物体側に凸の正メニスカスレンズ２４Ａとから構成されている。
第２ｃレンズ群Ｇ２ｃは、物体側から順に、両凹負レンズ２５Ａと、両凹負レンズ２６Ａと、両凸正レンズ２７Ａとから構成されている。両凹負レンズ２６Ａと両凸正レンズ２７Ａは、接合されている。
【０１４１】
第３レンズ群Ｇ３は、物体側から順に、両凸正レンズ３１Ａと、両凸正レンズ３２Ａと、像側に凸の負メニスカスレンズ３３Ａとから構成されている。両凸正レンズ３２Ａと負メニスカスレンズ３３Ａは、接合されている。
【０１４２】
第４レンズ群Ｇ４は、物体側から順に、正の屈折力の第４ａレンズ群Ｇ４ａと、負の屈折力の第４ｂレンズ群Ｇ４ｂとから構成されている。
第４ａレンズ群Ｇ４ａは、物体側から順に、両凹負レンズ４１Ａと、両凸正レンズ４２Ａと、両凸正レンズ４３Ａとから構成されている。
第４ｂレンズ群Ｇ４ｂは、物体側から順に、像側に凸の正メニスカスレンズ４４Ａと、両凹負レンズ４５Ａとから構成されている。
【０１４３】
第５レンズ群Ｇ５は、物体側から順に、両凸正レンズ５１Ａと、像側に凸の負メニスカスレンズ５２Ａと、像側に凸の負メニスカスレンズ５３Ａと、両凸正レンズ５４Ａとから構成されている。両凸正レンズ５１Ａと負メニスカスレンズ５２Ａは、接合されている。
【０１４４】
（表１）
面データ
面番号             r             D             N(d)             ν(d)
1              109.489         4.050        1.48749             70.2
2             1346.163         0.200
3               84.450         1.950        1.73800             32.3
4               49.769         9.020        1.49700             81.6
5             1342.515          D5
6              124.201         4.000        1.65160             58.5
7             -186.275         1.340        1.53775             74.7
8              362.228          D8
9             -257.022         1.000        1.65160             58.5
10              22.616         1.400
11              22.808         2.600        1.80518             25.4
12              37.531          D12
13            -154.978         1.000        1.95375             32.3
14              96.030         2.000
15             -95.527         1.200        1.80400             46.5
16              37.706         2.400        1.80810             22.8
17             251.929          D17
18絞          INFINITY         2.000
19              62.420         3.930        1.80400             46.5
20             -78.827         0.200
21              45.402         5.260        1.59522             67.7
22             -41.935         1.200        2.00069             25.5
23            -321.928          D23
24             -93.217         1.000        1.90366             31.3
25              99.821         1.280
26              66.813         3.040        1.59410             60.5
27            -177.060         0.200
28              58.506         3.000        1.80400             46.5
29            -271.111         2.000
30            -315.044         1.800        1.80518             25.4
31             -48.174         1.200
32             -45.134         0.950        1.77250             49.6
33              45.832          D33
34              92.685         6.560        1.60342             38.0
35             -22.387         1.200        1.91082             35.2
36             -58.706         6.561
37             -26.520         1.150        1.83481             42.7
38            -100.411         0.200
39             346.562         3.900        1.64769             33.8
40             -52.470          D40
41            INFINITY         1.500        1.51633             64.1
42            INFINITY           -
（表２）
各種データ
ズーム比（変倍比）   4.04
無限遠合焦時
短焦点距離端          中間焦点距離          長焦点距離端
Ｆナンバー              4.6                   5.1                   5.8
焦点距離              72.08                135.00                291.30
物像間距離         INFINITY              INFINITY              INFINITY
倍率                  0.000                 0.000                 0.000
半画角                 16.7                   8.9                   4.2
像高                  21.64                 21.64                 21.64
バックフォーカス      40.44                 48.63                 60.38
レンズ全長           193.39                219.82                240.00
D5                    2.950                29.380                49.564
D8                    3.000                 3.000                 3.000
D12                  16.460                16.460                16.460
D17                  21.941                13.751                 2.000
D23                   4.659                12.849                24.598
D33                  25.146                16.957                 5.208
D40                  38.453                46.644                58.394
１．２ｍ合焦時
短焦点距離端          中間焦点距離          長焦点距離端
Ｆナンバー              4.6                   5.1                   5.8
焦点距離              81.55                139.07                187.68
物像間距離          1200.00               1200.00               1200.00
倍率                 -0.080                -0.148                -0.313
半画角                 13.7                   7.0                   3.2
像高                  21.64                 21.64                 21.64
バックフォーカス      40.44                 48.63                 60.38
レンズ全長           193.39                219.82                240.00
D5                    2.950                29.380                49.564
D8                   11.183                12.567                14.750
D12                   8.277                 5.893                 3.710
D17                  21.941                13.751                 2.000
D23                   4.659                12.849                24.598
D33                  25.146                16.957                 5.208
D40                  38.453                46.644                58.394
（表３）
ズームレンズ群データ
群         始面         焦点距離
1            1           130.42
2            6           -21.93
3           19            33.51
4           24          -134.61
5           34          1414.94
2a           6           227.71
2b           9           -59.73
2c          13           -35.47
防振        30           -62.40
（表４）
主点位置データ
ズームレンズ群
始面     終面     焦点距離     前側主点     主点間隔   後側主点
1          5       130.419       0.182        5.194      9.844     1群
6         17       -21.926      21.421        7.572      7.407     2群
18        23        33.505       2.642        4.388      5.560     3群
24        33      -134.606      14.365        4.397     -4.292     4群
34        40      1414.938     -35.242        5.643     49.170     5群
サブレンズ群
始面     終面     焦点距離     前側主点     主点間隔   後側主点
6          8       227.705      -0.776        2.062      4.054  2aサブレンズ群
9         12       -59.732       1.108        1.649      2.242  2bサブレンズ群
13        17       -35.465       1.440        2.155      3.004  2cサブレンズ群
6         12       -85.109      10.854        3.294     -0.809  2abサブレンズ群
9         17       -18.367      11.540        7.322      9.198  2bcサブレンズ群
【０１４５】
［数値実施例２］
図２０〜図３０と表５〜表８は、数値実施例２によるズームレンズ系を示している。図２０は、短焦点距離端における無限遠合焦時のレンズ構成図である。図２１、図２２は、短焦点距離端における無限遠合焦時、１．２ｍ合焦時の縦収差図である。図２３、図２４は、短焦点距離端における無限遠合焦時、１．２ｍ合焦時の横収差図である。図２５は、図２３の防振駆動時の横収差図である。図２６、図２７は、長焦点距離端における無限遠合焦時、１．２ｍ合焦時の縦収差図である。図２８、図２９は、長焦点距離端における無限遠合焦時、１．２ｍ合焦時の横収差図である。図３０は、図２８の防振駆動時（±０．３°）の横収差図である。表５は面データ、表６は各種データ、表７はズームレンズ群データ、表８は主点位置データである。
【０１４６】
数値実施例２のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、負の屈折力の第４レンズ群Ｇ４と、負の屈折力の第５レンズ群Ｇ５とから構成されている（つまり正負正負負の５群ズームレンズ構成となる）。
【０１４７】
第１レンズ群Ｇ１は、物体側から順に、両凸正レンズ１１Ｂと、物体側に凸の負メニスカスレンズ１２Ｂと、物体側に凸の正メニスカスレンズ１３Ｂとから構成されている。負メニスカスレンズ１２Ｂと正メニスカスレンズ１３Ｂは、接合されている。
【０１４８】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の負メニスカスレンズ２１Ｂと、物体側に凸の正メニスカスレンズ２２Ｂとから構成されている。負メニスカスレンズ２１Ｂと正メニスカスレンズ２２Ｂは、接合されている。
第２ｂレンズ群Ｇ２ｂは、物体側から順に、両凹負レンズ２３Ｂと、物体側に凸の正メニスカスレンズ２４Ｂとから構成されている。
第２ｃレンズ群Ｇ２ｃは、物体側から順に、両凹負レンズ２５Ｂと、像側に凸の正メニスカスレンズ２６Ｂと、両凹負レンズ２７Ｂと、物体側に凸の正メニスカスレンズ２８Ｂとから構成されている。正メニスカスレンズ２６Ｂと両凹負レンズ２７Ｂと正メニスカスレンズ２８Ｂは、接合されている。
【０１４９】
第３レンズ群Ｇ３は、物体側から順に、両凸正レンズ３１Ｂと、両凸正レンズ３２Ｂと、像側に凸の負メニスカスレンズ３３Ｂとから構成されている。両凸正レンズ３２Ｂと負メニスカスレンズ３３Ｂは、接合されている。
【０１５０】
第４レンズ群Ｇ４は、物体側から順に、正の屈折力の第４ａレンズ群Ｇ４ａと、負の屈折力の第４ｂレンズ群Ｇ４ｂとから構成されている。
第４ａレンズ群Ｇ４ａは、物体側から順に、両凹負レンズ４１Ｂと、両凸正レンズ４２Ｂと、両凸正レンズ４３Ｂとから構成されている。両凹負レンズ４１Ｂと両凸正レンズ４２Ｂは、接合されている。
第４ｂレンズ群Ｇ４ｂは、物体側から順に、両凸正レンズ４４Ｂと、両凹負レンズ４５Ｂとから構成されている。
【０１５１】
第５レンズ群Ｇ５は、物体側から順に、両凸正レンズ５１Ｂと、像側に凸の負メニスカスレンズ５２Ｂと、像側に凸の正メニスカスレンズ５３Ｂとから構成されている。
【０１５２】
（表５）
面データ
面番号             r             D             N(d)             ν(d)
1              139.763         4.500        1.48749             70.2
2            -4443.525         0.200
3               68.823         1.950        1.85883             30.0
4               49.243         8.400        1.49700             81.6
5              688.357           D5
6               81.370         1.340        1.83481             42.7
7               37.593         6.100        1.59410             60.5
8              858.649           D8
9             -236.261         1.000        1.65160             58.5
10              24.526         1.400
11              24.395         2.600        1.75520             27.5
12              38.249          D12
13            -221.191         1.000        1.91082             35.2
14             122.370         2.000
15            -118.823         3.400        1.62004             36.3
16             -37.301         1.200        1.87070             40.7
17              33.219         2.900        1.89286             20.4
18             288.780          D18
19絞          INFINITY        2.000
20             438.709         3.930        1.80400             46.5
21             -56.933         0.200
22              31.295         6.260        1.53775             74.7
23             -45.961         1.200        1.80810             22.8
24            -390.140         D24
25             -73.691         1.000        2.05090             26.9
26              74.990         3.040        1.49700             81.6
27             -81.076         0.200
28              40.313         3.000        1.80610             33.3
29            -193.599         2.000
30             276.350         1.800        1.84666             23.8
31             -54.629         1.200
32             -46.398         0.950        1.77250             49.6
33              38.565          D33
34             134.664         2.900        1.68893             31.1
35             -51.606         3.280
36             -23.022         1.150        1.95375             32.3
37            -135.545         0.200
38            -460.628         2.900        1.56732             42.8
39             -47.532          D39
40            INFINITY         1.500        1.51633             64.1
41            INFINITY            -
（表６）
各種データ
ズーム比（変倍比）   4.04
無限遠合焦時
短焦点距離端          中間焦点距離          長焦点距離端
Ｆナンバー              4.6                   5.1                   5.9
焦点距離              72.08                135.00                291.30
物像間距離         INFINITY              INFINITY              INFINITY
倍率                  0.000                 0.000                 0.000
半画角                 16.3                   8.8                   4.1
像高                  21.64                 21.64                 21.64
バックフォーカス      45.01                 53.61                 65.62
レンズ全長           196.27                219.60                237.97
D5                    2.950                26.251                44.619
D9                    3.000                 3.000                 3.000
D12                  16.460                16.460                16.460
D18                  22.612                14.011                 2.000
D24                   4.607                13.208                25.219
D33                  26.459                17.858                 5.847
D39                  43.018                51.619                63.631
１．２ｍ合焦時
短焦点距離端          中間焦点距離          長焦点距離端
Ｆナンバー              4.6                   5.1                   5.9
焦点距離              83.46                139.33                182.55
物像間距離          1200.00               1200.00               1200.00
倍率                 -0.082                -0.152                -0.320
半画角                 12.9                   6.8                   3.1
像高                  21.64                 21.64                 21.64
バックフォーカス      45.01                 53.61                 65.62
レンズ全長           196.27                219.60                237.97
D5                    2.950                26.251                44.619
D9                   12.486                13.175                14.760
D12                   6.975                 6.285                 4.701
D18                  22.612                14.011                 2.000
D24                   4.607                13.208                25.219
D33                  26.459                17.858                 5.847
D39                  43.018                51.619                63.631
（表７）
ズームレンズ群データ
群         始面         焦点距離
1           1            123.06
2           6            -21.14
3          20             33.73
4          25           -149.32
5          34           -318.57
2a          6            309.79
2b          9            -56.84
2c         13            -37.35
防振       30            -58.09
（表８）
主点位置データ
ズームレンズ群
始面     終面     焦点距離     前側主点     主点間隔   後側主点
1          5       123.058       0.297        5.237     9.515     1群
6         18       -21.137      22.336       10.510     9.553     2群
19        24        33.729       3.667        4.531     5.392     3群
25        33      -149.315      13.384        4.361    -4.555     4群
34        39      -318.572      17.050        1.998    -8.618     5群
サブレンズ群
始面     終面     焦点距離     前側主点     主点間隔   後側主点
6          9       309.788      -2.429        2.920     6.950  2aサブレンズ群
9         12       -56.843       1.207        1.606     2.187  2bサブレンズ群
13        18       -37.346       2.478        3.838     4.184  2cサブレンズ群
6         12       -72.829      11.865        4.011    -0.436  2abサブレンズ群
9         18       -18.409      11.620        9.315    11.025  2bcサブレンズ群
【０１５３】
［数値実施例３］
図３１〜図４１と表９〜表１２は、数値実施例３によるズームレンズ系を示している。図３１は、短焦点距離端における無限遠合焦時のレンズ構成図である。図３２、図３３は、短焦点距離端における無限遠合焦時、１．２ｍ合焦時の縦収差図である。図３４、図３５は、短焦点距離端における無限遠合焦時、１．２ｍ合焦時の横収差図である。図３６は、図３４の防振駆動時の横収差図である。図３７、図３８は、長焦点距離端における無限遠合焦時、１．２ｍ合焦時の縦収差図である。図３９、図４０は、長焦点距離端における無限遠合焦時、１．２ｍ合焦時の横収差図である。図４１は、図３９の防振駆動時（±０．３°）の横収差図である。表９は面データ、表１０は各種データ、表１１はズームレンズ群データ、表１２は主点位置データである。
【０１５４】
数値実施例３のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、負の屈折力の第４レンズ群Ｇ４と、負の屈折力の第５レンズ群Ｇ５とから構成されている（つまり正負正負負の５群ズームレンズ構成となる）。
【０１５５】
第１レンズ群Ｇ１は、物体側から順に、両凸正レンズ１１Ｃと、物体側に凸の負メニスカスレンズ１２Ｃと、物体側に凸の正メニスカスレンズ１３Ｃとから構成されている。負メニスカスレンズ１２Ｃと正メニスカスレンズ１３Ｃは、接合されている。
【０１５６】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の負メニスカスレンズ２１Ｃと、両凸正レンズ２２Ｃとから構成されている。負メニスカスレンズ２１Ｃと両凸正レンズ２２Ｃは、接合されている。
第２ｂレンズ群Ｇ２ｂは、物体側から順に、両凹負レンズ２３Ｃと、物体側に凸の正メニスカスレンズ２４Ｃとから構成されている。
第２ｃレンズ群Ｇ２ｃは、物体側から順に、両凹負レンズ２５Ｃと、両凹負レンズ２６Ｃと、物体側に凸の正メニスカスレンズ２７Ｃとから構成されている。両凹負レンズ２６Ｃと正メニスカスレンズ２７Ｃは、接合されている。
【０１５７】
第３レンズ群Ｇ３は、物体側から順に、両凸正レンズ３１Ｃと、両凸正レンズ３２Ｃと、像側に凸の負メニスカスレンズ３３Ｃとから構成されている。両凸正レンズ３２Ｃと負メニスカスレンズ３３Ｃは、接合されている。
【０１５８】
第４レンズ群Ｇ４は、物体側から順に、正の屈折力の第４ａレンズ群Ｇ４ａと、負の屈折力の第４ｂレンズ群Ｇ４ｂとから構成されている。
第４ａレンズ群Ｇ４ａは、物体側から順に、両凹負レンズ４１Ｃと、両凸正レンズ４２Ｃと、両凸正レンズ４３Ｃとから構成されている。
第４ｂレンズ群Ｇ４ｂは、物体側から順に、像側に凸の正メニスカスレンズ４４Ｃと、両凹負レンズ４５Ｃとから構成されている。
【０１５９】
第５レンズ群Ｇ５は、物体側から順に、両凸正レンズ５１Ｃと、像側に凸の負メニスカスレンズ５２Ｃと、像側に凸の負メニスカスレンズ５３Ｃと、両凸正レンズ５４Ｃとから構成されている。両凸正レンズ５１Ｃと負メニスカスレンズ５２Ｃは、接合されている。
【０１６０】
（表９）
面データ
面番号             r             D             N(d)             ν(d)
1              186.417         4.050        1.48749             70.2
2            -1822.306         0.200
3               95.344         1.950        1.73800             32.3
4               59.003         7.420        1.49700             81.6
5             4141.382           D5
6               98.011         1.340        1.73800             32.3
7               65.395         4.000        1.65160             58.5
8            -1355.397           D8
9             -209.666         1.000        1.65160             58.5
10              23.388         1.400
11              23.552         2.600        1.80518             25.4
12              37.887          D12
13            -149.496         1.000        1.95375             32.3
14             108.565         2.000
15             -90.953         1.200        1.80400             46.5
16              40.982         2.400        1.80810             22.8
17             853.949          D17
18絞          INFINITY         2.000
19              63.174         3.930        1.80400             46.5
20             -84.994         0.200
21              48.043         5.260        1.59522             67.7
22             -43.499         1.200        2.00069             25.5
23            -376.671          D23
24            -110.331         1.000        1.90366             31.3
25             110.962         1.280
26              71.711         3.040        1.59410             60.5
27            -224.850         0.200
28              58.111         3.000        1.80400             46.5
29            -261.671         2.000
30            -279.636         1.800        1.80518             25.4
31             -50.194         1.200
32             -46.652         0.950        1.77250             49.6
33              45.680          D33
34             109.803         6.560        1.60342             38.0
35             -22.102         1.200        1.91082             35.2
36             -56.098         2.515
37             -27.654         1.150        1.83481             42.7
38             -93.015         0.200
39            5565.113         3.900        1.64769             33.8
40             -53.577          D40
41            INFINITY         1.500        1.51633             64.1
42            INFINITY           -
（表１０）
各種データ
ズーム比（変倍比）   4.04
無限遠合焦時
短焦点距離端          中間焦点距離          長焦点距離端
Ｆナンバー              4.6                   5.1                   5.8
焦点距離              72.08                135.00                291.30
物像間距離         INFINITY              INFINITY              INFINITY
倍率                  0.000                 0.000                 0.000
半画角                 16.5                   8.8                   4.1
像高                  21.64                 21.64                 21.64
バックフォーカス      40.25                 49.59                 62.32
レンズ全長           193.46                226.53                252.89
D5                    2.950                36.022                62.381
D8                    3.000                 3.000                 3.000
D12                  16.460                16.460                16.460
D17                  24.079                14.732                 2.000
D23                   4.659                14.007                26.737
D33                  28.918                19.570                 6.840
D40                  38.256                47.605                60.335
１．２ｍ合焦時
短焦点距離端          中間焦点距離          長焦点距離端
Ｆナンバー              4.6                   5.1                   5.8
焦点距離              80.18                138.28                189.66
物像間距離          1200.00               1200.00               1200.00
倍率                 -0.079                -0.148                -0.312
半画角                 13.7                   7.0                   3.2
像高                  21.64                 21.64                 21.64
バックフォーカス      40.25                 49.59                 62.32
レンズ全長           193.46                226.53                252.89
D5                    2.950                36.022                62.381
D8                    9.840                11.703                14.414
D12                   9.622                 6.758                 4.046
D17                  24.079                14.732                 2.000
D23                   4.659                14.007                26.737
D33                  28.918                19.570                 6.840
D40                  38.256                47.605                60.335
（表１１）
ズームレンズ群データ
群         始面         焦点距離
1            1           155.21
2            6           -25.78
3           19            35.50
4           24          -151.03
5           34         -6472.48
2a           6           149.55
2b           9           -57.62
2c          13           -39.60
防振        30           -50.36
（表１２）
主点位置データ
ズームレンズ群
始面     終面     焦点距離     前側主点     主点間隔   後側主点
1          5       155.206      0.910         4.632      8.078     1群
6         17       -25.779     22.623         6.738      7.039     2群
18        23        35.500      2.530         4.398      5.662     3群
24        33      -151.031     17.072         4.071     -6.673     4群
34        40     -6472.478    -39.590         4.357     50.758     5群
サブレンズ群
始面     終面     焦点距離     前側主点     主点間隔   後側主点
6          8      149.545       0.077         2.143     3.120  2aサブレンズ群
9         12      -57.617       1.131         1.650     2.219  2bサブレンズ群
13        17      -39.604       1.219         2.134     3.247  2cサブレンズ群
6         12     -101.756      12.882         3.172    -2.714  2abサブレンズ群
9         17      -19.483      10.920         7.164     9.976  2bcサブレンズ群
【０１６１】
［数値実施例４］
図４２〜図５２と表１３〜表１６は、数値実施例４によるズームレンズ系を示している。図４２は、短焦点距離端における無限遠合焦時のレンズ構成図である。図４３、図４４は、短焦点距離端における無限遠合焦時、１．２ｍ合焦時の縦収差図である。図４５、図４６は、短焦点距離端における無限遠合焦時、１．２ｍ合焦時の横収差図である。図４７は、図４５の防振駆動時の横収差図である。図４８、図４９は、長焦点距離端における無限遠合焦時、１．２ｍ合焦時の縦収差図である。図５０、図５１は、長焦点距離端における無限遠合焦時、１．２ｍ合焦時の横収差図である。図５２は、図５０の防振駆動時（±０．３°）の横収差図である。表１３は面データ、表１４は各種データ、表１５はズームレンズ群データ、表１６は主点位置データである。
【０１６２】
数値実施例４のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、正の屈折力の第４レンズ群Ｇ４と、負の屈折力の第５レンズ群Ｇ５と、負の屈折力の第６レンズ群Ｇ６とから構成されている（つまり正負正正負負の６群ズームレンズ構成となる）。
【０１６３】
第１レンズ群Ｇ１は、物体側から順に、物体側に凸の平凸正レンズ１１Ｄと、物体側に凸の負メニスカスレンズ１２Ｄと、物体側に凸の正メニスカスレンズ１３Ｄとから構成されている。負メニスカスレンズ１２Ｄと正メニスカスレンズ１３Ｄは、接合されている。
【０１６４】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、両凸正レンズ２１Ｄと、像側に凸の負メニスカスレンズ２２Ｄとから構成されている。両凸正レンズ２１Ｄと負メニスカスレンズ２２Ｄは、接合されている。
第２ｂレンズ群Ｇ２ｂは、物体側から順に、両凹負レンズ２３Ｄと、物体側に凸の正メニスカスレンズ２４Ｄとから構成されている。
第２ｃレンズ群Ｇ２ｃは、物体側から順に、両凹負レンズ２５Ｄと、物体側に凸の正メニスカスレンズ２６Ｄと、両凹負レンズ２７Ｄとから構成されている。両凹負レンズ２５Ｄと正メニスカスレンズ２６Ｄは、接合されている。
【０１６５】
第３レンズ群Ｇ３は、物体側から順に、両凸正レンズ３１Ｄと、両凸正レンズ３２Ｄと、像側に凸の負メニスカスレンズ３３Ｄとから構成されている。両凸正レンズ３２Ｄと負メニスカスレンズ３３Ｄは、接合されている。
【０１６６】
第４レンズ群Ｇ４は、物体側から順に、物体側に凸の負メニスカスレンズ４１Ｄと、両凸正レンズ４２Ｄと、物体側に凸の正メニスカスレンズ４３Ｄとから構成されている。負メニスカスレンズ４１Ｄと両凸正レンズ４２Ｄは、接合されている。
【０１６７】
第５レンズ群Ｇ５は、物体側に凸の負メニスカスレンズ５１Ｄから構成されている。
【０１６８】
第６レンズ群Ｇ６は、物体側から順に、両凹負レンズ６１Ｄと、両凸正レンズ６２Ｄとから構成されている。両凹負レンズ６１Ｄと両凸正レンズ６２Ｄは、接合されている。
【０１６９】
（表１３）
面データ
面番号             r             D             N(d)             ν(d)
1               95.549         5.400         1.48749            70.2
2              INFINITY        0.200
3               93.980         1.950         1.83400            37.2
4               54.009         8.100         1.49700            81.6
5              538.374           D5
6               71.512         5.590         1.51823            59.0
7              -98.080         1.380         1.95375            32.3
8             -194.492           D8
9             -230.444         1.000         1.75500            52.3
10              27.962         1.400
11              26.420         2.400         1.84666            23.8
12              41.166          D12
13             -67.460         1.000         1.78800            47.4
14              38.494         2.900         1.85478            24.8
15             427.561         2.000
16             -83.084         1.000         1.83481            42.7
17             873.197          D17
18絞          INFINITY         2.000
19             127.859         2.930         1.80400            46.5
20             -88.194         0.200
21              51.974         5.170         1.49700            81.6
22             -44.897         1.200         1.90366            31.3
23            -162.261          D23
24              81.995         1.200         2.00100            29.1
25              35.316         5.000         1.48749            70.2
26            -133.881         0.200
27              52.803         2.000         1.90043            37.4
28             336.536          D28
29             111.476         1.000         1.66672            48.3
30              30.261          D30
31             -37.239         1.200         1.48749            70.2
32              70.193         5.550         1.76200            40.1
33             -87.277          D33
34            INFINITY         1.500         1.51633            64.1
35            INFINITY           -
（表１４）
各種データ
ズーム比（変倍比）   4.04
無限遠合焦時
短焦点距離端          中間焦点距離          長焦点距離端
Ｆナンバー              4.6                   5.2                   5.7
焦点距離              72.08                135.00                291.30
物像間距離         INFINITY              INFINITY              INFINITY
倍率                  0.000                 0.000                 0.000
半画角                 17.2                   9.0                   4.1
像高                  21.64                 21.64                 21.64
バックフォーカス      35.96                 52.45                 60.50
レンズ全長           193.71                219.79                248.87
D5                    2.950                29.033                58.110
D8                    2.000                 2.000                 2.000
D12                  12.183                12.183                12.183
D17                  26.445                14.029                 2.000
D23                  20.007                15.936                19.919
D28                   5.000                 6.860                 2.074
D30                  27.189                25.329                30.115
D33                  33.975                50.463                58.510
１．２ｍ合焦時
短焦点距離端          中間焦点距離          長焦点距離端
Ｆナンバー              4.6                   5.2                   5.7
焦点距離              79.46                137.92                206.36
物像間距離          1200.00               1200.00               1200.00
倍率                 -0.077                -0.145                -0.306
半画角                 14.5                   7.4                   3.3
像高                  21.64                 21.64                 21.64
バックフォーカス      35.96                 52.45                 60.50
レンズ全長           193.71                219.79                248.87
D5                    2.950                29.033                58.110
D8                    7.578                 9.026                11.976
D12                   6.605                 5.157                 2.207
D17                  26.445                14.029                 2.000
D23                  20.007                15.936                19.919
D28                   5.000                 6.860                 2.074
D30                  27.189                25.329                30.115
D33                  33.975                50.463                58.510
（表１５）
ズームレンズ群データ
群         始面         焦点距離
1            1           144.43
2            6           -28.06
3           19            46.42
4           24            63.12
5           29           -62.61
6           31        -15551.99
2a           6           130.08
2b           9           -54.78
2c          13           -42.55
防振        13           -42.55
（表１６）
主点位置データ
ズームレンズ群
始面     終面     焦点距離     前側主点     主点間隔   後側主点
1          5       144.428      -0.835        5.465    11.019     1群
6         17       -28.060      20.760        6.612     5.481     2群
18        23        46.415       2.825        3.607     5.068     3群
24        28        63.118       4.004        3.161     1.234     4群
29        30       -62.608       0.828        0.397    -0.225     5群
31        33    -15551.988    -584.947      -20.212   611.909     6群
サブレンズ群
始面     終面     焦点距離     前側主点     主点間隔   後側主点
6          8       130.079       0.680        2.551     3.739  2aサブレンズ群
9         12       -54.776       0.984        1.612     2.205  2bサブレンズ群
13        17       -42.553       2.095        2.325     2.480  2cサブレンズ群
6         12      -103.898      13.433        3.503    -3.166  2abサブレンズ群
9         17       -20.480       8.917        6.323     8.643  2bcサブレンズ群
【０１７０】
［数値実施例５］
図５３〜図６３と表１７〜表２０は、数値実施例５によるズームレンズ系を示している。図５３は、短焦点距離端における無限遠合焦時のレンズ構成図である。図５４、図５５は、短焦点距離端における無限遠合焦時、１．２ｍ合焦時の縦収差図である。図５６、図５７は、短焦点距離端における無限遠合焦時、１．２ｍ合焦時の横収差図である。図５８は、図５６の防振駆動時の横収差図である。図５９、図６０は、長焦点距離端における無限遠合焦時、１．２ｍ合焦時の縦収差図である。図６１、図６２は、長焦点距離端における無限遠合焦時、１．２ｍ合焦時の横収差図である。図６３は、図６１の防振駆動時（±０．３°）の横収差図である。表１７は面データ、表１８は各種データ、表１９はズームレンズ群データ、表２０は主点位置データである。
【０１７１】
数値実施例５のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、負の屈折力の第４レンズ群Ｇ４と、負の屈折力の第５レンズ群Ｇ５とから構成されている（つまり正負正負負の５群ズームレンズ構成となる）。
【０１７２】
第１レンズ群Ｇ１は、物体側から順に、物体側に凸の平凸正レンズ１１Ｅと、物体側に凸の負メニスカスレンズ１２Ｅと、物体側に凸の正メニスカスレンズ１３Ｅとから構成されている。負メニスカスレンズ１２Ｅと正メニスカスレンズ１３Ｅは、接合されている。
【０１７３】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、両凸正レンズ２１Ｅと、像側に凸の負メニスカスレンズ２２Ｅから構成されている。両凸正レンズ２１Ｅと負メニスカスレンズ２２Ｅは、接合されている。
第２ｂレンズ群Ｇ２ｂは、物体側から順に、両凹負レンズ２３Ｅと、物体側に凸の正メニスカスレンズ２４Ｅとから構成されている。
第２ｃレンズ群Ｇ２ｃは、物体側から順に、像側に凸の負メニスカスレンズ２５Ｅと、両凹負レンズ２６Ｅと、物体側に凸の正メニスカスレンズ２７Ｅと、像側に凸の負メニスカスレンズ２８Ｅとから構成されている。両凹負レンズ２６Ｅと正メニスカスレンズ２７Ｅは、接合されている。
【０１７４】
第３レンズ群Ｇ３は、物体側から順に、両凸正レンズ３１Ｅと、両凸正レンズ３２Ｅと、両凹負レンズ３３Ｅと、物体側に凸の負メニスカスレンズ３４Ｅと、両凸正レンズ３５Ｅと、物体側に凸の正メニスカスレンズ３６Ｅとから構成されている。両凸正レンズ３２Ｅと両凹負レンズ３３Ｅは、接合されている。負メニスカスレンズ３４Ｅと両凸正レンズ３５Ｅは、接合されている。
【０１７５】
第４レンズ群Ｇ４は、物体側から順に、両凸正レンズ４１Ｅと、両凹負レンズ４２Ｅとから構成されている。両凸正レンズ４１Ｅと両凹負レンズ４２Ｅは、接合されている。
【０１７６】
第５レンズ群Ｇ５は、像側に凸の負メニスカスレンズ５１Ｅから構成されている。
【０１７７】
（表１７）
面データ
面番号             r             D             N(d)             ν(d)
1              120.884         5.400        1.48749             70.2
2             INFINITY         0.200
3              109.398         1.950        1.73800             32.3
4               58.845         8.100        1.53775             74.7
5             1249.592           D5
6               81.455         5.590        1.59410             60.5
7             -121.229         1.380        1.90366             31.3
8             -288.457           D8
9             -322.128         1.000        1.75500             52.3
10              26.652         1.400
11              25.806         2.400        1.84666             23.8
12              42.918          D12
13             -58.813         1.000        1.61997             63.9
14            -296.883         1.300
15            -187.864         1.000        1.80400             46.5
16              24.516         4.100        1.80000             29.9
17             540.867         1.500
18             -70.350         1.000        1.88300             40.8
19           -1156.493          D19
20絞          INFINITY         2.000
21             513.556         2.930        1.75500             52.3
22             -57.197         0.200
23              34.940         5.170        1.49700             81.6
24             -52.550         1.200        1.90366             31.3
25             421.282        21.661
26             118.288         1.200        2.00100             29.1
27              39.474         4.500        1.48749             70.2
28             -86.850         0.200
29              58.198         2.500        1.85883             30.0
30             906.824          D30
31             702.226         2.200        1.80810             22.8
32             -52.353         1.000        1.67270             32.1
33              59.484          D33
34             -25.672         1.200        1.48749             70.2
35             -39.726          D35
36            INFINITY         1.500        1.51633             64.1
37            INFINITY           -
（表１８）
各種データ
ズーム比（変倍比）   4.04
無限遠合焦時
短焦点距離端          中間焦点距離          長焦点距離端
Ｆナンバー              4.6                   5.2                   5.7
焦点距離              72.08                135.00                291.29
物像間距離         INFINITY              INFINITY              INFINITY
倍率                  0.000                 0.000                 0.000
半画角                 16.9                   8.9                   4.1
像高                  21.64                 21.64                 21.64
バックフォーカス      38.53                 51.59                 59.79
レンズ全長           194.98                218.62                250.45
D5                    2.950                26.597                58.426
D8                    2.000                 2.000                 2.000
D12                  12.709                12.709                12.709
D19                  23.262                10.198                 2.000
D30                   5.059                15.969                 1.250
D33                  27.189                16.279                30.998
D35                  36.538                49.603                57.798
１．２ｍ合焦時
短焦点距離端          中間焦点距離          長焦点距離端
Ｆナンバー              4.6                   5.3                   5.7
焦点距離              77.98                132.32                192.60
物像間距離          1200.00               1200.00               1200.00
倍率                 -0.076                -0.144                -0.304
半画角                 14.4                   7.3                   3.2
像高                  21.64                 21.64                 21.64
バックフォーカス      38.53                 51.59                 59.79
レンズ全長           194.98                218.62                250.45
D5                    2.950                26.597                58.426
D8                    7.345                 8.691                12.004
D12                   7.364                 6.018                 2.705
D19                  23.262                10.198                 2.000
D30                   5.059                15.969                 1.250
D33                  27.189                16.279                30.998
D35                  36.538                49.603                57.798
（表１９）
ズームレンズ群データ
群         始面         焦点距離
1            1           143.62
2            6           -26.23
3           21            39.27
4           31          -132.72
5           34          -153.14
2a           6           127.44
2b           9           -58.97
2c          13           -36.77
防振        15           -55.64
（表２０）
主点位置データ
ズームレンズ群
始面     終面     焦点距離     前側主点     主点間隔   後側主点
1          5       143.616       0.678        5.462     9.510     1群
6         19       -26.228      22.635        7.803     5.940     2群
20        30        39.267      20.743       -5.053    25.871     3群
31        33      -132.722       2.303        1.379    -0.482     4群
34        35      -153.143      -1.516        0.370     2.346     5群
サブレンズ群
始面     終面     焦点距離     前側主点     主点間隔   後側主点
6          8       127.435       0.551        2.716      3.703  2aサブレンズ群
9         12       -58.971       0.852        1.606      2.342  2bサブレンズ群
13        19       -36.777       3.239        3.324      3.338  2cサブレンズ群
6         12      -121.387      14.045        3.627     -3.903  2abサブレンズ群
9         19       -19.018      10.310        7.863      9.236  2bcサブレンズ群
【０１７８】
［数値実施例６］
図６４〜図７４と表２１〜表２４は、数値実施例６によるズームレンズ系を示している。図６４は、短焦点距離端における無限遠合焦時のレンズ構成図である。図６５、図６６は、短焦点距離端における無限遠合焦時、１．２ｍ合焦時の縦収差図である。図６７、図６８は、短焦点距離端における無限遠合焦時、１．２ｍ合焦時の横収差図である。図６９は、図６７の防振駆動時の横収差図である。図７０、図７１は、長焦点距離端における無限遠合焦時、１．２ｍ合焦時の縦収差図である。図７２、図７３は、長焦点距離端における無限遠合焦時、１．２ｍ合焦時の横収差図である。図７４は、図７２の防振駆動時（±０．３°）の横収差図である。表２１は面データ、表２２は各種データ、表２３はズームレンズ群データ、表２４は主点位置データである。
【０１７９】
数値実施例６のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、正の屈折力の第４レンズ群Ｇ４とから構成されている（つまり正負正正の４群ズームレンズ構成となる）。
【０１８０】
第１レンズ群Ｇ１は、物体側から順に、物体側に凸の負メニスカスレンズ１１Ｆと、両凸正レンズ１２Ｆと、物体側に凸の正メニスカスレンズ１３Ｆとから構成されている。
【０１８１】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の負メニスカスレンズ２１Ｆと、物体側に凸の正メニスカスレンズ２２Ｆとから構成されている。
第２ｂレンズ群Ｇ２ｂは、物体側から順に、両凹負レンズ２３Ｆと、物体側に凸の正メニスカスレンズ２４Ｆとから構成されている。
第２ｃレンズ群Ｇ２ｃは、両凹負レンズ２５Ｆと、両凹負レンズ２６Ｆと、両凸正レンズ２７Ｆとから構成されている。両凹負レンズ２６Ｆと両凸正レンズ２７Ｆは、接合されている。
【０１８２】
第３レンズ群Ｇ３は、物体側から順に、両凸正レンズ３１Ｆと、像側に凸の正メニスカスレンズ３２Ｆと、像側に凸の負メニスカスレンズ３３Ｆとから構成されている。正メニスカスレンズ３２Ｆと負メニスカスレンズ３３Ｆは、接合されている。
【０１８３】
第４レンズ群Ｇ４は、物体側から順に、正の屈折力の第４ａレンズ群Ｇ４ａと、負の屈折力の第４ｂレンズ群Ｇ４ｂと、正の屈折力の第４ｃレンズ群Ｇ４ｃとから構成されている。
第４ａレンズ群Ｇ４ａは、物体側から順に、物体側に凸の負メニスカスレンズ４１Ｆと、両凸正レンズ４２Ｆと、物体側に凸の正メニスカスレンズ４３Ｆと、物体側に凸の正メニスカスレンズ４４Ｆと、物体側に凸の負メニスカスレンズ４５Ｆと、両凸正レンズ４６Ｆとから構成されている。負メニスカスレンズ４１Ｆと両凸正レンズ４２Ｆは、接合されている。正メニスカスレンズ４４Ｆと負メニスカスレンズ４５Ｆは、接合されている。
第４ｂレンズ群Ｇ４ｂは、物体側から順に、両凸正レンズ４７Ｆと、両凹負レンズ４８Ｆと、像側に凸の負メニスカスレンズ４９Ｆとから構成されている。両凸正レンズ４７Ｆと両凹負レンズ４８Ｆは、接合されている。
第４ｃレンズ群Ｇ４ｃは、物体側から順に、両凸正レンズ５０Ｆと、像側に凸の正メニスカスレンズ５１Ｆと、像側に凸の負メニスカスレンズ５２Ｆとから構成されている。正メニスカスレンズ５１Ｆと負メニスカスレンズ５２Ｆは、接合されている。
【０１８４】
（表２１）
面データ
面番号             r             D             N(d)             ν(d)
1              211.989         2.710        1.85478             24.8
2               99.937         0.980
3              119.824         7.800        1.49700             81.6
4            -1695.428         0.200
5               87.128         8.600        1.72916             54.1
6             1485.614           D6
7               74.974         2.070        1.73800             32.3
8               47.595         2.410
9               64.981         8.700        1.61997             63.9
10             595.830          D10
11            -839.107         1.500        1.78800             47.4
12              34.909         2.000
13              35.588         3.500        1.80810             22.8
14              63.361          D14
15             -95.248         1.320        1.80400             46.6
16             111.987         4.500
17             -64.408         1.370        1.61800             63.4
18             149.839         4.600        2.05090             26.9
19            -157.190          D19
20             301.713         3.080        1.90043             37.4
21            -250.285         0.200
22            -565.980         7.160        1.49700             81.6
23             -46.079         1.530        2.00100             29.1
24             -75.606          D24
25絞          INFINITY        2.400
26              81.830         1.510        1.90366             31.3
27              40.840         7.500        1.49700             81.6
28            -459.366         0.500
29              43.465         4.600        1.85025             30.0
30              81.416         3.620
31              76.442         5.800        1.59410             60.5
32             173.707         1.390        1.90366             31.3
33              53.463         5.990
34              73.105         5.240        1.75500             52.3
35            -158.062         1.800
36             258.881         4.000        1.84666             23.8
37            -114.093         1.230        1.61405             55.0
38              31.643         6.500
39             -59.612         1.140        1.50137             56.4
40           -1064.653         3.600
41              91.538         4.960        1.67003             47.3
42            -118.728         1.580
43            -311.030         6.880        1.64850             53.0
44             -26.359         1.240        2.00100             29.1
45             -91.199        50.757
46            INFINITY         1.500        1.51680             64.2
47            INFINITY           -
（表２２）
各種データ
ズーム比（変倍比）   2.69
無限遠合焦時
短焦点距離端          中間焦点距離          長焦点距離端
Ｆナンバー              2.9                   2.9                   2.9
焦点距離              72.08                100.00                194.00
物像間距離         INFINITY              INFINITY              INFINITY
倍率                  0.000                 0.000                 0.000
半画角                 16.5                  11.9                   6.1
像高                  21.64                 21.64                 21.64
バックフォーカス      52.75                 52.75                 52.75
レンズ全長           258.17                258.17                258.17
D6                    1.200                17.662                38.546
D10                   2.000                 2.000                 2.000
D14                  16.700                16.700                16.700
D19                  40.743                31.979                 2.000
D24                   9.075                 1.370                10.472
１．２ｍ合焦時
短焦点距離端          中間焦点距離          長焦点距離端
Ｆナンバー              2.9                   2.9                   2.9
焦点距離              84.38                115.00                179.00
物像間距離          1200.00               1200.00               1200.00
倍率                 -0.084                -0.115                -0.215
半画角                 13.1                   9.2                   4.6
像高                  21.64                 21.64                 21.64
バックフォーカス      52.75                 52.75                 52.75
レンズ全長           258.17                258.17                258.17
D6                    1.200                17.662                38.546
D10                  12.164                13.074                15.113
D14                   6.536                 5.626                 3.587
D19                  40.743                31.979                 2.000
D24                   9.075                 1.370                10.472
（表２３）
ズームレンズ群データ
群         始面         焦点距離
1            1           127.16
2            7           -36.87
3           20           125.53
4           26           105.38
2a           6           327.33
2b           9           -76.37
2c          13           -66.08
防振        15           -41.25
（表２４）
主点位置データ
ズームレンズ群
始面     終面     焦点距離     前側主点     主点間隔   後側主点
1          6       127.160       7.591        7.455      5.244     1群
7         19       -36.874      24.433       10.644     15.594     2群
20        24       125.526       3.790        4.459      3.721     3群
25        45       105.382      -7.708       22.230     56.958     4群
サブレンズ群
始面     終面     焦点距離     前側主点     主点間隔   後側主点
7         10       327.330       2.299        4.205      6.676  2aサブレンズ群
11        14       -76.371       1.057        2.327      3.615  2bサブレンズ群
15        19       -66.077      -1.240        3.127      9.903  2cサブレンズ群
7         14      -103.631      15.507        6.139      0.534  2abサブレンズ群
11        19       -31.242      10.077        7.707     17.706  2bcサブレンズ群
【０１８５】
［数値実施例７］
図７５〜図８５と表２５〜表２８は、数値実施例７によるズームレンズ系を示している。図７５は、短焦点距離端における無限遠合焦時のレンズ構成図である。図７６、図７７は、短焦点距離端における無限遠合焦時、１．２ｍ合焦時の縦収差図である。図７８、図７９は、短焦点距離端における無限遠合焦時、１．２ｍ合焦時の横収差図である。図８０は、図７８の防振駆動時の横収差図である。図８１、図８２は、長焦点距離端における無限遠合焦時、１．２ｍ合焦時の縦収差図である。図８３、図８４は、長焦点距離端における無限遠合焦時、１．２ｍ合焦時の横収差図である。図８５は、図８３の防振駆動時（±０．３°）の横収差図である。表２５は面データ、表２６は各種データ、表２７はズームレンズ群データ、表２８は主点位置データである。
【０１８６】
数値実施例７のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、正の屈折力の第４レンズ群Ｇ４と、負の屈折力の第５レンズ群Ｇ５とから構成されている（つまり正負正正負の５群ズームレンズ構成となる）。
【０１８７】
第１レンズ群Ｇ１は、物体側から順に、物体側に凸の負メニスカスレンズ１１Ｇと、両凸正レンズ１２Ｇと、物体側に凸の正メニスカスレンズ１３Ｇとから構成されている。負メニスカスレンズ１１Ｇと両凸正レンズ１２Ｇは、接合されている。
【０１８８】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の負メニスカスレンズ２１Ｇと、両凸正レンズ２２Ｇとから構成されている。
第２ｂレンズ群Ｇ２ｂは、物体側から順に、両凹負レンズ２３Ｇと、物体側に凸の正メニスカスレンズ２４Ｇとから構成されている。両凹負レンズ２３Ｇと正メニスカスレンズ２４Ｇは、接合されている。
第２ｃレンズ群Ｇ２ｃは、両凹負レンズ２５Ｇと、両凹負レンズ２６Ｇと、両凸正レンズ２７Ｇとから構成されている。両凹負レンズ２６Ｇと両凸正レンズ２７Ｇは、接合されている。
【０１８９】
第３レンズ群Ｇ３は、物体側から順に、像側に凸の正メニスカスレンズ３１Ｇと、両凸正レンズ３２Ｇと、像側に凸の負メニスカスレンズ３３Ｇとから構成されている。両凸正レンズ３２Ｇと負メニスカスレンズ３３Ｇは、接合されている。
【０１９０】
第４レンズ群Ｇ４は、物体側から順に、両凸正レンズ４１Ｇと、物体側に凸の負メニスカスレンズ４２Ｇと、両凸正レンズ４３Ｇとから構成されている。負メニスカスレンズ４２Ｇと両凸正レンズ４３Ｇは、接合されている。
【０１９１】
第５レンズ群Ｇ５は、物体側から順に、正の屈折力の第５ａレンズ群Ｇ５ａと、負の屈折力の第５ｂレンズ群Ｇ５ｂと、正の屈折力の第５ｃレンズ群Ｇ５ｃとから構成されている。
第５ａレンズ群Ｇ５ａは、物体側から順に、両凸正レンズ５１Ｇと、両凹負レンズ５２Ｇと、両凸正レンズ５３Ｇとから構成されている。両凸正レンズ５１Ｇと両凹負レンズ５２Ｇは、接合されている。
第５ｂレンズ群Ｇ５ｂは、物体側から順に、両凸正レンズ５４Ｇと、両凹負レンズ５５Ｇと、像側に凸の負メニスカスレンズ５６Ｇとから構成されている。
第５ｃレンズ群Ｇ５ｃは、物体側から順に、両凸正レンズ５７Ｇと、像側に凸の正メニスカスレンズ５８Ｇと、像側に凸の負メニスカスレンズ５９Ｇとから構成されている。正メニスカスレンズ５８Ｇと負メニスカスレンズ５９Ｇは、接合されている。
【０１９２】
（表２５）
面データ
面番号             r             D             N(d)             ν(d)
1              218.592         2.700         1.85478            24.8
2              125.729        10.640         1.49700            81.6
3             -278.494         0.200
4               88.406         6.700         1.53775            74.7
5              254.754           D5
6               89.588         2.070         1.73800            32.3
7               48.571         1.300
8               52.655         8.970         1.61800            63.4
9          -312547.760           D9
10            -425.796         1.370         1.76385            48.5
11              33.583         3.900         1.84666            23.8
12              56.336          D12
13            -118.862         1.330         1.74100            52.7
14             123.460         4.500
15             -63.716         1.430         1.72916            54.1
16              79.097         5.960         1.85478            24.8
17            -159.183          D17
18絞          INFINITY         2.500
19           -2372.949         4.410         1.90043            37.4
20             -83.332         0.200
21              91.261         9.320         1.49700            81.6
22             -47.098         1.630         2.00100            29.1
23            -258.484          D23
24              72.775         5.380         1.90043            37.4
25           -1116.604         0.200
26            2238.885         1.220         1.91082            35.2
27              52.682         8.590         1.49700            81.6
28             -88.227          D28
29              44.376         7.900         1.49700            81.6
30             -80.836         1.260         1.80440            39.6
31              54.600         3.546
32              85.944         4.300         1.90366            31.3
33            -124.309         1.800
34             100.024         4.980         1.84666            23.8
35             -89.303         0.543
36             -76.657         1.150         1.72000            50.2
37              27.200         6.500
38             -45.000         1.130         1.65160            58.5
39             -88.138         4.223
40              84.857         5.070         1.70154            41.2
41            -166.669         2.000
42            -900.972         8.460         1.65160            58.5
43             -26.886         1.320         2.00100            29.1
44            -448.101        29.621
45            INFINITY         1.500         1.51680            64.2
46            INFINITY           -
（表２６）
各種データ
ズーム比（変倍比）   2.69
無限遠合焦時
短焦点距離端          中間焦点距離          長焦点距離端
Ｆナンバー              2.9                   2.9                   2.9
焦点距離              72.08                100.00                194.01
物像間距離         INFINITY              INFINITY              INFINITY
倍率                  0.000                 0.000                 0.000
半画角                 16.3                  11.7                   6.0
像高                  21.64                 21.64                 21.64
バックフォーカス      31.61                 31.61                 31.61
レンズ全長           249.68                249.68                249.68
D5                    1.200                14.150                37.750
D9                    2.000                 2.000                 2.000
D12                  16.030                16.030                16.030
D17                  38.290                25.341                 1.740
D23                  18.843                12.389                 3.680
D28                   3.003                 9.457                18.166
１．２ｍ合焦時
短焦点距離端          中間焦点距離          長焦点距離端
Ｆナンバー              2.9                   2.9                   2.9
焦点距離              81.37                106.64                148.93
物像間距離          1200.00               1200.00               1200.00
倍率                 -0.083                -0.113                -0.213
半画角                 13.0                   9.2                   4.8
像高                  21.64                 21.64                 21.64
バックフォーカス      31.61                 31.61                 31.61
レンズ全長           249.68                249.68                249.68
D5                    1.200                14.150                37.750
D9                   10.850                11.571                13.503
D12                   7.180                 6.459                 4.527
D17                  38.290                25.341                 1.740
D23                  18.843                12.389                 3.680
D28                   3.003                 9.457                18.166
（表２７）
ズームレンズ群データ
群         始面         焦点距離
1            1           146.21
2            6           -37.54
3           19           102.99
4           24            89.06
5           29          -113.84
2a           6           203.26
2b           9           -69.67
2c          13           -60.65
防振        15           -41.25
（表２８）
主点位置データ
ズームレンズ群
始面     終面     焦点距離     前側主点     主点間隔   後側主点
1          5       146.210       5.484        7.087      7.670     1群
6         17       -37.540      26.228       10.012     12.620     2群
18        23       102.991       0.857        6.376     10.827     3群
24        28        89.065       2.539        5.634      7.216     4群
29        44      -113.837      55.354        6.600     -7.772     5群
サブレンズ群
始面     終面     焦点距離     前側主点     主点間隔   後側主点
6          9      203.260        2.324        4.279     5.737  2aサブレンズ群
10        12      -69.672        2.887        2.385    -0.002  2bサブレンズ群
13        17      -60.651        0.240        3.700     9.280  2cサブレンズ群
6         12     -115.167       19.885        5.747    -6.022  2abサブレンズ群
10        17      -28.826       10.619        7.891    16.010  2bcサブレンズ群
【０１９３】
［数値実施例８］
図８６〜図９６と表２９〜表３２は、数値実施例８によるズームレンズ系を示している。図８６は、短焦点距離端における無限遠合焦時のレンズ構成図である。図８７、図８８は、短焦点距離端における無限遠合焦時、１．２ｍ合焦時の縦収差図である。図８９、図９０は、短焦点距離端における無限遠合焦時、１．２ｍ合焦時の横収差図である。図９１は、図８９の防振駆動時の横収差図である。図９２、図９３は、長焦点距離端における無限遠合焦時、１．２ｍ合焦時の縦収差図である。図９４、図９５は、長焦点距離端における無限遠合焦時、１．２ｍ合焦時の横収差図である。図９６は、図９４の防振駆動時（±０．３°）の横収差図である。表２９は面データ、表３０は各種データ、表３１はズームレンズ群データ、表３２は主点位置データである。
【０１９４】
数値実施例８のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、正の屈折力の第４レンズ群Ｇ４と、負の屈折力の第５レンズ群Ｇ５とから構成されている（つまり正負正正負の５群ズームレンズ構成となる）。
【０１９５】
第１レンズ群Ｇ１は、物体側から順に、物体側に凸の負メニスカスレンズ１１Ｈと、両凸正レンズ１２Ｈとから構成されている。負メニスカスレンズ１１Ｈと両凸正レンズ１２Ｈは、接合されている。
【０１９６】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の正メニスカスレンズ２１Ｈと、物体側に凸の負メニスカスレンズ２２Ｈと、物体側に凸の正メニスカスレンズ２３Ｈとから構成されている。
第２ｂレンズ群Ｇ２ｂは、物体側から順に、両凹負レンズ２４Ｈと、物体側に凸の正メニスカスレンズ２５Ｈとから構成されている。両凹負レンズ２４Ｈと正メニスカスレンズ２５Ｈは、接合されている。
第２ｃレンズ群Ｇ２ｃは、両凹負レンズ２６Ｈと、両凹負レンズ２７Ｈと、物体側に凸の正メニスカスレンズ２８Ｈとから構成されている。両凹負レンズ２７Ｈと正メニスカスレンズ２８Ｈは、接合されている。
【０１９７】
第３レンズ群Ｇ３は、物体側から順に、両凸正レンズ３１Ｈと、両凸正レンズ３２Ｈと、像側に凸の負メニスカスレンズ３３Ｈとから構成されている。両凸正レンズ３２Ｈと負メニスカスレンズ３３Ｈは、接合されている。
【０１９８】
第４レンズ群Ｇ４は、物体側から順に、両凸正レンズ４１Ｈと、両凹負レンズ４２Ｈと、両凸正レンズ４３Ｈとから構成されている。両凹負レンズ４２Ｈと両凸正レンズ４３Ｈは、接合されている。
【０１９９】
第５レンズ群Ｇ５は、物体側から順に、正の屈折力の第５ａレンズ群Ｇ５ａと、負の屈折力の第５ｂレンズ群Ｇ５ｂと、正の屈折力の第５ｃレンズ群Ｇ５ｃとから構成されている。
第５ａレンズ群Ｇ５ａは、物体側から順に、両凸正レンズ５１Ｈと、両凹負レンズ５２Ｈと、両凸正レンズ５３Ｈとから構成されている。両凸正レンズ５１Ｈと両凹負レンズ５２Ｈは、接合されている。
第５ｂレンズ群Ｇ５ｂは、物体側から順に、両凸正レンズ５４Ｈと、両凹負レンズ５５Ｈと、像側に凸の負メニスカスレンズ５６Ｈとから構成されている。両凸正レンズ５４Ｈと両凹負レンズ５５Ｈは、接合されている。
第５ｃレンズ群Ｇ５ｃは、物体側から順に、両凸正レンズ５７Ｈと、両凸正レンズ５８Ｈと、両凹負レンズ５９Ｈとから構成されている。両凸正レンズ５８Ｈと両凹負レンズ５９Ｈは、接合されている。
【０２００】
（表２９）
面データ
面番号             r             D             N(d)             ν(d)
1              101.460         2.700        1.85883             30.0
2               66.915        13.710        1.59410             60.5
3            -1371.819           D3
4               67.496         4.820        1.48749             70.2
5               92.998         0.500
6               85.477         2.070        1.72047             34.7
7               44.079         1.300
8               47.000        10.660        1.59410             60.5
9            30296.049           D9
10            -504.435         1.370        1.77250             49.6
11              33.000         4.300        1.84666             23.8
12              54.479          D12
13            -152.165         1.330        1.90043             37.4
14              69.197         4.500
15             -95.660         1.430        1.49700             81.6
16              61.219         4.560        2.05090             26.9
17             794.082          D17
18絞           INFINITY        2.500
19             450.007         5.610        1.90366             31.3
20             -83.998         0.200
21             115.169         9.320        1.49700             81.6
22             -51.093         1.630        2.00100             29.1
23            -531.092          D23
24              63.003         5.880        1.91082             35.2
25           -1550.091         0.200
26           -6787.793         1.220        1.90366             31.3
27              41.335         9.690        1.53775             74.7
28            -109.863          D28
29              38.816         6.500        1.49700             81.6
30             -94.506         1.260        1.90366             31.3
31              41.448         4.140
32              53.883         5.770        1.90366             31.3
33            -111.107         1.800
34             258.000         3.600        1.84666             23.8
35             -65.396         1.150        1.65160             58.5
36              27.068         7.500
37             -33.923         1.130        1.65160             58.5
38             -55.833         2.600
39              96.283         4.670        1.75520             27.5
40             -61.974         2.000
41             224.495         5.460        1.51633             64.1
42             -30.520         1.320        2.00100             29.1
43             217.587        29.767
44             INFINITY        1.500        1.51680             64.2
45             INFINITY          -
（表３０）
各種データ
ズーム比（変倍比）   2.69
無限遠合焦時
短焦点距離端          中間焦点距離          長焦点距離端
Ｆナンバー              2.9                   2.9                   2.9
焦点距離              72.08                100.00                194.00
物像間距離         INFINITY              INFINITY              INFINITY
倍率                  0.000                 0.000                 0.000
半画角                 16.4                  11.7                   6.0
像高                  21.64                 21.64                 21.64
バックフォーカス      31.76                 31.76                 31.76
レンズ全長           263.38                263.38                263.38
D3                    1.200                17.175                42.974
D9                    2.000                 2.000                 2.000
D12                  17.000                17.000                17.000
D17                  43.514                27.539                 1.740
D23                  27.812                19.647                 2.001
D28                   1.700                 9.865                27.511
１．２ｍ合焦時
短焦点距離端          中間焦点距離          長焦点距離端
Ｆナンバー              2.9                   2.9                   2.9
焦点距離              84.19                110.42                151.76
物像間距離          1200.00               1200.00               1200.00
倍率                 -0.084                -0.115                -0.216
半画角                 12.7                   8.9                   4.6
像高                  21.64                 21.64                 21.64
バックフォーカス      31.76                 31.76                 31.76
レンズ全長           263.38                263.38                263.38
D3                    1.200                17.175                42.974
D9                   11.095                12.004                13.942
D12                   7.905                 6.996                 5.058
D17                  43.514                27.539                 1.740
D23                  27.812                19.647                 2.001
D28                   1.700                 9.865                27.511
（表３１）
ズームレンズ群データ
群         始面         焦点距離
1            1           201.29
2            4           -44.78
3           19           101.01
4           24            91.26
5           29          -140.96
2a           6           146.43
2b           9           -67.50
2c          13           -62.15
防振        15           -41.25
（表３２）
主点位置データ
ズームレンズ群
始面     終面     焦点距離     前側主点     主点間隔   後側主点
1          3       201.293      -0.276        6.322     10.364     1群
4         17       -44.781      39.085        8.003      8.752     2群
18        23       101.008      -0.089        7.138     12.211     3群
24        28        91.258       1.619        6.403      8.968     4群
29        43      -140.956      52.991        7.510    -11.601     5群
サブレンズ群
始面     終面     焦点距離     前側主点     主点間隔   後側主点
4          9      146.432        1.991        6.285     11.074  2aサブレンズ群
10        12      -67.500        3.132        2.571     -0.033  2bサブレンズ群
13        17      -62.153       -0.554        3.330      9.044  2cサブレンズ群
4         12     -157.578       39.824        4.669    -17.473  2abサブレンズ群
8         17      -73.194       49.462       -0.404     -1.908  2bcサブレンズ群
【０２０１】
［数値実施例９］
図１００〜図１１０と表３３〜表３６は、数値実施例９によるズームレンズ系を示している。図１００は、短焦点距離端における無限遠合焦時のレンズ構成図である。図１０１、図１０２は、短焦点距離端における無限遠合焦時、１．２ｍ合焦時の縦収差図である。図１０３、図１０４は、短焦点距離端における無限遠合焦時、１．２ｍ合焦時の横収差図である。図１０５は、図１０３の防振駆動時の横収差図である。図１０６、図１０７は、長焦点距離端における無限遠合焦時、１．２ｍ合焦時の縦収差図である。図１０８、図１０９は、長焦点距離端における無限遠合焦時、１．２ｍ合焦時の横収差図である。図１１０は、図１０８の防振駆動時（±０．３°）の横収差図である。表３３は面データ、表３４は各種データ、表３５はズームレンズ群データ、表３６は主点位置データである。
【０２０２】
数値実施例９のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、負の屈折力の第４レンズ群Ｇ４とから構成されている（つまり正負正負の４群ズームレンズ構成となる）。
【０２０３】
第１レンズ群Ｇ１は、物体側から順に、両凸正レンズ１１Ｉと、物体側に凸の負メニスカスレンズ１２Ｉと、物体側に凸の平凸正レンズ１３Ｉとから構成されている。負メニスカスレンズ１２Ｉと平凸正レンズ１３Ｉは、接合されている。
【０２０４】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の負メニスカスレンズ２１Ｉと、両凸正レンズ２２Ｉとから構成されている。負メニスカスレンズ２１Ｉと両凸正レンズ２２Ｉは、接合されている。
第２ｂレンズ群Ｇ２ｂは、物体側から順に、両凹負レンズ２３Ｉと、物体側に凸の正メニスカスレンズ２４Ｉとから構成されている。
第２ｃレンズ群Ｇ２ｃは、両凹負レンズ２５Ｉと、両凸正レンズ２６Ｉと、像側に凸の負メニスカスレンズ２７Ｉとから構成されている。両凹負レンズ２５Ｉと両凸正レンズ２６Ｉは、接合されている。
【０２０５】
第３レンズ群Ｇ３は、物体側から順に、両凸正レンズ３１Ｉと、両凸正レンズ３２Ｉと、像側に凸の負メニスカスレンズ３３Ｉとから構成されている。両凸正レンズ３２Ｉと負メニスカスレンズ３３Ｉは、接合されている。
【０２０６】
第４レンズ群Ｇ４は、物体側から順に、第４ａレンズ群Ｇ４ａと、第４ｂレンズ群Ｇ４ｂと、第４ｃレンズ群Ｃ４ｃとから構成されている。
第４ａレンズ群Ｇ４ａは、物体側から順に、両凸正レンズ４１Ｉと、両凹負レンズ４２Ｉと、両凸正レンズ４３Ｉとから構成されている。両凸正レンズ４１Ｉと両凹負レンズ４２Ｉは、接合されている。
第４ｂレンズ群Ｇ４ｂは、物体側から順に、両凸正レンズ４４Ｉと、両凹負レンズ４５Ｉとから構成されている。両凸正レンズ４４Ｉと両凹負レンズ４５Ｉは、接合されている。
第４ｃレンズ群Ｃ４ｃは、物体側から順に、両凸正レンズ４６Ｉと、像側に凸の負メニスカスレンズ４７Ｉとから構成されている。
【０２０７】
（表３３）
面データ
面番号             r             D             N(d)             ν(d)
1              117.757         4.000         1.48749            70.2
2            -2773.131         0.200
3              103.049         1.500         1.74950            35.3
4               56.571         7.400         1.49700            81.6
5             INFINITY           D5
6               68.207         1.200         1.90043            37.4
7               38.000         7.500         1.58313            59.4
8             -280.407           D8
9             -209.874         1.200         1.77250            49.6
10              26.762         2.000
11              27.082         2.000         1.84666            23.8
12              45.797          D12
13             -55.344         1.200         1.75500            52.3
14              50.834         3.660         1.85478            24.8
15            -300.000         1.820
16             -43.730         1.200         1.62299            58.2
17          -40130.232          D17
18絞          INFINITY         1.000
19             111.055         4.307         1.88300            40.8
20             -80.378         0.200
21              41.051         5.891         1.48749            70.2
22             -47.843         1.200         2.00100            29.1
23            -418.179          D23
24              47.946         5.070         1.59282            68.6
25             -92.822         1.000         1.90366            31.3
26              37.216         0.300
27              32.262         5.943         1.61405            55.0
28             -84.092         5.000
29             635.248         3.000         1.85025            30.0
30             -25.936         1.000         1.80400            46.5
31              41.076         9.946
32              75.873         3.127         1.83481            42.7
33            -194.544         9.066
34             -21.491         1.200         1.73400            51.5
35             -36.089          D35
36            INFINITY         1.500         1.51633            64.1
37            INFINITY           -
（表３４）
各種データ
ズーム比（変倍比）   4.04
無限遠合焦時
短焦点距離端          中間焦点距離          長焦点距離端
Ｆナンバー              4.1                   5.0                   5.8
焦点距離              72.08                135.00                291.30
物像間距離         INFINITY              INFINITY              INFINITY
倍率                  0.000                 0.000                 0.000
半画角                 16.5                   8.8                   4.1
像高                  21.64                 21.64                 21.64
バックフォーカス      47.62                 64.39                 77.41
レンズ全長           186.83                220.27                253.23
D5                    2.950                27.582                51.351
D8                    2.000                 2.000                 2.000
D12                  16.460                16.460                16.460
D17                  21.840                13.521                 2.000
D23                   3.821                 4.188                11.885
D35                  45.636                62.401                75.419
１．２ｍ合焦時
短焦点距離端          中間焦点距離          長焦点距離端
Ｆナンバー              4.1                   5.0                   5.8
焦点距離              79.24                136.04                193.55
物像間距離          1200.00               1200.00               1200.00
倍率                 -0.078                -0.147                -0.317
半画角                 13.5                   7.0                   3.1
像高                  21.64                 21.64                 21.64
バックフォーカス      47.62                 64.39                 77.41
レンズ全長           186.83                220.27                253.23
D5                    2.950                27.582                51.351
D8                    7.968                 9.235                11.314
D12                  10.492                 9.225                 7.146
D17                  21.840                13.521                 2.000
D23                   3.821                 4.188                11.885
D35                  45.636                62.401                75.419
（表３５）
ズームレンズ群データ
群         始面         焦点距離
1             1           140.18
2             6           -25.29
3            19            43.16
4            24        -31675.66
2a            6           144.20
2b            9           -52.74
2c           13           -42.31
防振         29           -61.05
（表３６）
主点位置データ
ズームレンズ群
始面     終面     焦点距離     前側主点     主点間隔   後側主点
1          5      140.178       0.679         4.414      8.007      1群
6         17     -25.292       23.165         9.198      7.876      2群
18        23      43.165        1.178         4.737      6.683      3群
24        35   -31675.664     8206.680     -1673.389  -6488.640     4群
サブレンズ群
始面     終面     焦点距離     前側主点     主点間隔   後側主点
6          8       144.201       0.857        3.279      4.564  2aサブレンズ群
9         12       -52.738       0.188        1.484      3.528  2bサブレンズ群
13        17       -42.308       2.307        2.794      2.779  2cサブレンズ群
6         12       -89.774      12.350        4.225     -0.675  2abサブレンズ群
9         17       -19.015      10.208        8.514     10.818  2bcサブレンズ群
【０２０８】
［数値実施例１０］
図１１１〜図１２１と表３７〜表４１は、数値実施例１０によるズームレンズ系を示している。図１１１は、短焦点距離端における無限遠合焦時のレンズ構成図である。図１１２、図１１３は、短焦点距離端における無限遠合焦時、１．２ｍ合焦時の縦収差図である。図１１４、図１１５は、短焦点距離端における無限遠合焦時、１．２ｍ合焦時の横収差図である。図１１６は、図１１４の防振駆動時の横収差図である。図１１７、図１１８は、長焦点距離端における無限遠合焦時、１．２ｍ合焦時の縦収差図である。図１１９、図１２０は、長焦点距離端における無限遠合焦時、１．２ｍ合焦時の横収差図である。図１２１は、図１１９の防振駆動時（±０．３°）の横収差図である。表３７は面データ、表３８は各種データ、表３９はズームレンズ群データ、表４０は主点位置データ、表４１は非球面データである。
【０２０９】
数値実施例１０のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、正の屈折力の第４レンズ群Ｇ４とから構成されている（つまり正負正正の４群ズームレンズ構成となる）。
【０２１０】
第１レンズ群Ｇ１は、物体側から順に、両凸正レンズ１１Ｊと、物体側に凸の負メニスカスレンズ１２Ｊと、物体側に凸の正メニスカスレンズ１３Ｊとから構成されている。負メニスカスレンズ１２Ｊと正メニスカスレンズ１３Ｊは、接合されている。
【０２１１】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。
第２ａレンズ群Ｇ２ａは、物体側から順に、物体側に凸の負メニスカスレンズ２１Ｊと、両凸正レンズ２２Ｊとから構成されている。負メニスカスレンズ２１Ｊと両凸正レンズ２２Ｊは、接合されている。
第２ｂレンズ群Ｇ２ｂは、物体側から順に、両凹負レンズ２３Ｊと、物体側に凸の正メニスカスレンズ２４Ｊとから構成されている。
第２ｃレンズ群Ｇ２ｃは、両凹負レンズ２５Ｊと、物体側に凸の正メニスカスレンズ２６Ｊと、像側に凸の負メニスカスレンズ２７Ｊとから構成されている。両凹負レンズ２５Ｊと正メニスカスレンズ２６Ｊは、接合されている。
【０２１２】
第３レンズ群Ｇ３は、物体側から順に、両凸正レンズ３１Ｊと、両凸正レンズ３２Ｊと、像側に凸の負メニスカスレンズ３３Ｊとから構成されている。両凸正レンズ３２Ｊと負メニスカスレンズ３３Ｊは、接合されている。
【０２１３】
第４レンズ群Ｇ４は、物体側から順に、第４ａレンズ群Ｇ４ａと、第４ｂレンズ群Ｇ４ｂと、第４ｃレンズ群Ｃ４ｃとから構成されている。
第４ａレンズ群Ｇ４ａは、物体側から順に、両凸正レンズ４１Ｊと、両凹負レンズ４２Ｊと、両凸正レンズ４３Ｊとから構成されている。両凸正レンズ４１Ｊと両凹負レンズ４２Ｊは、接合されている。両凸正レンズ４３Ｊは、像側の面に非球面を有している。
第４ｂレンズ群Ｇ４ｂは、物体側から順に、両凸正レンズ４４Ｊと、両凹負レンズ４５Ｊとから構成されている。両凸正レンズ４４Ｊと両凹負レンズ４５Ｊは、接合されている。
第４ｃレンズ群Ｃ４ｃは、物体側から順に、両凸正レンズ４６Ｊと、像側に凸の負メニスカスレンズ４７Ｊとから構成されている。
【０２１４】
（表３７）
面データ
面番号             r             D             N(d)             ν(d)
1              128.481         5.000         1.48749             70.2
2             -775.463         0.200
3              110.744         1.500         1.68376             37.6
4               56.778         7.400         1.49700             81.6
5              644.825           D5
6               89.500         1.200         1.89190             37.1
7               39.000         6.500         1.69680             55.5
8             -368.248           D8
9             -237.670         1.200         1.77250             49.6
10              27.086         2.000
11              28.096         2.000         1.84666             23.8
12              46.990          D12
13             -99.422         1.200         1.61800             63.4
14              41.496         3.100         1.80000             29.9
15             483.673         2.320
16             -46.483         1.200         1.65160             58.5
17           -1336.266          D17
18絞          INFINITY        1.000
19              69.313         4.307         1.73400             51.5
20             -98.420         0.200
21              58.658         5.891         1.49700             81.6
22             -48.637         1.200         2.00100             29.1
23            -871.247          D23
24              49.679         4.100         1.51742             52.4
25             -75.433         1.000         1.90043             37.4
26              93.084         1.500
27              56.247         4.500         1.58313             59.4
28*            -68.418        15.173
29             245.133         2.300         1.85478             24.8
30             -40.455         1.000         1.80400             46.5
31              31.872         8.068
32              45.430         4.630         1.57099             50.8
33             -45.816         3.344
34             -25.003         1.200         1.88300             40.8
35             -97.584          D35
36            INFINITY         1.500         1.51633             64.1
37            INFINITY           -
＊は回転対称非球面である。
（表３８）
各種データ
ズーム比（変倍比）   4.04
無限遠合焦時
短焦点距離端          中間焦点距離          長焦点距離端
Ｆナンバー              4.4                   5.1                   5.8
焦点距離              72.10                135.00                291.30
物像間距離         INFINITY              INFINITY              INFINITY
倍率                  0.000                 0.000                 0.000
半画角                 16.2                   8.6                   4.0
像高                  21.64                 21.64                 21.64
バックフォーカス      38.87                 49.31                 59.39
レンズ全長           188.38                219.10                244.19
D5                    2.950                33.664                58.758
D8                    2.000                 2.000                 2.000
D12                  16.460                16.460                16.460
D17                  29.047                18.583                 2.000
D23                   4.818                 4.845                11.346
D35                  36.884                47.322                57.404
１．２ｍ合焦時
短焦点距離端          中間焦点距離          長焦点距離端
Ｆナンバー              4.4                   5.1                   5.8
焦点距離              79.58                133.02                172.39
物像間距離          1200.00               1200.00               1200.00
倍率                 -0.079                -0.148                -0.315
半画角                 13.1                   6.8                   3.1
像高                  21.64                 21.64                 21.64
バックフォーカス      38.87                 49.31                 59.39
レンズ全長           188.38                219.10                244.19
D5                    2.950                33.664                58.758
D8                    8.833                10.328                12.488
D12                   9.627                 8.132                 5.972
D17                  29.047                18.583                 2.000
D23                   4.818                 4.845                11.346
D35                  36.884                47.322                57.404
（表３９）
ズームレンズ群データ
群         始面         焦点距離
1             1           152.30
2             6           -30.84
3            19            55.35
4            24           974.84
2a            6           146.23
2b            9           -52.87
2c           13           -58.09
防振         29           -49.23
（表４０）
主点位置データ
ズームレンズ群
始面     終面     焦点距離     前側主点     主点間隔   後側主点
1          5      152.300       0.356        4.753      8.991      1群
6         17      -30.838      21.434        9.076      8.670      2群
18        23       55.352       0.030        4.668      7.899      3群
24        35      974.841    -515.576       198.711    363.680     4群
サブレンズ群
始面     終面     焦点距離     前側主点     主点間隔   後側主点
6          8       146.234       0.775        3.203      3.722  2aサブレンズ群
9         12       -52.873       0.248        1.485      3.466  2bサブレンズ群
13        17       -58.092       3.782        2.372      1.665  2cサブレンズ群
6         12       -88.474      10.765        4.281     -0.146  2abサブレンズ群
9         17       -22.807       9.556        8.032     11.892  2bcサブレンズ群
（表４１）
非球面データ
NO.28 K=0.000 A4=0.2088E-05 A6=-0.1121E-08 A8=0.0000E+00 A10=0.0000E+00 A12=0.0000E+00
【０２１５】
［数値実施例１１］
図１２２〜図１３６と表４２〜表４５は、数値実施例１１によるズームレンズ系を示している。図１２２は、短焦点距離端における無限遠合焦時のレンズ構成図である。図１２３、図１２４、図１２５は、短焦点距離端における無限遠合焦時、１．２ｍ合焦時、０．９ｍ合焦時の縦収差図である。図１２６、図１２７、図１２８は、短焦点距離端における無限遠合焦時、１．２ｍ合焦時、０．９ｍ合焦時の横収差図である。図１２９は、図１２６の防振駆動時の横収差図である。図１３０、図１３１、図１３２は、長焦点距離端における無限遠合焦時、１．２ｍ合焦時、０．９ｍ合焦時の縦収差図である。図１３３、図１３４、図１３５は、長焦点距離端における無限遠合焦時、１．２ｍ合焦時、０．９ｍ合焦時の横収差図である。図１３６は、図１３３の防振駆動時（±０．６°）の横収差図である（２つの防振レンズ群（第１、第２の防振レンズ群）の防振駆動時）。表４２は面データ、表４３は各種データ、表４４はズームレンズ群データ、表４５は主点位置データである。
【０２１６】
数値実施例１１のズームレンズ系は、物体側から順に、正の屈折力の第１レンズ群Ｇ１と、負の屈折力の第２レンズ群Ｇ２と、後続レンズ群ＧＲとから構成されている。後続レンズ群ＧＲは、物体側から順に、正の屈折力の第３レンズ群Ｇ３と、正の屈折力の第４レンズ群Ｇ４と、負の屈折力の第５レンズ群Ｇ５と、正の屈折力の第６レンズ群Ｇ６とから構成されている（つまり正負正正負正の６群ズームレンズ構成となる）。
【０２１７】
第１レンズ群Ｇ１は、物体側から順に、物体側に凸の平凸正レンズ１１Ｋと、物体側に凸の負メニスカスレンズ１２Ｋと、物体側に凸の正メニスカスレンズ１３Ｋとから構成されている。負メニスカスレンズ１２Ｋと正メニスカスレンズ１３Ｋは、接合されている。
【０２１８】
第２レンズ群Ｇ２は、物体側から順に、正の屈折力の第２ａレンズ群Ｇ２ａと、負の屈折力の第２ｂレンズ群Ｇ２ｂと、負の屈折力の第２ｃレンズ群Ｇ２ｃとから構成されている。上述したように、第２ｃレンズ群Ｇ２ｃは、防振レンズ群として機能する（図９９参照）。
第２ａレンズ群Ｇ２ａは、物体側から順に、物体側に凸の負メニスカスレンズ２１Ｋと、両凸正レンズ２２Ｋとから構成されている。負メニスカスレンズ２１Ｋと両凸正レンズ２２Ｋは、接合されている。
第２ｂレンズ群Ｇ２ｂは、物体側から順に、両凹負レンズ２３Ｋと、物体側に凸の正メニスカスレンズ２４Ｋとから構成されている。
第２ｃレンズ群Ｇ２ｃは、両凹負レンズ２５Ｋと、物体側に凸の正メニスカスレンズ２６Ｋと、像側に凸の負メニスカスレンズ２７Ｋとから構成されている。両凹負レンズ２５Ｋと正メニスカスレンズ２６Ｋは、接合されている。
【０２１９】
第３レンズ群Ｇ３は、物体側から順に、両凸正レンズ３１Ｋと、両凸正レンズ３２Ｋと、像側に凸の負メニスカスレンズ３３Ｋとから構成されている。両凸正レンズ３２Ｋと負メニスカスレンズ３３Ｋは、接合されている。
【０２２０】
第４レンズ群Ｇ４は、物体側から順に、物体側に凸の負メニスカスレンズ４１Ｋと、両凸正レンズ４２Ｋと、物体側に凸の正メニスカスレンズ４３Ｋとから構成されている。負メニスカスレンズ４１Ｋと両凸正レンズ４２Ｋは、接合されている。
【０２２１】
第５レンズ群Ｇ５は、物体側から順に、像側に凸の正メニスカスレンズ５１Ｋと、両凹負レンズ５２とから構成されている。正メニスカスレンズ５１Ｋと両凹負レンズ５２は、接合されている。上述したように、第５レンズ群Ｇ５は、防振レンズ群として機能する（図９９参照）。
【０２２２】
第６レンズ群Ｇ６は、物体側から順に、両凸正レンズ６１Ｋと、像側に凸の負メニスカスレンズ６２Ｋとから構成されている。
【０２２３】
（表４２）
面データ
面番号             r             D             N(d)             ν(d)
1               96.809         4.900         1.51823            59.0
2              INFINITY        0.200
3              120.285         1.950         1.65412            39.7
4               52.000         7.500         1.43875            95.0
5              654.604           D5
6               67.375         1.380         1.89190            37.1
7               33.851         7.000         1.69680            55.5
8             -497.901           D8
9             -200.377         1.000         1.80400            46.5
10              26.188         1.400
11              26.808         2.400         1.84666            23.8
12              50.000          D12
13             -97.764         1.000         1.72916            54.1
14              38.712         2.900         1.85478            24.8
15             207.147         2.000
16             -60.093         1.000         1.77250            49.6
17          -36895.611          D17
18絞          INFINITY         2.000
19              96.048         2.430         1.80400            46.5
20            -128.585         0.200
21              47.142         5.170         1.53775            74.7
22             -58.053         1.200         2.00100            29.1
23            -309.281          D23
24              79.885         1.200         2.00100            29.1
25              30.245         4.400         1.49700            81.6
26             -96.418         0.200
27              47.399         3.000         1.83481            42.7
28             154.412          D28
29            -183.762         2.500         1.85478            24.8
30             -27.067         1.000         1.80400            46.5
31              37.271          D31
32             145.885         3.400         1.80518            25.4
33            -108.356         3.871
34             -37.830         1.200         1.98613            16.5
35             -52.287          D35
36             INFINITY        1.500         1.51633            64.1
37             INFINITY          -
（表４３）
各種データ
ズーム比（変倍比）   4.04
無限遠合焦時
短焦点距離端          中間焦点距離          長焦点距離端
Ｆナンバー              4.5                   5.2                   5.8
焦点距離              72.08                135.00                291.30
物像間距離         INFINITY              INFINITY              INFINITY
倍率                  0.000                 0.000                 0.000
半画角                 16.6                   8.7                   4.0
像高                  21.64                 21.64                 21.64
バックフォーカス      40.62                 53.74                 60.62
レンズ全長           193.29                221.83                254.83
D5                    2.950                31.491                64.491
D8                    2.000                 2.000                 2.000
D12                  16.460                16.460                16.460
D17                  27.294                14.657                 2.000
D23                  18.502                18.026                23.794
D28                  12.000                15.039                13.714
D31                   7.062                 4.023                 5.348
D35                  38.634                51.746                58.635
１．２ｍ合焦時
短焦点距離端          中間焦点距離          長焦点距離端
Ｆナンバー              4.9                   5.2                   5.7
焦点距離              79.15                134.18                187.15
物像間距離          1200.00               1200.00               1200.00
倍率                 -0.077                -0.146                -0.309
半画角                 13.2                   7.1                   3.2
像高                  21.64                 21.64                 21.64
バックフォーカス      40.62                 53.74                 60.62
レンズ全長           193.29                221.83                254.83
D5                    2.950                31.491                64.491
D8                    7.355                 8.756                11.558
D12                  11.105                 9.704                 6.902
D17                  27.294                14.657                 2.000
D23                  18.502                18.026                23.794
D28                  12.000                15.039                13.714
D31                   7.062                 4.023                 5.348
D35                  38.634                51.746                58.635
０．９ｍ合焦時
短焦点距離端          中間焦点距離          長焦点距離端
Ｆナンバー              4.5                   5.2                   5.7
焦点距離              82.31                132.20                158.11
物像間距離           900.00                900.00                900.00
倍率                 -0.114                -0.215                -0.453
半画角                 12.6                   6.4                   2.9
像高                  21.64                 21.64                 21.64
バックフォーカス      40.62                 53.74                 60.62
レンズ全長           193.29                221.83                254.83
D5                    2.950                31.491                64.491
D8                    9.851                11.987                16.240
D12                   8.609                 6.473                 2.220
D17                  27.294                14.657                 2.000
D23                  18.502                18.026                23.794
D28                  12.000                15.039                13.714
D31                   7.062                 4.023                 5.348
D35                  38.634                51.746                58.635
（表４４）
ズームレンズ群データ
群         始面         焦点距離
1             1          165.24
2             6          -29.44
3            19           46.52
4            24           73.58
5(防振2）    29          -40.81
6            32           160.47
2a            6           112.71
2b            9          -51.49
2c(防振1)    13          -46.38
（表４５）
主点位置データ
ズームレンズ群
始面     終面     焦点距離     前側主点     主点間隔   後側主点
1          5       165.242      -1.143        4.826     10.867      1群
6         17       -29.440      24.671        7.825      6.044      2群
18        23        46.517       2.240        3.546      5.214      3群
24        28        73.581       3.399        3.429      1.971      4群
29        31       -40.810       1.570        1.611      0.318      5群
32        35       160.466      -2.273        2.206      8.538      6群
サブレンズ群
始面     終面     焦点距離     前側主点     主点間隔   後側主点
6          8       112.709       0.295        3.496      4.590  2aサブレンズ群
9         12       -51.488       0.466        1.606      2.728  2bサブレンズ群
13        17       -46.384       2.794        2.260      1.846  2cサブレンズ群
6         12      -107.136      14.976        4.183     -3.978  2abサブレンズ群
9         17       -19.926       9.909        7.898     10.353  2bcサブレンズ群
【０２２４】
図１３７は、本実施形態によるズームレンズ系を搭載したレンズ鏡筒（撮像装置）ＬＸの外観構成の一例を示す図である。レンズ鏡筒ＬＸは、例えば、一眼レフカメラのズーム交換レンズとして構成されている。レンズ鏡筒ＬＸは固定筒１０を備えており、固定筒１０の後側面にレンズマウント１００が固定されている。固定筒１０の周面には、光軸方向の前側領域にズーム環１１が嵌装され、後側領域にフォーカス環１２が嵌装されている。これらズーム環１１とフォーカス環１２の各周面にはゴム環ＺＧ、ＦＧが固定されており、操作時の手触り性が高められる。
【０２２５】
レンズ鏡筒ＬＸは固定筒１０に設けたレンズマウント１００により図示しないカメラボディに対して着脱可能であり、ズーム環１１を回転操作することにより長焦点（テレ）側と短焦点（ワイド）側にズーミングできる。また、周面に配設された沈胴ボタンＢを押しながらズーム環１１をさらに短焦点側に操作することで、レンズ鏡筒ＬＸの長さが最小となる沈胴状態に設定できる。焦点合せ（フォーカシング）は内蔵するモータにより自動的に行われるが、フォーカス環１２を回転操作することによるマニュアル焦点合せも可能とされている。
【０２２６】
固定筒１０の内部には、筒径方向に所要の間隙をおいて同軸配置された外直動筒１３と内直動筒（図示略）が内装されている。これらの直動筒は各後側端部において相互に一体化されるとともに、固定筒１０に設けられた光軸方向の直線溝と、ズーム環１１に設けられたカム溝とのカム係合により、ズーム環１１の回転に伴って固定筒１０の内部で一体的に光軸方向に直線移動される。
【０２２７】
図示は省略しているが、内直動筒の外周には、外周面にヘリコイド溝が形成されたヘリコイド筒が嵌装されている。このヘリコイド筒は内直動筒と一体的に筒軸方向に移動されるが、ズーム環１１に連係されており、ズーム環１１の回転に伴って内直動筒の周面上で筒軸回りに回転移動される。また、このヘリコイド筒と外直動筒１３との径方向の間には、前直動筒１６が嵌装されている。この前直動筒１６はヘリコイド筒のヘリコイド溝に嵌合され、ヘリコイド筒の回転により光軸方向に移動される。この前直動筒１６の前側端部にレンズＬ１が支持される。図１３７に描かれているレンズＬ１は、例えば、本実施形態のズームレンズ系の第１レンズ群Ｇ１の最も物体側に位置するレンズ（１１Ａ、１１Ｂ、１１Ｃ、１１Ｄ、１１Ｅ、１１Ｆ、１１Ｇ、１１Ｈ、１１Ｉ、１１Ｊ、１１Ｋ）とすることができる。また、レンズ鏡筒ＬＸには、本実施形態のズームレンズ系の機能を発揮・補助するための構成要素（例えば防振駆動のＯＮ／ＯＦＦ切替スイッチ）が設けられている。
【０２２８】
数値実施例１〜１０の防振駆動時（±０．３°）における防振レンズ群、数値実施例１１の防振駆動時（±０．３°）におけるそれぞれの防振レンズ群の移動量を表４６に示す。この移動量の単位はミリメートル［mm］である。
（表４６）
短焦点距離端          中間焦点距離          長焦点距離端
実施例１           ±0.246               ±0.457               ±0.973
実施例２           ±0.264               ±0.494               ±1.078
実施例３           ±0.239               ±0.448               ±0.964
実施例４           ±0.272               ±0.359               ±0.561
実施例５           ±0.344               ±0.444               ±0.730
実施例６           ±0.254               ±0.353               ±0.685
実施例７           ±0.299               ±0.415               ±0.804
実施例８           ±0.291               ±0.404               ±0.784
実施例９           ±0.322               ±0.481               ±0.896
実施例１０         ±0.327               ±0.509               ±0.944
実施例１１
Ｇ２Ｃ             ±0.285               ±0.372               ±0.571
Ｇ５               ±0.292               ±0.454               ±0.874
【０２２９】
数値実施例１〜１１の各条件式に対する値を表４７に示す。
（表４７）
実施例１       実施例２       実施例３       実施例４
条件式（１）           0.751          0.779          0.638          0.434
条件式（２）           0.452          0.388          0.452          0.371
条件式（３）           0.501          0.599          0.512          0.422
条件式（４）           0.399          0.506          0.368          0.309
条件式（５）           0.588          0.527          0.622          0.632
条件式（６）           0.298          0.280          0.354          0.409
条件式（７）           3.812          5.450          2.596          2.375
条件式（８）           1.684          1.522          1.455          1.287
条件式（９）          12.398          16.828         7.676          6.351
条件式（１０）         0.489          0.827          1.156          2.163
条件式（１１）         1.591          2.772          9.063          1.495
条件式（１２）          58.5           60.5           58.5           59.0
条件式（１３）         1.004          0.274          1.812          1.606
条件式（１４）         1.342          1.386          1.441          1.435
条件式（１５）          58.5           58.5           58.5           52.3
条件式（１６）         0.476          0.413          0.451          0.407
条件式（１７）          33.1           31.0           33.1           28.5
条件式（１８）         0.141          0.208          0.135          0.063
条件式（１９）        -8.203         -8.233         -8.336         -9.409
条件式（２０）         1.568          1.415          1.572          2.719
条件式（２１）         1.153          0.979          1.144          1.287
条件式（２２）         1.503          1.532          1.540          1.312
条件式（２３）         0.304          0.293          0.358          0.389
条件式（２４）         0.448          0.422          0.533          0.496
条件式（２５）         0.900          0.849          1.071          0.997
条件式（２６）         2.126          1.971          2.305          1.966
条件式（２７）         0.909          0.975          0.856          0.871
条件式（２８）         3.309          2.127          2.587          1.737
実施例５       実施例６       実施例７       実施例８
条件式（１）           0.485          0.453          0.427          0.380
条件式（２）           0.349          0.330          0.328          0.304
条件式（３）           0.486          0.567          0.555          0.558
条件式（４）           0.413          0.247          0.274          0.270
条件式（５）           0.622          0.482          0.537          0.700
条件式（６）           0.386          0.306          0.407          0.713
条件式（７）           2.161          4.286          2.917          2.169
条件式（８）           1.603          1.156          1.149          1.086
条件式（９）           6.701          10.477         7.051          5.098
条件式（１０）         1.787          0.776          1.001          0.996
条件式（１１）         2.264          1.820        1537.675        206.895
条件式（１２）          60.5            63.9          63.4           70.2
条件式（１３）         1.823          0.557          0.723          0.881
条件式（１４）         1.307          1.163          1.305          1.242
条件式（１５）          52.3           47.4           48.5           49.6
条件式（１６）         0.453          0.447          0.447          0.442
条件式（１７）          28.5           24.6           24.7           25.8
条件式（１８）         0.018          0.009          0.010          0.017
条件式（１９）        -9.398         -3.346         -3.724         -3.611
条件式（２０）         2.090          1.482          1.263          1.298
条件式（２１）         1.060          1.715          1.689          1.735
条件式（２２）         1.318          1.000          1.354          1.629
条件式（２３）         0.364          0.512          0.521          0.621
条件式（２４）         0.493          0.655          0.754          1.038
条件式（２５）         0.991          1.075          1.236          1.702
条件式（２６）         2.115          1.013          0.974          0.933
条件式（２７）         0.811          1.051          0.974          0.933
条件式（２８）         1.898          1.183          1.590          1.239
実施例９      実施例１０     実施例１１
条件式（１）           0.651         0.534           0.559
条件式（２）           0.409         0.420           0.427
条件式（３）           0.569         0.521           0.520
条件式（４）           0.448         0.352           0.396
条件式（５）           0.576         0.547           0.640
条件式（６）           0.307         0.275           0.389
条件式（７）           2.734         2.766           2.189
条件式（８）           1.247         0.910           1.110
条件式（９）           7.584         6.412           5.656
条件式（１０）         1.643         1.642           1.313
条件式（１１）         1.945         2.518           4.418
条件式（１２）        59.370        55.530          55.530
条件式（１３）         0.674         0.536           0.690
条件式（１４）         1.558         1.493           1.665
条件式（１５）        49.600        49.600          46.530
条件式（１６）         0.411         0.399           0.441
条件式（１７）        25.820        25.820          22.750
条件式（１８）         0.155         0.220           0.119
条件式（１９）       -10.188        -8.975          -9.721
条件式（２０）         1.702         1.616       2.673（G2c基準）  1.742（G5基準）
条件式（２１）         0.864         1.074       1.110（G2c基準）  1.262（G5基準）
条件式（２２）         1.618         1.481           1.488
条件式（２３）         0.351         0.428           0.408
条件式（２４）         0.481         0.523           0.567
条件式（２５）         0.967         1.051           1.140
条件式（２６）         1.914         1.810           2.090
条件式（２７）         0.784         0.877           0.859
条件式（２８）         1.489         1.905           1.348
【０２３０】
表４７から明らかなように、数値実施例１〜１１は、条件式（１）〜（２８）を満足しており、縦収差図及び横収差図から明らかなように、諸収差は比較的よく補正されている。また、フォーカシングレンズの構成枚数が少ないにも関わらず、短焦点距離端と長焦点距離端の両方において撮影距離変化による収差変動を抑えられており、防振駆動時の収差変動も良好に補正されている。
【０２３１】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【０２３２】
Ｇ１  正の屈折力の第１レンズ群
Ｇ２  負の屈折力の第２レンズ群
Ｇ２ａ  正の屈折力の第２ａレンズ群
Ｇ２ｂ  負の屈折力の第２ｂレンズ群（フォーカスレンズ群）
Ｇ２ｃ  負の屈折力の第２ｃレンズ群（防振レンズ群）
ＧＲ  後続レンズ群
Ｇ３  正の屈折力の第３レンズ群
Ｇ４  正の屈折力の第４レンズ群、負の屈折力の第４レンズ群
Ｇ４ａ  正の屈折力の第４ａレンズ群
Ｇ４ｂ  負の屈折力の第４ｂレンズ群（防振レンズ群）
Ｇ４ｃ  正の屈折力の第４ｃレンズ群
Ｇ５  正の屈折力の第５レンズ群、負の屈折力の第５レンズ群
Ｇ５ａ  正の屈折力の第５ａレンズ群
Ｇ５ｂ  負の屈折力の第５ｂレンズ群（防振レンズ群）
Ｇ５ｃ  正の屈折力の第５ｃレンズ群
Ｇ６  正の屈折力の第６レンズ群、負の屈折力の第６レンズ群
ＣＧ  平行平面板
ＳＰ  絞り
【図１】
2020154288.tif 000003
【図２】
2020154288.tif 000004
【図３】
2020154288.tif 000005
【図４】
2020154288.tif 000006
【図５】
2020154288.tif 000007
【図６】
2020154288.tif 000008
【図７】
2020154288.tif 000009
【図８】
2020154288.tif 000010
【図９】
2020154288.tif 000011
【図１０】
2020154288.tif 000012
【図１１】
2020154288.tif 000013
【図１２】
2020154288.tif 000014
【図１３】
2020154288.tif 000015
【図１４】
2020154288.tif 000016
【図１５】
2020154288.tif 000017
【図１６】
2020154288.tif 000018
【図１７】
2020154288.tif 000019
【図１８】
2020154288.tif 000020
【図１９】
2020154288.tif 000021
【図２０】
2020154288.tif 000022
【図２１】
2020154288.tif 000023
【図２２】
2020154288.tif 000024
【図２３】
2020154288.tif 000025
【図２４】
2020154288.tif 000026
【図２５】
2020154288.tif 000027
【図２６】
2020154288.tif 000028
【図２７】
2020154288.tif 000029
【図２８】
2020154288.tif 000030
【図２９】
2020154288.tif 000031
【図３０】
2020154288.tif 000032
【図３１】
2020154288.tif 000033
【図３２】
2020154288.tif 000034
【図３３】
2020154288.tif 000035
【図３４】
2020154288.tif 000036
【図３５】
2020154288.tif 000037
【図３６】
2020154288.tif 000038
【図３７】
2020154288.tif 000039
【図３８】
2020154288.tif 000040
【図３９】
2020154288.tif 000041
【図４０】
2020154288.tif 000042
【図４１】
2020154288.tif 000043
【図４２】
2020154288.tif 000044
【図４３】
2020154288.tif 000045
【図４４】
2020154288.tif 000046
【図４５】
2020154288.tif 000047
【図４６】
2020154288.tif 000048
【図４７】
2020154288.tif 000049
【図４８】
2020154288.tif 000050
【図４９】
2020154288.tif 000051
【図５０】
2020154288.tif 000052
【図５１】
2020154288.tif 000053
【図５２】
2020154288.tif 000054
【図５３】
2020154288.tif 000055
【図５４】
2020154288.tif 000056
【図５５】
2020154288.tif 000057
【図５６】
2020154288.tif 000058
【図５７】
2020154288.tif 000059
【図５８】
2020154288.tif 000060
【図５９】
2020154288.tif 000061
【図６０】
2020154288.tif 000062
【図６１】
2020154288.tif 000063
【図６２】
2020154288.tif 000064
【図６３】
2020154288.tif 000065
【図６４】
2020154288.tif 000066
【図６５】
2020154288.tif 000067
【図６６】
2020154288.tif 000068
【図６７】
2020154288.tif 000069
【図６８】
2020154288.tif 000070
【図６９】
2020154288.tif 000071
【図７０】
2020154288.tif 000072
【図７１】
2020154288.tif 000073
【図７２】
2020154288.tif 000074
【図７３】
2020154288.tif 000075
【図７４】
2020154288.tif 000076
【図７５】
2020154288.tif 000077
【図７６】
2020154288.tif 000078
【図７７】
2020154288.tif 000079
【図７８】
2020154288.tif 000080
【図７９】
2020154288.tif 000081
【図８０】
2020154288.tif 000082
【図８１】
2020154288.tif 000083
【図８２】
2020154288.tif 000084
【図８３】
2020154288.tif 000085
【図８４】
2020154288.tif 000086
【図８５】
2020154288.tif 000087
【図８６】
2020154288.tif 000088
【図８７】
2020154288.tif 000089
【図８８】
2020154288.tif 000090
【図８９】
2020154288.tif 000091
【図９０】
2020154288.tif 000092
【図９１】
2020154288.tif 000093
【図９２】
2020154288.tif 000094
【図９３】
2020154288.tif 000095
【図９４】
2020154288.tif 000096
【図９５】
2020154288.tif 000097
【図９６】
2020154288.tif 000098
【図９７】
2020154288.tif 000099
【図９８】
2020154288.tif 000100
【図９９】
2020154288.tif 000101
【図１００】
2020154288.tif 000102
【図１０１】
2020154288.tif 000103
【図１０２】
2020154288.tif 000104
【図１０３】
2020154288.tif 000105
【図１０４】
2020154288.tif 000106
【図１０５】
2020154288.tif 000107
【図１０６】
2020154288.tif 000108
【図１０７】
2020154288.tif 000109
【図１０８】
2020154288.tif 000110
【図１０９】
2020154288.tif 000111
【図１１０】
2020154288.tif 000112
【図１１１】
2020154288.tif 000113
【図１１２】
2020154288.tif 000114
【図１１３】
2020154288.tif 000115
【図１１４】
2020154288.tif 000116
【図１１５】
2020154288.tif 000117
【図１１６】
2020154288.tif 000118
【図１１７】
2020154288.tif 000119
【図１１８】
2020154288.tif 000120
【図１１９】
2020154288.tif 000121
【図１２０】
2020154288.tif 000122
【図１２１】
2020154288.tif 000123
【図１２２】
2020154288.tif 000124
【図１２３】
2020154288.tif 000125
【図１２４】
2020154288.tif 000126
【図１２５】
2020154288.tif 000127
【図１２６】
2020154288.tif 000128
【図１２７】
2020154288.tif 000129
【図１２８】
2020154288.tif 000130
【図１２９】
2020154288.tif 000131
【図１３０】
2020154288.tif 000132
【図１３１】
2020154288.tif 000133
【図１３２】
2020154288.tif 000134
【図１３３】
2020154288.tif 000135
【図１３４】
2020154288.tif 000136
【図１３５】
2020154288.tif 000137
【図１３６】
2020154288.tif 000138
【図１３７】
2020154288.tif 000139